(57)【要約】【課題】現在使用されている格子フェンスは柱を、基礎に固着し、上下水平材に一定間隔で縦材が配置した単純なデザインが主で、柱の配置間隔と整合性が無く、美観上見苦しく、デザインは供給側の一方的提供となり、自由デザインの発現が可能な格子パネルが無かった。【解決手段】縦横構造格子材と加除変更可能な縦横準構造格子材、加除変更可能な装飾縦横格子材、縦横構造格子材と平行で２方向の自在角度方向性を持つ加除変更可能な不可装飾材、加除変更可能な付加装飾枠Ａ、 Ｂ、加除変更可能な付加装飾図柄及び枠、交差金具Ａ、 Ｂ、Ｃ、Ｄ、縦横構造格子材で構成された柱、付属する金具類、の一部又は全てを含み構成される一重及び二重の面を有する格子パネルで構成された柱を挿入固着すること無く、基礎構造体より突出したアンカーボルトで保持又は、基礎構造体内に固定し目的に応じ採用することで課題を克服することができる。【選択図】    図１
2007100413.tif 000002
【特許請求の範囲】
【請求項１】
縦横構造格子材と加除及び変更可能な縦横準構造格子材，加除及び変更可能な装飾縦横格子材，縦横構造格子材と平行で２方向の自在角度方向性を持つ加除及び変更可能な付加装飾材，加除及び変更可能な付加装飾枠ａ及びＢ，加除及び変更可能な付加装飾図柄及び枠，交差金具ａ，ｂ，ｃ及びｄ，縦横構造格子材で構成された柱、縦横構造格子材と平行で２方向の自在角度方向性を持つ加除及び変更可能な付加装飾材を挿入可能な長角穴を有する金具類及び付属する金具類の一部又は全てを含み構成される一重及び二重の面を有するデザイン加除及び変更可能な格子パネルフェンスシステム
【請求項２】
縦横構造格子材と加除及び変更可能な縦横準構造格子材，加除及び変更可能な装飾縦横格子材，平行で２方向の自在角度方向性を持つ加除及び変更可能な付加装飾材，加除及び変更可能な付加装飾材，加除及び変更可能な付加装飾枠ａ及びｂ，加除及び変更可能な付加装飾図柄及び枠を保持する為、自在回転機能と内部接触保持面にアール面を有し，縦横構造格子材，縦横準構造格子材，装飾縦横格子材に位置固定する交差金具ａ，ｂ，ｃ及びｄ
【請求項３】
基礎構造体内に格子パネルシフェンスシステムを保持する縦横構造格子材で構成された柱を挿入固着すること無く，基礎構造体より突出したボルトでデザイン加除及び変更可能な格子パネルフェンスステムを保持するシステム
【請求項４】
格子パネルフェンスシステムを基礎構造体内に保持固定する為，格子パネルフェンス及びデザイン加除及び変更可能な格子パネルフェンスシステムを保持する縦横構造格子材で構成された柱を基礎構造体内アンカーボルトセットでデザイン加除及び変更可能な格子パネルフェンスシステムを保持するシステム
【発明の詳細な説明】
【技術分野】
【０００１】
本発明は購入者及びデザイン設計者が格子フェンスを発注し購入設置する場合、自由デザイン及び指定仕様で製作する高価な特注仕様、又は規格格子フェンスを製作し販売している会社から購入する、の２方法しかなかった。一般的には格子フェンス製造会社より提供される数少ない規格デザインよりしか選択できない不自由なデザイン選択環境状況を改善し、自由なデザイン発現可能な空間領域を有し、且つ自由にデザイン加除可能な方法を用いることにより、景観整備向上を達成し、将来に亘りデザイン加除変更が可能となり、快適な空間を長期に亘り共有可能なデザイン加除及び変更可能な格子パネルフェンスシステムであり、門扉及び面格子類にも適用可能である。
【０００２】
デザイン加除及び変更可能な格子パネルフェンスシステムには無垢材、及び各種パイプ類が使用可能で、形状断面の一例として四角形、三角形、円形、ロイヤルライン、楕円形、異形楕円形、六角形、八角形、半円形、長方形、甲丸形、溝形、両溝形、Ｄ形、台形、笠木形，等辺アングル、不等辺アングル、不等厚アングル、Ｈ形、Ｃ形、ＣＴ形、Ｃ形半円形、コンプレッションバー、ラウンドフラットバー、ラインバー、各種曲加工形状及び押出型形状等が使用可能である。材質は金属全般、木材、化成品，陶器類等、前述形状等が成型、押出又は鋳込み及び固体の組合せで通常加工時及び設置時期において、形状保持維持ができる材質であれば特に問わないし、表面形状、防錆処理、表面仕上げ処理は使用場所、目的及び使用材質により適正な方法を選択採用するものとし、表面仕上げ処理は鏡面仕上げ、鍛鉄風仕上げ、生地仕上げ、各種塗装仕上げ等、特に限定しない。縦横構造格子材と加除及び変更可能な縦横準構造格子材，加除及び変更可能な装飾縦横格子材の接合は使用材質に適した適正な各種溶接、鋳込み及びボルト接合、リベット接合、釘接合、接着接合等より選択実施するものとする。
【０００３】
縦横構造格子材と加除及び変更可能な縦横準構造格子材，加除及び変更可能な装飾縦横格子材、平行で２方向の自在角度方向性を持つ加除及び変更可能な付加装飾材，加除及び変更可能な付加装飾材，加除及び変更可能な付加装飾枠ａ及びｂ，加除及び変更可能な付加装飾図柄、枠及び支持材等と、相互位置固定する為に交差金具ａ、ｂ、ｃ及びｄを使用するものとする。
【背景技術】
【０００４】
格子フェンスは多種類存在するが自由デザイン及び規格デザインであっても、設置後デザイン変更が出来ない工法が主流で購入者及びデザイン設計者が後日デザイン変更する余地が無い。計画段階から設置後も、デザインを購入者の意図により自由に加除及び変更可能な格子パネルフェンスシステムが存在しなかった。従来の格子フェンスは多種類存在するが、景観に配慮し、風圧に耐え、耐食性に富み、デザイン性に富み、且つデザイン加除及び変更可能な格子フェンスシステムが存在しなかった。下記に例を記す。
【０００５】
特開２０００−１０９３８６ではデザインを表現する形状素材そのものであり、且つ縦横格子材に嵌挿し矩形又は一方向性のみでのデザイン表現方法となっていて滑らかなデザイン表現にある一定の規制が生じている。デザイン加除及び変更可能な機能システムは不備である。
【０００６】
特開２０００−５４６９１規格フェンスメーカー推薦のデザインを格子フェンスに固定し、供給している例である。通常の格子フェンスに茎を通す為の空間が無くても植物は自由自在に自生するものであり、デザイン加除及び変更可能な機能システムは不備である。
【０００７】
特開２００１−９８７９６では通常の自由角度ヒンジ付近にダミー縦桟を配しヒンジ付近の隙間を補完補充するものである。規格フェンスを任意の位置で調整切断しない為に生じる事を補正する補正措置発明である為、配置を考慮すれば十分に補完できる。
【０００８】
特開平６−２６４４１９では格子フェンスの機能を保持したまま多様のデザインを創造するとあるが提案されている以上の自由な発想発展あるデザインを付加又は変更する事が出来ない。
【０００９】
実開平６−３２６３２では支柱不要のメッシュフェンスであるが、一重の格子フェンスの一端，両端又は中央部をく形に曲げ支柱の代用として使用している。主たる発明であるデザイン加除及び変更可能な機能システムは不備である。
【００１０】
実開平６−６２１４７では相対向する線格子フェンス体同士のみを連結する連結具であり、主たる発明であるデザイン加除及び変更可能な機能システムは不備である。
【特許文献１】特開２０００−１０９３８６
【特許文献２】特開２０００−５４６９１
【特許文献３】特開２００１−９８７９６
【特許文献４】特開平６−２６４４１９
【特許文献５】実開平６−３２６３２
【特許文献６】実開平６−６２１４７
【発明の開示】
【発明が解決しようとする課題】
【００１１】
現在使用されている格子フェンスはフェンスパネルを位置保持する為に柱材を基礎構造体の状況に因り自由間隔に配し，基礎構造体にコンクリート等充填固定材を介し固着し，格子フェンスを保持固定している。一般的に上下水平材に一定間隔で縦材が配置固定された単純なデザインが中心であり，柱材の配置間隔との整合性が無い為，格子フェンス材の縦材と柱との位置が不揃いとなり，美観上見苦しく、無策の状態が常態化している。デザインは供給側よりの一方的な提供となり、購入側の意向は殆ど反映されず、デザインを重視すると個別発注生産となり、高価格での購入となっている。購入側の希望する価格帯で、且つ、自由なデザインの発現が可能なデザイン加除及び変更可能な格子パネルシステムが無かった。
【課題を解決するための手段】
【００１２】
縦横構造格子材・５及び８と加除及び変更可能な縦横準構造格子材・６及び９，加除及び変更可能な装飾縦横格子材・７及び１０，縦横構造格子材・５及び８と平行で２方向の自在角度方向性を持つ加除及び変更可能な付加装飾材・１２及び１３，加除及び変更可能な付加装飾枠ａ・１５及びｂ・１６，加除及び変更可能な付加装飾図柄及び枠・１２−１〜５６，交差金具ａ・１，ｂ・２，ｃ・３及びｄ・４，縦横構造格子材・５及び８で構成された柱，付属する金具類、の一部又は全てを含み構成される一重及び二重の面を有する格子パネルフェンスシステム及び縦横構造格子材・５及び８と加除及び変更可能な縦横準構造格子材・６及び９，加除及び変更可能な装飾縦横格子材・７及び１０，平行で２方向の自在角度方向性を持つ加除及び変更可能な付加装飾材・１２及び１３，加除及び変更可能な付加装飾枠ａ・１５及びｂ・１６，加除及び変更可能な付加装飾図柄及び枠・１２−１〜５６を保持し，縦横構造格子材・５及び８，縦横準構造格子材・６及び９，装飾縦横格子材・７及び１０に位置固定する交差金具ａ・１、ｂ・２、ｃ・３及びｄ・４，と格子パネルフェンスシステムを基礎構造体内に格子パネルシフェンスステムを保持する縦横構造格子材・５及び８で構成された柱を挿入固着すること無く，基礎構造体より突出したアンカーボルトナットセット・５０で保持するシステムを採用する事により、又、格子パネルフェンスシステムを保持固定する為，基礎構造体内に固定する方法を目的・状況に応じ採用する事で課題を克服することができる。
【００１３】
従来の規格格子フェンスは柱材、上下横桟と縦格子桟の単純なデザインを基本に構成され、景観環境向上に必要不可欠なデザインの追加及び変更の余地が殆んど無い。
【００１４】
従来の規格格子フェンスは軽量化、規格化が進み、薄肉のパイプ及び押出し型材が多用され、環境劣化時下では腐食劣化が避けられず補修目的の相対コストがアップし、最悪の状態ではフェンス柱及び基礎構造体も解体の対象となり、新規施工金額以上の金額が発生し、且つ長期工期が必要となる。又、柱材、上下横桟と縦格子桟の相互留付強度もリベット留めが多用され十分に強度が確保されず、小さな作用力でも変形し破壊し易い。
【００１５】
従来の特注格子フェンスは相互協議の上、図面承認後製作取り付けされるが、中途及び施工完了後の環境変化及び価値観変化等によるデザイン変更の具現化は皆無に近く、多少に拘わらずデザイン変更には多大な経費を要することになる。
【発明の効果】
【００１６】
デザイン加除及び変更可能な格子パネルフェンスシステムを実施する事により、多様なデザイン創出が施工中及び完了後でも可能となり、景観環境向上が低コストで可能となる。柱材を基礎に施工時挿入固定しないで基礎構造体にアンカーボルト・５０を固定しベース材を介してフェンス本体を固定保持している為、フェンス補修が発生しても軽微な解体修復工事で済み、フェンス及び柱材の再利用も可能となり、環境保全保護にも貢献でき、社会全体コストを下げる効果が大である。
【発明を実施するための最良の形態】
【００１７】
従来技術及び課題を解決するために，格子フェンスの構成部位を加除不可な固定された部位部品と加除及び変更可能な部位部品とに区分した。加除不可で固定された部位部品格子パネル及び格子パネルフェンスステムを保持する縦横構造格子材・５及び８で構成された柱は工場で組立生産提供され、加除及び変更可能な縦横準構造格子材・６及び９，加除及び変更可能な装飾縦横格子材・７及び１０，縦横構造格子材・５及び８と平行で２方向の自在角度方向性を持つ加除及び変更可能な付加装飾材ａ（自由加工）・１２及び付加装飾材ｂ（自由加工）・１３，加除及び変更可能な付加装飾枠ａ・１５及びｂ・１６，加除及び変更可能な付加装飾図柄及び枠・１２−１〜５６、交差金具ａ・１，ｂ・２，ｃ・３及びｄ・４，付属する金具類は要求に応じ生産提供され、それらを用い現場にて組立据付けるものとする。加除及び変更可能な付加装飾図柄及び枠・１２−１〜５６は陶板、ガラス、木材、金属等で創作された芸術作品も使用可能である。加除不可で固定された部位部品格子パネル及びデザイン加除及び変更可能な格子パネルフェンスシステムは製作製造可能寸法、運搬可能寸法及び取り扱い、取り付け可能重量内で製作され、横幅寸法は横幅方向ピッチ・ｗｐの倍数に横幅の両側に０．５ｗｐより隙間分を差し引いた長さを足した寸法とし、縦幅寸法は縦幅方向ピッチ・ｈｐの倍数に横構造格子材・８寸法を足した寸法とし、格子フェンスが二重の時は奥行方向ピッチ・ｄｐの倍数に縦構造格子材・５の寸法を足した寸法で構成される。横幅・４ｗｐ及び縦幅・４ｈｐ程度で縦横構造格子材・５及び８を配し、格子フェンスが二重の時は縦横構造格子材・５及び８交差部付近に繋材・１１を配し、構造強度を確保する。工場生産部分を簡素化する事により基本価格を抑えることが可能となり、且つ加除及び変更可能な縦横準構造格子材・６及び９，加除及び変更可能な装飾縦横格子材・７及び１０，縦横構造格子材・５及び８と平行で２方向の自在角度方向性を持つ加除及び変更可能な付加装飾材ａ（自由加工）・１２及び付加装飾材ｂ（自由加工）・１３，加除及び変更可能な付加装飾図柄及び枠・１２−１〜５６，交差金具ａ・１，ｂ・２，ｃ・３及びｄ・４，縦横構造格子材・５及び８で構成された柱，付属する金具類を半規格化する事により、総体価格の低減が可能となり、価格の平準化が実現でき、工法の簡略化が図れ、品質が向上し、素人でも施工可能となる。又購入者の希望により、新創作デザインを低価格で具現・提供可能となり、新旧デザインの加除及び交換においても、特段の専門技術が無い購入者でも、簡単に交換可能となり、格子フェンスデザイン更新が簡便で可能となる。デザイン加除及び変更可能な格子パネルフェンスシステムに侵入防止策として一般的な忍返し等のさまざまな防犯部品も簡単に取り付け可能で、又縦横格子組の為、陰影部分が殆んど無く透けている為、不審人物及び侵入者の視認が可能となり、侵入抑止効果向上効果が大である。一重及び二重タイプでも開口率が大きく、空気抵抗が少ない為、細い材料でより大きな面寸法が構成可能となり、低価格で強固な格子パネルフェンスシステムの提供が可能となる。
【実施例１】
【００１８】
以下，この考案に係るにデザイン加除及び変更可能な格子パネルフェンスシステムについて図面を参照して詳細に説明する。各図は表記上割愛している部分がある。図１は縦横構造格子材・５及び８、加除及び変更可能な縦横準構造格子材・６及び９，加除及び変更可能な装飾縦横格子材・７及び１０、平行で２方向の自在角度方向性を持つ加除及び変更可能な付加装飾材ａ（自由加工）・１２及び付加装飾材ｂ（自由加工）・１３、繋材・１１を併用使用したデザイン加除及び変更可能な二重格子パネルフェンスシステムの使用例である。平行で２方向の自在角度方向性を持つ加除及び変更可能な付加装飾材ａ（自由加工）・１２及び付加装飾材ｂ（自由加工）・１３は有機的な草木をイメージし、加工しても取り付け可能である。アンカーボルトナットセット・５０を基礎構造体に穿孔後挿入固定し又は先行埋め込み固着し、アンカーボルトナットセット・５０のナットを所定の位置に合わせ、ベース下長座金Ａ・５３及びベース位置継手板ａ・１９を仮置きし、その後デザイン加除及び変更可能な二重格子パネルフェンスを乗せ、ベース挟み板Ａ・５６、ベース位置押え金具Ａ・５９、角座金（本体固定アンカー用）・６２をアンカーボルトナットセット・５０に挿入し、アンカーボルトナットセット・５０のナットで固定する。その後、継手押え金Ａ・４７及び継手固定用四角軸付ボルトナットセット・５１でデザイン加除及び変更可能な格子パネルフェンスの横構造格子材・８を所定の位置で固定する。平行で２方向の自在角度方向性を持つ加除及び変更可能な付加装飾材ａ（自由加工）・１２及び付加装飾材ｂ（自由加工）・１３はデザイン加除及び変更可能な二重格子パネルフェンスの格子フェンスパネル外部側・ｋｐｇと格子フェンスパネル内部側・ｋｐｕとの中間部付近の上下左右任意位置で交差金具ａ・１，ｂ・２，ｃ・３及びｄ・４で固定されている。
【００１９】
図２は縦横構造格子材・５及び８で構成し、横構造格子材・８は両側に０．５ｗｐ跳ね出しているのを特徴とした基本パネルの一例である。
【００２０】
図３は交差金具Ａ・１で縦横構造格子材・５及び８、加除及び変更可能な縦横準構造格子材・６及び９，加除及び変更可能な装飾縦横格子材・７及び１０の何れかが直交した部分で、加除及び変更可能な付加装飾材全ての一部分を自在角度で保持固定する金具である。４本足付ボルトａ・１ａの頭部は垂直材及び水平材と同幅の溝加工を実施し、縦横材と同化し統一感を演出している。４本足加工された４本足付ボルトＡ・１ａを縦横構造格子材・５及び８、加除及び変更可能な縦横準構造格子材・６及び９，加除及び変更可能な装飾縦横格子材・７及び１０の何れかが直交した交差部に跨って嵌め合わせ、４本足付ボルトａ・１ａの４本足に反対側よりガイド座金・１ｂを挿入する。その後４本足付ボルトＡ・１ａの足折れ防止軸を持ち、回転軸付ガイドナット・１ｃを４本足付ボルトＡ・１ａの雄螺子加工された部分にあてがい締め付ける。自在回転可能付加装飾材保持金具Ａ・１ｄと自在回転可能付加装飾材保持金具Ｂ・１ｅは接合ボルトＡ・１ｈで接合され、嵌め合い側はメス構造を形成する。自在回転可能付加装飾材保持金具ｃ・１ｆと自在回転可能付加装飾材保持金具Ｄ・１ｇは接合ボルトＡ・１ｈで接合され嵌め合い側は脱落防止加工された円周溝を有するオス構造を形成する。オス及びメス部を嵌め合わせて、回転可能な構造とし、接合ボルトＢ・１ｉを脱落防止加工された円周溝を持つオス構造部に押付けて任意の位置及び角度で加除及び変更可能な付加装飾材全ての一部分を固定保持する。回転軸付ガイドナット・１ｃ側はメス部となり回転軸付ガイドナット・１ｃの軸を包含する構造を形成し、自在回転可能な形状・構造を有する。自在回転可能付加装飾材保持金具Ａ・１ｄ、自在回転可能付加装飾材保持金具Ｂ・１ｅ、自在回転可能付加装飾材保持金具ｃ・１ｆ及び自在回転可能付加装飾材保持金具Ｄ・１ｇは加除及び変更可能な付加装飾材全ての一部分を自在角度で保持固定する接触部に自在アールに追従可能な特殊アールを併せ持つ特徴を持つ。
【００２１】
図４は交差金具ｂ・２で縦構造格子材・５，加除及び変更可能な縦準構造格子材・６、加除及び変更可能な装飾縦格子材・７と加除及び変更可能な付加装飾材全ての一部分を自在角度で保持固定する金具である。４足付ボルトｂ・２ａの頭部は垂直材及び水平材と同幅の溝加工を実施し、縦横材と同化し統一感を演出している。４本足加工された４本足付ボルトｂ・２ａを縦構造格子材・５及び６、７に跨って嵌め合わせ、４本足に反対側よりガイド座金・１ｂを挿入する。その後４本足付ボルトｂ・２ａの足折れ防止軸を持ち、回転軸付ガイドナット・１ｃを４本足付ボルトｂ・２ａの雄螺子加工された部分にあてがい締め付ける。自在回転可能付加装飾材保持金具ｅ・２ｂと自在回転可能付加装飾材保持金具ｆ・２ｃは接合ボルトＡ・１ｈで接合され、嵌め合い側はメス構造を形成する。自在回転可能付加装飾材保持金具ｇ・２ｄと自在回転可能付加装飾材保持金具ｈ・２ｅは接合ボルトＡ・１ｈで接合され嵌め合い側は脱落防止加工された円周溝を有するオス構造を形成する。オス及びメス部を嵌め合わせて、回転可能な構造とし、接合ボルトＢ・１ｉを脱落防止加工された円周溝を持つオス構造部に押付けて任意の位置及び角度で加除及び変更可能な付加装飾材全ての一部分を固定保持する。回転軸付ガイドナット・１ｃ側はメス部となり回転軸付ガイドナット・１ｃの軸を包含する構造を形成し、自在回転可能な形状・構造を有する。自在回転可能付加装飾材保持金具ｅ・２ｂ、自在回転可能付加装飾材保持金具ｆ・２ｃ、自在回転可能付加装飾材保持金具ｇ・２ｄ及び自在回転可能付加装飾材保持金具ｈ・２ｅは加除及び変更可能な付加装飾材全ての一部分を自在角度で保持固定する接触部に自在アールに追従可能な特殊アールを併せ持つ特徴を持つ。
【００２２】
図５は交差金具ｃ・３で横構造格子材・８、加除及び変更可能な横準構造格子材・９，加除及び変更可能な装飾横格子材・１０と加除及び変更可能な付加装飾材全ての一部分を自在角度で保持固定する金具である。４足付ボルトｂ・２ａの頭部は垂直材及び水平材と同幅の溝加工を実施し、縦横材と同化し統一感を演出している。４本足加工された４本足付ボルトｂ・２ａを横構造格子材・８及び９、１０に跨って嵌め合わせ、４本足に反対側よりガイド座金・１ｂを挿入する。その後４本足付ボルトｂ・２ａの足折れ防止軸を持ち、回転軸付ガイドナット・１ｃを４本足付ボルトｂ・２ａの雄螺子加工された部分にあてがい締め付ける。自在回転可能付加装飾材保持金具ａ・１ｄと自在回転可能付加装飾材保持金具ｂ・１ｅは接合ボルトＡ・１ｈで接合され、嵌め合い側はメス構造を形成する。自在回転可能付加装飾材保持金具ｃ・１ｆと自在回転可能付加装飾材保持金具ｄ・１ｇは接合ボルトＡ・１ｈで接合され嵌め合い側は脱落防止加工された円周溝を有するオス構造を形成する。オス及びメス部を嵌め合わせて、回転可能な構造とし、接合ボルトＢ・１ｉを脱落防止加工された円周溝を持つオス構造部に押付けて任意の位置及び角度で加除及び変更可能な付加装飾材全ての一部分を固定保持する。回転軸付ガイドナット・１ｃ側はメス部となり回転軸付ガイドナット・１ｃの軸を包含する構造を形成し、自在回転可能な形状・構造を有する。自在回転可能付加装飾材保持金具ａ・１ｄ、自在回転可能付加装飾材保持金具ｂ・１ｅ、自在回転可能付加装飾材保持金具ｃ・１ｆ及び自在回転可能付加装飾材保持金具ｄ・１ｇは加除及び変更可能な付加装飾材全ての一部分を自在角度で保持固定する接触部に自在アールに追従可能な特殊アールを併せ持つ特徴を持つ。
【００２３】
図６は交差金具ｄ・４で、縦横構造格子材・５及び８、加除及び変更可能な縦横準構造格子材・６及び９，加除及び変更可能な装飾縦横格子材・７及び１０の何れかが直交した部分で相互を保持固定する金具である。４本足付ボルトａ・１ａの頭部は垂直材及び水平材と同幅の溝加工を実施し、縦横材と同化し統一感を演出している。４本足加工された４本足付ボルトＡ・１ａを縦横構造格子材・５及び８、加除及び変更可能な縦横準構造格子材・６及び９，加除及び変更可能な装飾縦横格子材・７及び１０の何れかが直交した部分に、跨って嵌め合わせ、４本足に反対側よりガイド座金・１ｂを挿入する。その後４本足付ボルトａ・１ａの足折れ防止軸を持ち、回転軸無ガイドナット・４ａを４本足付ボルトＡ・１ａの雄螺子加工された部分にあてがい締め付ける。
【００２４】
図７は図１より平行で２方向の自在角度方向性を持つ加除及び変更可能な付加装飾材ａ（自由加工）・１２及び付加装飾材ｂ（自由加工）・１３を除去した格子材のみで構成された基本パターンである。加除不可で固定された部位部品格子パネルは製造可能寸法、運搬可能寸法及び取り扱い取り付け可能重量寸法内で製作され、横幅寸法は横幅方向ピッチ・ｗｐの倍数に横幅の両側に０．５ｗｐより隙間分を差し引いた長さを足した寸法とし、縦幅寸法は縦幅方向ピッチ・ｈｐの倍数に横構造格子材・８寸法を足した寸法とし、格子フェンスが二重の時は奥行方向ピッチ・ｄｐの倍数に縦構造格子材・５の寸法を足した寸法で構成される。７ａは正面図で最頂位置の継手形状をあ１で、中間位置の継手形状をい１で、ベース位置の継手形状をう１で表現し、７ｂは７ａの最頂位置ア４−ア４矢視図であり、７ｃは７ａの中間位置イ４−イ４矢視図であり、７ｄは７ａの中間位置以外ウ４−ウ４矢視図であり、７ｅは７ａのベース位置エ４−エ４矢視図である。
【００２５】
図８は縦横構造格子材・５及び８、加除及び変更可能な縦横準構造格子材・６及び９，加除及び変更可能な装飾縦横格子材・７及び１０、繋材・１１で構成された混合使用例である。
【００２６】
図９は縦横構造格子材・５及び８、加除及び変更可能な縦横準構造格子材・６及び９，加除及び変更可能な装飾縦横格子材・７及び１０、繋材・１１で構成された混合使用例である。
【００２７】
図１０は縦横構造格子材・５及び８、加除及び変更可能な縦横準構造格子材・６及び９，加除及び変更可能な装飾縦横格子材・７及び１０、繋材１１、デザイン加除及び変更可能な二重格子パネルフェンスの格子フェンスパネル外部側・ｋｐｇと格子フェンスパネル内部側・ｋｐｕとの中間部付近の任意位置で交差金具ａ・１，ｂ・２，ｃ・３及びｄ・４で固定されている付加装飾材Ａ−１・１２−１及び付加装飾材Ａ−２・１２−２及び付加装飾材Ａ−３・１２−３及び付加装飾材Ａ−４・１２−４で構成された混合使用例である。
【００２８】
図１１は縦横構造格子材・５及び８、加除及び変更可能な縦横準構造格子材・６及び９，加除及び変更可能な装飾縦横格子材・７及び１０、繋材・１１、デザイン加除及び変更可能な二重格子パネルフェンスの格子フェンスパネル外部側・ｋｐｇと格子フェンスパネル内部側・ｋｐｕとの中間部付近の任意位置で交差金具ａ・１，ｂ・２，ｃ・３で固定されている付加装飾材Ａ−５・１２−５及び付加装飾材Ａ−６・１２−６及び付加装飾材Ａ−７・１２−７及び付加装飾材Ａ−８・１２−８及び付加装飾材Ａ−９・１２−９及び付加装飾材Ａ−１０・１２−１０及び付加装飾材Ａ−１１・１２−１１及び付加装飾材Ａ−１２・１２−１２及び付加装飾材Ａ−１３・１２−１３及び付加装飾材Ａ−１４・１２−１４及び付加装飾材Ａ−１５・１２−１５で構成された混合使用例である。
【００２９】
図１２は縦横構造格子材・５及び８、加除及び変更可能な縦横準構造格子材・６及び９，加除及び変更可能な装飾縦横格子材・７及び１０、繋材・１１、デザイン加除及び変更可能な二重格子パネルフェンスの格子フェンスパネル外部側・ｋｐｇと格子フェンスパネル内部側・ｋｐｕとの中間部付近の任意位置で交差金具ａ・１，ｂ・２，ｃ・３で固定されている付加装飾材Ａ−１６・１２−１６及び付加装飾材Ａ−１７・１２−１７及び付加装飾材Ａ−１８・１２−１８及び付加装飾材Ａ−１９・１２−１９及び付加装飾材Ａ−２０・１２−２０及び付加装飾材Ａ−２１・１２−２１及び付加装飾材Ａ−２２・１２−２２及び付加装飾材Ａ−２３・１２−２３で構成された混合使用例である。
【００３０】
図１３は縦横構造格子材・５及び８、加除及び変更可能な縦横準構造格子材・６及び９，加除及び変更可能な装飾縦横格子材・７及び１０、繋材・１１、デザイン加除及び変更可能な二重格子パネルフェンスの格子フェンスパネル外部側・ｋｐｇと格子フェンスパネル内部側・ｋｐｕとの中間部付近の任意位置で交差金具ａ・１，ｂ・２，ｃ・３で固定されている付加装飾材Ａ−２４・１２−２４及び付加装飾材Ａ−２５・１２−２５及び付加装飾材Ａ−２６・１２−２６及び付加装飾材Ａ−２７・１２−２７及び付加装飾材Ａ−２８・１２−２８及び付加装飾材Ａ−２９・１２−２９及び付加装飾材Ａ−３０・１２−３０及び付加装飾材Ａ−３１・１２−３１で構成された混合使用例である。
【００３１】
図１４は縦横構造格子材・５及び８、加除及び変更可能な縦横準構造格子材・６及び９，加除及び変更可能な装飾縦横格子材・７及び１０、繋材・１１、デザイン加除及び変更可能な二重格子パネルフェンスの格子フェンスパネル外部側・ｋｐｇと格子フェンスパネル内部側・ｋｐｕとの中間部付近の任意位置で交差金具ａ・１，ｂ・２，ｃ・３で固定されている付加装飾材Ａ−３２・１２−３２及び付加装飾材Ａ−３３・１２−３３及び付加装飾材Ａ−３４・１２−３４及び付加装飾材Ａ−３５・１２−３５及び付加装飾材Ａ−３６・１２−３６及び付加装飾材Ａ−３７・１２−３７及び付加装飾材Ａ−３８・１２−３８及び付加装飾材Ａ−３９・１２−３９で構成された混合使用例である。
【００３２】
図１５は縦横構造格子材・５及び８、加除及び変更可能な縦横準構造格子材・６及び９，加除及び変更可能な装飾縦横格子材・７及び１０、繋材・１１、デザイン加除及び変更可能な二重格子パネルフェンスの格子フェンスパネル外部側・ｋｐｇと格子フェンスパネル内部側・ｋｐｕとの中間部付近の任意位置で交差金具ａ・１，ｂ・２，ｃ・３で固定されている付加装飾材Ａ−４０・１２−４０及び付加装飾材Ａ−４１・１２−４１及び付加装飾材Ａ−４２・１２−４２及び付加装飾材Ａ−４３・１２−４３及び付加装飾材Ａ−４４・１２−４４及び付加装飾材Ａ−４５・１２−４５及び付加装飾材Ａ−４６・１２−４６及び付加装飾材Ａ−４７・１２−４７で構成された使用例である。
【００３３】
図１６は縦横構造格子材・５及び８、加除及び変更可能な縦横準構造格子材・６及び９，加除及び変更可能な装飾縦横格子材７・及び１０、繋材・１１、デザイン加除及び変更可能な二重格子パネルフェンスの格子フェンスパネル外部側・ｋｐｇと格子フェンスパネル内部側・ｋｐｕとの中間部付近の任意位置で交差金具ａ・１，ｃ・３で固定されている付加装飾材Ａ−４８・１２−４８及び付加装飾材Ａ−４９・１２−４９及び付加装飾材Ａ−５０・１２−５０及び付加装飾材Ａ−５１・１２−５１で構成された混合使用例である。
【００３４】
図１７は縦横構造格子材・５及び８、加除及び変更可能な縦横準構造格子材・６及び９，加除及び変更可能な装飾縦横格子材・７及び１０、繋材・１１、デザイン加除及び変更可能な二重格子パネルフェンスの格子フェンスパネル外部側・ｋｐｇと格子フェンスパネル内部側・ｋｐｕとの中間部付近の任意位置で交差金具ａ・１で固定されている付加装飾材Ａ−５２・１２−５２及び付加装飾材Ａ−５３・１２−５３で構成された混合使用例である。
【００３５】
図１８は縦横構造格子材・５及び８、加除及び変更可能な縦横準構造格子材・６及び９，加除及び変更可能な装飾縦横格子材・７及び１０、繋材・１１、デザイン加除及び変更可能な二重格子パネルフェンスの格子フェンスパネル外部側・ｋｐｇと格子フェンスパネル内部側・ｋｐｕとの中間部付近の任意位置で交差金具ａ・１，ｂ・２，ｃ・３で固定されている付加装飾材Ａ−５２・１２−５２、付加装飾材Ａ−５４・１２−５４及び付加装飾材Ａ−５５・１２−５５で構成された混合使用例である。
【００３６】
図１９は縦横構造格子材・５及び８、加除及び変更可能な縦横準構造格子材・６及び９，加除及び変更可能な装飾縦横格子材・７及び１０、繋材・１１、デザイン加除及び変更可能な二重格子パネルフェンスの格子フェンスパネル外部側・ｋｐｇと格子フェンスパネル内部側・ｋｐｕとの中間部付近の任意位置で交差金具ａ・１，ｂ・２、ｃ・３で固定されている付加装飾材Ａ−５２・１２−５２及び付加装飾材Ａ−５６・１２−５６で構成された混合使用例である。
【００３７】
図２０は縦横構造格子材・５及び８、加除及び変更可能な縦横準構造格子材・６及び９，加除及び変更可能な装飾縦横格子材・７及び１０、繋材・１１に、デザイン加除及び変更可能な二重格子パネルフェンスの格子フェンスパネル外部側・ｋｐｇと格子フェンスパネル内部側・ｋｐｕとの中間部付近の任意位置で交差金具ａ・１，ｂ・２，ｃ・３及びｄ・４で固定されている付加装飾材Ａ（自由加工）・１２及び付加装飾材Ｂ（自由加工）・１３を斜めに配し、装飾と防犯を兼ねて上下に突き出し、又、加除及び変更可能な縦準構造格子材・６、加除及び変更可能な装飾縦格子材・７の横幅・ｗｐの中間部に付加装飾材Ａ（自由加工）・１２を垂直に配し、装飾と防犯を兼ねて上下に突き出した混合使用例である。
【００３８】
図２１はデザイン加除及び変更可能な二重格子パネルフェンスシステムを採用した平面配置の一例で、鋭角レ型柱（二重用・４５〜８９）・ｅｌｐ、鋭角レ型柱自在角度タイプ（二重用・４５〜８９）・ｅｌｐｆ、鈍角へ型柱（二重用・９１〜１７９）・ｄｌｐ、鈍角へ型柱自在角度タイプ（二重用・９１〜１７９）・ｄｌｐｆ、デザイン加除及び変更可能な二重格子パネルフェンスの格子フェンスパネル外部側・ｋｐｇと格子フェンスパネル内部側・ｋｐｕを配置した混合使用例である。鋭角レ型柱（二重用・４５〜８９）・ｅｌｐ、鋭角レ型柱自在角度タイプ（二重用・４５〜８９）・ｅｌｐｆ、鈍角へ型柱（二重用・９１〜１７９）・ｄｌｐ、鈍角へ型柱自在角度タイプ（二重用・９１〜１７９）・ｄｌｐｆの高さ寸法設定、角及び角度決定、格子パネル高さ、格子パネル横幅は現場状況、風荷重により適切に設定決定するものとする。
【００３９】
図２２はデザイン加除及び変更可能な二重格子パネルフェンスシステムを採用した平面配置の一例で、既存壁との取合関係図・２２ａ、パネル相互接合関係図・２２ｂ、パネル相互接合と後付柱（二重用）・ｓｐ１関係図・２２ｃ、パネル相互接合と後付柱（二重用）・ｓｐ２関係図・２２ｄ、パネル相互接合と後付柱（二重用）・ｓｐ３関係図・２２ｅ、中柱（二重用）・ＩＰとパネル接合関係図・２２ｆ、中柱（二重用）・ＩＰ１とパネル接合関係図・２２ｇ、中柱（二重用）・ＩＰ２とパネル接合関係図・２２ｈ、中柱（二重用）・ＩＰ３とパネル接合関係図・２２ｉ、隅柱（二重用）・ＥＰとパネル接合関係図・２２ｊ、隅柱（二重用）・ＥＰ１とパネル接合関係図・２２ｋ、隅柱（二重用）・ＥＰ２とパネル接合関係図・２２l、隅柱（二重用）・ＥＰ３とパネル接合関係図・２２ｍ、Ｌ柱・ＬＰとパネル接合関係図・２２ｎ、デザイン加除及び変更可能な二重格子パネルフェンスの格子フェンスパネル外部側・ｋｐｇと格子フェンスパネル内部側・ｋｐｕを配置した混合使用例である。後付柱（二重用）・ｓｐ１、後付柱（二重用）・ｓｐ２、後付柱（二重用）・ｓｐ３、及び中柱（二重用）・ＩＰ、中柱（二重用）・ＩＰ１、中柱（二重用）・ＩＰ２、中柱（二重用）・ＩＰ３、及び隅柱（二重用）・ＥＰ、隅柱（二重用）・ＥＰ１、隅柱（二重用）・ＥＰ２、隅柱（二重用）・ＥＰ３の高さ寸法設定及び形状選定は使用状況、格子パネル高さ、格子パネル横幅及び風荷重により適切に設定決定するものとする。
【００４０】
図２３は図２２中、既存壁との取合関係図・２２ａの拡大図であり、２３ａは壁との取合正面図であり、２３ｂは取合正面図・２３ａのア５−ア５矢視図である。既存壁に壁取り付け用アンカーボルトナットセット・５２を穿孔後挿入固定し又は先行埋め込みし、ベース位置継手板壁取合金具・３４、中間位置継手板壁取合金具・４０、を大型丸座金（壁取付アンカー用）・６３で所定の位置で固定し、最頂位置継手板壁取合金具・４６は大型丸座金（壁取付アンカー用）・６３を介し仮固定する。デザイン加除及び変更可能な二重格子パネルフェンスシステムパネルをベース位置継手板壁取合金具・３４、中間位置継手板壁取合金具・４０に架設し、継手押え金Ａ・４７と継手固定用四角軸付ボルトナットセット・５１で固定する。最頂位置継手板壁取合金具・４６をデザイン加除及び変更可能な二重格子パネルフェンスシステムパネルに乗せ，継手押え金Ａ・４７と継手固定用四角軸付ボルトナットセット・５１で固定し、大型丸座金（壁取付アンカー用）・６３を介し壁取り付け用アンカーボルトナットセット・５２のナットで固定した関係図である。
【００４１】
図２４は図２２中、既存壁との取合関係図・２２ａの拡大図であり、２３ｃは最頂位置のイ５−イ５矢視図で、２３ｄは中間位置のウ５−ウ５矢視図で、２３ｅは中間位置以外のエ５−エ５矢視図で、２３ｆはベース位置のオ５−オ５矢視図である。
【００４２】
図２５は図２２中、隅柱（二重用）・ＥＰとパネル接合関係図・２２ｊの拡大図であり、２５ａは最頂位置の伏図で、２５ｂは最頂位置伏図のア６−ア６矢視図であり、２５ｃは中間位置の伏図で、２５ｄは中間位置のイ６−イ６矢視図であり、２５ｅは中間位置以外の伏図である。２５ａと２５ｂは隅柱（二重用）・ＥＰとパネル接合部の最頂位置で、最頂位置継手板Ａ・４１と継手押え金Ａ・４７と継手固定用四角軸付ボルトナットセット・５１で固定した関係図で、２５ｃと２５ｄは隅柱（二重用）・ＥＰとパネル接合部の中間位置で中間位置継手板Ａ・３５と継手押え金Ａ・４７と継手固定用四角軸付ボルトナットセット・５１で固定した関係図である。隅柱（二重用）・ＥＰは工場組立品である。
【００４３】
図２６は図２２中、隅柱（二重用）・ＥＰとパネル接合関係図・２２ｊの拡大図で、２５ｆはベース位置の伏図で、２５ｇはベース位置の正面図で、２５ｈはベース位置伏図のウ６−ウ６矢視図で、２５ｉはベース位置伏図のエ６−エ６矢視図である。２５ｆ、２５ｇ、２５ｈ、２５ｉは隅柱（二重用）・ＥＰとパネル接合部のベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板Ｂ・２０にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを固定した関係図である。隅柱（二重用）・ＥＰは工場組立品である。
【００４４】
図２７は図２２中、隅柱（二重用）・ＥＰ１とパネル接合関係図・２２ｋの拡大図であり、２７ａは最頂位置の伏図で、２７ｂは最頂位置のア７−ア７矢視図であり、２７ｃは中間位置の伏図で、２７ｄは中間位置伏図のイ７−イ７矢視図である。２７ａと２７ｂは隅柱（二重用）・ＥＰ１とパネル接合部の最頂位置で、最頂位置継手板Ａ・４１と継手押え金Ａ・４７、継手押え金Ｃ・４７ａと継手固定用四角軸付ボルトナットセット・５１で固定した関係図で、２７ｃと２７ｄは隅柱（二重用）・ＥＰ１とパネル接合部の中間位置で中間位置継手板Ａ・３５と継手押え金Ａ・４７、継手押え金Ｃ・４７ａと継手固定用四角軸付ボルトナットセット・５１で固定した関係図である。隅柱（二重用）・ＥＰ１は工場組立品である。
【００４５】
図２８は図２２中、隅柱（二重用）・ＥＰ１とパネル接合関係図・２２ｋの拡大図であり、２７ｅは中間位置以外の伏図で、２７ｆはベース位置の伏図で、２７ｇはベース位置伏図のウ７−ウ７矢視図である。２７ｆと２７ｇは隅柱（二重用）・ＥＰ１とパネル接合部のベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板Ｂ・２０及びベース位置継手板Ｉ（ｌ９４編芯）・２７にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを固定する。ベース位置伏図のエ７−エ７矢視図は図２６中２５ｈ・エ６−エ６矢視図を参照準用する。隅柱（二重用）・ＥＰ１は工場組立品である。
【００４６】
図２９は図２２中、隅柱（二重用）・ＥＰ２とパネル接合関係図・２２Ｌの拡大図であり、２９ａは最頂位置伏図で、２９ｂは最頂位置伏図のア８−ア８矢視図であり、２９ｃは中間位置の伏図である。２９ａと２９ｂは隅柱（二重用）・ＥＰ２とパネル接合部の最頂位置で、最頂位置継手板Ａ・４１と継手押え金Ａ・４７、継手押え金Ｃ・４７ａと継手固定用四角軸付ボルトナットセット・５１で固定した関係図で、２９ｃは隅柱（二重用）・ＥＰ２とパネル接合部の中間位置で中間位置継手板Ａ・３５と継手押え金Ａ・４７、継手押え金Ｃ・４７ａと継手固定用四角軸付ボルトナットセット・５１で固定した関係図である。隅柱（二重用）・ＥＰ２は工場組立品である。
【００４７】
図３０は図２２中、隅柱（二重用）・ＥＰ２とパネル接合関係図・２２Ｌの拡大図であり、２９ｄは中間位置伏図のイ８−イ８矢視図であり、２９ｅは中間位置以外の伏図で、２９ｆはベース位置の伏図である。２９ｄは隅柱（二重用）・ＥＰ２とパネル接合部の中間位置で中間位置継手板Ａ・３５と継手押え金Ｃ・４７ａと継手固定用四角軸付ボルトナットセット・５１で固定した関係図である。２９ｆは隅柱（二重用）・ＥＰ２とパネル接合部のベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板Ｂ・２０及びベース位置継手板ｈ（ｌ１１２）・２６にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットを使用固定し、継手押え金Ａ・４７と継手固定用四角軸付ボルトナットセット・５１でデザイン加除及び変更可能な二重格子パネルフェンスシステムパネルを固定する。ベース位置伏図のウ８−ウ８矢視図は図３１中２９ｇ・ウ８−ウ８矢視図を参照準用し、エ８−エ８矢視図は図２６中２５ｈ・エ６−エ６矢視図を参照準用する。隅柱（二重用）・ＥＰ２は工場組立品である。
【００４８】
図３１は図２２中、隅柱（二重用）・ＥＰ２とパネル接合関係図・２２Ｌの拡大図であり、２９ｇはベース位置伏図のウ８−ウ８矢視図であり、基礎構造体にアンカーボルトナットセット・５０を穿孔後挿入固定し又は先行埋め込み固着し、ナットで所定高さ位置を調整確保し、ベース下長座金Ａ・５３、ベース位置継手板Ｂ・２０及びベース位置継手板ｈ（ｌ１１２）・２６にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットを使用固定し、継手押え金Ａ・４７と継手固定用四角軸付ボルトナットセット・５１でデザイン加除及び変更可能な二重格子パネルフェンスシステムパネルを固定する。隅柱（二重用）・ＥＰ２は工場組立品である。
【００４９】
図３２は図２２中、隅柱（二重用）・ＥＰ３とパネル接合関係図２２ｍの拡大図であり、３２ａは最頂位置伏図で、３２ｂは最頂位置のア９−ア９矢視図である。３２ａと３２ｂは隅柱（二重用）・ＥＰ３とパネル接合部の最頂位置で、最頂位置継手板Ａ・４１と継手押え金Ａ・４７、継手押え金Ｃ・４７ａと継手固定用四角軸付ボルトナットセット・５１で固定した関係図である。隅柱（二重用）・ＥＰ３は工場組立品である。
【００５０】
図３３は図２２中、隅柱（二重用）・ＥＰ３とパネル接合関係図・２２ｍの拡大図であり、３２ｃは中間位置の伏図で、３２ｄは中間位置伏図のイ９−イ９矢視図であり、３２ｅは中間位置以外の伏図である。３２ｃと３２ｄは隅柱（二重用）・ＥＰ３とパネル接合部の中間位置で中間位置継手板Ａ・３５と継手押え金Ａ・４７、継手押え金Ｃ・４７ａと継手固定用四角軸付ボルトナットセット・５１で固定した関係図である。ベース位置関係図は図３０中２９ｆ・ベース位置の伏図及び図３１中２９ｇ・ウ８−ウ８矢視図を参照推考準用する。隅柱（二重用）・ＥＰ３は隅柱（二重用）・ＥＰ２と隅柱（二重用）・ＥＰ１の差、横幅・１ｗｐを隅柱（二重用）・ＥＰ２に加えた寸法形状となる。
【００５１】
図３４は図２２中、隅柱（二重用）・ＥＰ３とパネル接合関係図・２２ｍの拡大図であり、３２ｆはベース位置の伏図で、３２ｇはベース位置伏図のウ９−ウ９矢視図である。３２ｆと３２ｇは隅柱（二重用）・ＥＰ３とパネル接合部のベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板Ｂ・２０及びベース位置継手板ｈ（ｌ１１２）・２６にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットを使用固定し、継手押え金Ａ・４７と継手固定用四角軸付ボルトナットセット・５１でデザイン加除及び変更可能な二重格子パネルフェンスシステムパネルを固定する関係図である。隅柱（二重用）・ＥＰ３は工場組立品である。
【００５２】
図３５は図２２中、中柱（二重用）・ＩＰとパネル接合関係図・２２ｆの拡大図であり、３５ａは最頂位置の伏図で、３５ｂは中間位置の伏図で、３５ｃは中間位置以外の伏図で、３５ｄはベース位置の伏図で、３５ｅはベース位置伏図の正面図である。３５ａは中柱（二重用）・ＩＰとパネル接合部の最頂位置で、最頂位置継手板ｂ・４２と継手押え金Ａ・４７と継手固定用四角軸付ボルトナットセット・５１で固定した関係図である。関係断面図は図２５中２５ｂ・ア６−ア６矢視図を参照準用する。３５ｂは中柱（二重用）・ＩＰとパネル接合部の中間位置で、中間位置継手板ｂ・３６と継手押え金Ａ・４７と継手固定用四角軸付ボルトナットセット・５１で固定した関係図である。関係断面図は図２５中２５ｄ・イ６−イ６矢視図を参照準用する。３５ｄと３５ｅはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板ｃ・２１にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを固定する。関係断面図は図２６中２５ｈ・ウ６−ウ６矢視図及び図２６中２５ｉ・エ６−エ６矢視図を参照準用する。中柱（二重用）・ＩＰは工場組立品である。
【００５３】
図３６は図２２中、中柱（二重用）・ＩＰ１とパネル接合関係図・２２ｇの拡大図であり、３６ａは最頂位置の伏図で、３６ｂは中間位置の伏図で、３６ｃは中間位置以外の伏図である。３６ａは中柱（二重用）・ＩＰ１とパネル接合部の最頂位置で、最頂位置継手板ｂ・４２と継手押え金Ａ・４７と継手押え金Ｃ・４７ａと継手固定用四角軸付ボルトナットセット・５１で固定した関係図である。関係断面図は図２５中２５ｂ・ア６−ア６矢視図を参照準用する。３６ｂは中柱（二重用）・ＩＰ１とパネル接合部の中間位置で、中間位置継手板ｂ・３６と継手押え金Ａ・４７と継手押え金Ｃ・４７ａと継手固定用四角軸付ボルトナットセット・５１で固定した関係図である。関係断面図は図２５中２５ｄ・イ６−イ６矢視図を参照準用する。中柱（二重用）・ＩＰ１は工場組立品である。
【００５４】
図３７は図２２中、中柱（二重用）・ＩＰ１とパネル接合関係図・２２ｇの拡大図であり、３６ｄはベース位置の伏図で、３６ｅはベース位置伏図の正面図である。３６ｄと３６ｅはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板ｄ・２２、ベース位置継手板ｉ（ｌ９４偏芯）・２７にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを固定する。関係断面図は図２６中２５ｈ・ウ６−ウ６矢視図及び図２６中２５ｉ・エ６−エ６矢視図を参照準用する。中柱（二重用）・ＩＰ１は工場組立品である。
【００５５】
図３８は図２２中、中柱（二重用）・ＩＰ２とパネル接合関係図・２２ｈの拡大図であり、３８ａは最頂位置の伏図で、３８ｂは中間位置の伏図である。３８ａは中柱（二重用）・ＩＰ２とパネル接合部の最頂位置で、最頂位置継手板ｂ・４２と継手押え金Ａ・４７と継手押え金Ｃ・４７ａと継手固定用四角軸付ボルトナットセット・５１で固定した関係図である。関係断面図は図２５中２５ｂ・ア６−ア６矢視図を参照準用する。３８ｂは中柱（二重用）・ＩＰ２とパネル接合部の中間位置で、中間位置継手板ｂ・３６と継手押え金Ａ・４７と継手押え金Ｃ・４７ａと継手固定用四角軸付ボルトナットセット・５１で固定した関係図である。関係断面図は図２５中２５ｄ・イ６−イ６矢視図を参照準用する。中柱（二重用）・ＩＰ２は工場組立品である。
【００５６】
図３９は図２２中、中柱（二重用）・ＩＰ２とパネル接合関係図・２２ｈの拡大図であり、３８ｃは中間位置以外の伏図で、３８ｄはベース位置の伏図である。３８ｄはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板ｄ・２２、ベース位置継手板ｈ（ｌ１１２）・２６にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを固定する。関係断面図は図２６中２５ｈ・ウ６−ウ６矢視図及び図２６中２５ｉ・エ６−エ６矢視図、図３１中２９ｇ・ウ８−ウ８矢視図、図３７中３６ｅ・正面図を参照準用する。中柱（二重用）・ＩＰ２は工場組立品である。
【００５７】
図４０は図２２中、中柱（二重用）・ＩＰ３とパネル接合関係図・２２ｉの拡大図であり、４０ａは最頂位置の伏図で、４０ｂは中間位置の伏図である。４０ａは中柱（二重用）・ＩＰ３とパネル接合部の最頂位置で、最頂位置継手板ｂ・４２と継手押え金Ａ・４７と継手押え金Ｃ・４７ａと継手固定用四角軸付ボルトナットセット・５１で固定した関係図である。関係断面図は図２５中２５ｂ・ア６−ア６矢視図を参照準用する。４０ｂは中柱（二重用）・ＩＰ３とパネル接合部の中間位置で、中間位置継手板ｂ・３６と継手押え金Ａ・４７と継手押え金Ｃ・４７ａと継手固定用四角軸付ボルトナットセット・５１で固定した関係図である。関係断面図は図２５中２５ｄ・イ６−イ６矢視図を参照準用する。中柱（二重用）・ＩＰ３は工場組立品である。
【００５８】
図４１は図２２中、中柱（二重用）・ＩＰ２とパネル接合関係図・２２ｉの拡大図であり、４０ｃは中間位置以外の伏図で、４０ｄはベース位置の伏図である。４０ｄはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板ｄ・２２、ベース位置継手板ｈ（ｌ１１２）・２６にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを固定する。関係断面図は図２６中２５ｈ・ウ６−ウ６矢視図及び図２６中２５ｉ・エ６−エ６矢視図、図３１中２９ｇ・ウ８−ウ８矢視図、図３７中３６ｅ・正面図を参照準用する。中柱（二重用）・ＩＰ３は工場組立品である。
【００５９】
図４２は図２２中、パネル相互接合関係図・２２ｂの拡大図であり、４２ａは最頂位置の伏図で、４２ｂは中間位置の伏図で、４２ｃは中間位置以外の伏図で、４２ｄはベース位置の伏図である。４２ａはパネル相互接合部の最頂位置で、最頂位置継手板ａ・４１と継手押え金Ａ・４７と継手固定用四角軸付ボルトナットセット・５１で固定した関係図である。関係断面図は図２５中２５ｂ・ア６−ア６矢視図を参照準用する。４２ｂはパネル相互接合部の中間位置で、中間位置継手板ａ・３５と継手押え金Ａ・４７と継手固定用四角軸付ボルトナットセット・５１で固定した関係図である。関係断面図は図２５中２５ｄ・イ６−イ６矢視図を参照準用する。４２ｄはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板ａ・１９にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを固定する。関係断面図は図２６中２５ｈ・ウ６−ウ６矢視図及び図２６中２５ｉ・エ６−エ６矢視図、図７中７ａ正面図・う１を参照準用する。
【００６０】
図４３は図２２中、パネル相互接合と後付柱（二重用）・ｓｐ１との関係図・２２ｃの拡大図であり、４３ａは最頂位置の伏図で、４３ｂは最頂位置伏図のア１０−ア１０矢視図で、４３ｃは中間位置の伏図で、４３ｄは中間位置伏図のイ１０−イ１０矢視図である。４３ａと４３ｂはパネル相互接合と後付柱（二重用）・ｓｐ１の最頂位置で、最頂位置継手板ａ・４１と最頂位置継手板ｃ・４３と連結板（Ｔ型継手部）・４９と継手押え金Ａ・４７と継手固定用四角軸付ボルトナットセット・５１で固定した関係図である。４３ｃと４３ｄは中間位置継手板Ａ・３５と中間位置継手板Ｃ（ｔ型補助ｌ９８）・３７と連結板（Ｔ型継手部）・４９と継手押え金Ａ・４７と継手固定用四角軸付ボルトナットセット・５１で固定した関係図である。後付柱（二重用）・ｓｐ１は工場組立品であり、デザイン加除及び変更可能な二重格子パネルフェンスシステムパネルと連結板（Ｔ型継手部）・４９で接合されている。
【００６１】
図４４は図２２中、パネル相互接合と後付柱（二重用）・ｓｐ１との関係図・２２ｃの拡大図であり、４３ｅは中間位置の伏図で、４３ｆは中間位置伏図のウ１０−ウ１０矢視図で、４３ｇはベース位置の伏図で、４３ｈはベース位置伏図のエ１０−エ１０矢視図である。４３ｇと４３ｈはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置ｔ継手板Ｅ・２３にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを固定する。後付柱（二重用）・ｓｐ１は工場組立品であり、デザイン加除及び変更可能な二重格子パネルフェンスシステムパネルとベース位置ｔ継手板Ｅ・２３で接合されている。
【００６２】
図４５は図２２中、パネル相互接合と後付柱（二重用）・ｓｐ２との関係図・２２ｄの拡大図であり、４５ａは最頂位置の伏図で、４５ｂは最頂位置伏図のア１１−ア１１矢視図で、４５ｃは中間位置の伏図で、４５ｄは中間位置伏図のイ１１−イ１１矢視図である。４５ａと４５ｄはパネル相互接合と後付柱（二重用）・ｓｐ２の最頂位置で、最頂位置継手板ａ・４１と最頂位置継手板ｃ・４３と連結板（Ｔ型継手部）・４９と継手押え金Ａ・４７と継手固定用四角軸付ボルトナットセット・５１で固定した関係図である。４５ｃと４５ｄは中間位置継手板Ａ・３５と中間位置継手板Ｃ（ｔ型補助ｌ９８）・３７と連結板（Ｔ型継手部）・４９と継手押え金Ａ・４７と継手固定用四角軸付ボルトナットセット・５１で固定した関係図である。後付柱（二重用）・ｓｐ２は工場組立品であり、デザイン加除及び変更可能な二重格子パネルフェンスシステムパネルと連結板（Ｔ型継手部）・４９で接合されている。
【００６３】
図４６は図２２中、パネル相互接合と後付柱（二重用）・ｓｐ２との関係図・２２ｄの拡大図であり、４５ｅは中間位置以外の伏図で、４５ｆは中間位置以外伏図のウ１１−ウ１１矢視図で、４５ｇはベース位置の伏図である。４５ｇはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置ｔ継手板ｆ・２４にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを固定する。後付柱（二重用）・ｓｐ２は工場組立品であり、デザイン加除及び変更可能な二重格子パネルフェンスシステムパネルとベース位置ｔ継手板ｆ・２４で接合されている。ベース位置ｔ継手板ｆ・２４は２４−１と２４−２で一体化されている。オ１１−オ１１矢視図は図７中７ａ正面図・う１を参照準用する。
【００６４】
図４７は図２２中、パネル相互接合と後付柱（二重用）・ｓｐ２との関係図・２２ｄの拡大図であり、４５ｈはベース位置伏図のオ１１−オ１１矢視図で、４５ｉはベース位置伏図のエ１１−エ１１矢視図である。４５ｈ、４５ｉはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置ｔ継手板ｆ・２４にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを固定する。後付柱（二重用）・ｓｐ２は工場組立品であり、デザイン加除及び変更可能な二重格子パネルフェンスシステムパネルとベース位置ｔ継手板ｆ・２４で接合されている。
【００６５】
図４８は図２２中、パネル相互接合と後付柱（二重用）・ｓｐ３との関係図・２２ｅの拡大図であり、４８ａは最頂位置の伏図で、４８ｂは最頂位置伏図のア１２−ア１２矢視図である。４８ａと４８ｄはパネル相互接合と後付柱（二重用）・ｓｐ３の最頂位置で、最頂位置継手板ａ・４１と最頂位置継手板ｃ・４３と連結板（Ｔ型継手部）・４９と継手押え金Ａ・４７と継手固定用四角軸付ボルトナットセット・５１で固定した関係図である。後付柱（二重用）・ｓｐ３は工場組立品であり、デザイン加除及び変更可能な二重格子パネルフェンスシステムパネルと連結板（Ｔ型継手部）・４９で接合されている。
【００６６】
図４９は図２２中、パネル相互接合と後付柱（二重用）・ｓｐ３との関係図・２２ｅの拡大図であり、４８ｃは中間位置の伏図で、４８ｄは中間位置伏図のイ１２−イ１２矢視図で、４８ｅは中間位置以外の伏図である。４８ｃと４８ｄは中間位置継手板Ａ・３５と中間位置継手板Ｃ（ｔ型補助ｌ９８）・３７と連結板（Ｔ型継手部）・４９と継手押え金Ａ・４７と継手固定用四角軸付ボルトナットセット・５１で固定した関係図である。後付（二重用）柱・ｓｐ３は工場組立品であり、デザイン加除及び変更可能な二重格子パネルフェンスシステムパネルと連結板（Ｔ型継手部）・４９で接合されている。
【００６７】
図５０は図２２中、パネル相互接合と後付柱（二重用）・ｓｐ３との関係図・２２ｅの拡大図であり、４８ｆは図４９中４８ｅの中間位置以外伏図のウ１２−ウ１２矢視図で、４８ｇはベース位置の伏図であり、４８ｈはベース位置伏図のエ１２−エ１２矢視図である。４８ｇはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置ｔ継手板ｇ・２５にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを固定する。後付柱（二重用）・ｓｐ３は工場組立品であり、デザイン加除及び変更可能な二重格子パネルフェンスシステムパネルとベース位置ｔ継手板ｇ・２５で接合されている。ベース位置ｔ継手板ｇ・２５は２５−１と２５−２で一体化されている。正面図は図７中７ａ正面図・う１を参照準用する。
【００６８】
図５１は図２２中、鈍角へ型柱（二重用・９１〜１７９）・ｄｌｐとデザイン加除及び変更可能な二重格子パネルフェンスシステムのパネルとの関係図・２１ａの拡大図であり、５１ａは最頂位置の伏図で、５１ｂは中間位置の伏図である。５１ａ及び５１ｂはパネルの延長交差部に工場で現場計測指定角度にて組み立てた鈍角へ型柱（二重用・９１〜１７９）・ｄｌｐを配し、両側にデザイン加除及び変更可能な二重格子パネルフェンスを接合配する。５１ａは最頂位置継手板Ｄ（へ型９１〜１７９）・４４と継手押え金Ｂ（へ型・９１〜１７９）・４８及び継手押え金Ａ・４７と継手固定用四角軸付ボルトナットセット・５１で鈍角へ型柱（二重用・９１〜１７９）・ｄｌｐとデザイン加除及び変更可能な二重格子パネルフェンスを接合固定した関係図である。５１ｂは中間位置継手板Ｄ（へ型・９１〜１７９）・３８と継手押え金Ｂ（へ型・９１〜１７９）・４８及び継手押え金Ａ・４７と継手固定用四角軸付ボルトナットセット・５１で鈍角へ型柱（二重用・９１〜１７９）・ｄｌｐとデザイン加除及び変更可能な二重格子パネルフェンスを接合固定した関係図である。関係断面図は図２５中２５ｂ・ア６−ア６矢視図、２５ｄ・イ６−イ６矢視図を参照準用する。継手押え金Ｂ（へ型・９１〜１７９）・４８は４８−１、４８−２で一体化されている・。
【００６９】
図５２は図２２中、鈍角へ型柱（二重用・９１〜１７９）・ｄｌｐとデザイン加除及び変更可能な二重格子パネルフェンスシステムのパネルとの関係図・２１ａの拡大図であり、５１ｃは中間位置以外の伏図で、５１ｄはベース位置の伏図である。５１ｃ及び５１ｄはパネルの延長交差部に工場で現場計測指定角度にて組み立てた鈍角へ型柱（二重用・９１〜１７９）・ｄｌｐを配し、両側にデザイン加除及び変更可能な二重格子パネルフェンスを接合配する。５１ｄはベース位置で、基礎構造体にアンカーボルトナットセット・５０を穿孔後挿入固定し又は先行埋め込み固着し、ナットで所定高さ位置を調整確保し、ベース下長座金Ａ・５３、ベース下長座金Ｂ（へ型・９１〜１７９）・５４、ベース位置継手板Ｊ（へ形９１〜１７９）・２８にデザイン加除及び変更可能な二重格子パネルフェンスシステムパネルを乗せ、ベース挟み板Ａ・５６、ベース挟み板Ｂ（へ型・９１〜１７９）・５７、ベース位置押え金具Ａ・５９、ベース位置押え金具Ｂ（へ型・９１〜１７９）・６０、角座金（本体固定アンカー用）・６２及びアンカーボルトナットセット・５０のナットで固定し、継手押え金Ａ・４７、と継手固定用四角軸付ボルトナットセット・５１でデザイン加除及び変更可能な二重格子パネルフェンスシステムパネルを接合固定した関係図である。関係断面図は図２６中２５ｈ・ウ６−ウ６矢視図及び図２６中２５ｉ・エ６−エ６矢視図、図３７中正面図・３６ｅを参照準用する。鈍角へ型柱（二重用・９１〜１７９）・ｄｌｐは角度９１度から１７９度迄の指定角度で製作対応可能である。
【００７０】
図５３は図２２中、鈍角へ型柱自在角度タイプ（二重用・９１〜１７９）・ｄｌｐｆとデザイン加除及び変更可能な二重格子パネルフェンスシステムのパネルとの関係図・２１ｂの拡大図であり、５３ａは最頂位置の伏図で、５３ｂは最頂位置伏図のア１３−ア１３矢視図で、５３ｃは中間位置の伏図で、５３ｄは中間位置伏図のイ１３−イ１３矢視図である。５３ａ及び５３ｂはパネルの延長交差部に２分割した鈍角へ型柱自在角度タイプ（二重用・９１〜１７９）・ｄｌｐｆを配し、両側にデザイン加除及び変更可能な二重格子パネルフェンスを接合配する。５３ａは最頂位置継手板セット（へ型自在角度）・４５及び継手押え金Ａ・４７と継手固定用四角軸付ボルトナットセット・５１で鈍角へ型柱自在角度タイプ（二重用・９１〜１７９）・ｄｌｐｆとデザイン加除及び変更可能な二重格子パネルフェンスを接合固定した関係図である。最頂位置継手板セット（へ型自在角度）・４５は最頂位置継手板セットＡ・４５−１及び最頂位置継手板セットＢ・４５−２と最頂位置継手板セット接合軸板・４５−３を接合固定し，回転軸を兼用しているベース位置継手板セット接合ボルトナットセット・２９−４で構成されている。５３ｃと５３ｄは中間位置継手板セット（へ型自在角度・９１〜１７９・）・３９と継手押え金Ａ・４７と継手固定用四角軸付ボルトナットセット・５１で鈍角へ型柱自在角度タイプ（二重用・９１〜１７９）・ｄｌｐｆとデザイン加除及び変更可能な二重格子パネルフェンスを接合固定した関係図である。中間位置継手板セット（へ型自在角度・９１〜１７９・）・３９は中間位置継手板セットＡ・３９−１及び中間位置継手板セットＢ・３９−２と中間位置継手板セット接合軸板・３９−３を接合固定し、回転軸を兼用しているベース位置継手板セット接合ボルトナットセット・２９−４で構成されている。関係断面図は図２５中２５ｂ・ア６−ア６矢視図、２５ｄ・イ６−イ６矢視図を参照準用する。
【００７１】
図５４は図２２中、鈍角へ型柱自在角度タイプ（二重用・９１〜１７９）・ｄｌｐｆとデザイン加除及び変更可能な二重格子パネルフェンスシステムのパネルとの関係図・２１ｂの拡大図であり、５３ｄは中間位置以外の伏図で、５３ｅはベース位置の伏図で、５３ｆはベース位置伏図のウ１３−ウ１３矢視図である。５３ｅ及び５３ｆはパネルの延長交差部に２分割した鈍角へ型柱自在角度タイプ（二重用・９１〜１７９）・ｄｌｐｆを配し、両側にデザイン加除及び変更可能な二重格子パネルフェンスを接合配する。５３ｅはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板セット（へ形自在角度９１〜１７９）・２９にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７、と継手固定用四角軸付ボルトナットセット・５１でデザイン加除及び変更可能な二重格子パネルフェンスシステムパネルを接合固定した関係図である。ベース位置継手板セット（へ形自在角度・９１〜１７９）・２９はベース位置継手板セットＡ・２９−１及びベース位置継手板セットＢ・２９−２とベース位置継手板セット接合軸板・２９−３を接合固定し、回転軸を兼用しているベース位置継手板セット接合ボルトナットセット・２９−４で構成されている。関係断面図は図２６中２５ｈ・ウ６−ウ６矢視図及び図２６中２５ｉ・エ６−エ６矢視図を参照準用する。鈍角へ型柱自在角度タイプ（二重用・９１〜１７９）・ｄｌｐｆは角度９１度から１７９度迄の自在角度で現場対応可能である。
【００７２】
図５５は図２２中、鋭角レ型柱（二重用・４５〜８９）・ＥＬＰとデザイン加除及び変更可能な二重格子パネルフェンスシステムのパネルとの関係図・２１ｃの拡大図であり、５５ａは最頂位置の伏図で、５５ｂは中間位置の伏図である。５５ａ及び５５ｂはパネルの延長交差部に工場で現場計測指定角度にて組み立てた鋭角レ型柱（二重用・４５〜８９）・ＥＬＰを配し、両側にデザイン加除及び変更可能な二重格子パネルフェンスを接合配する。５５ａは最頂位置継手板Ａ・４１と継手押え金Ａ・４７と継手固定用四角軸付ボルトナットセット・５１で鋭角レ型柱（二重用・４５〜８９）・ＥＬＰとデザイン加除及び変更可能な二重格子パネルフェンスを接合固定した関係図である。５５ｂは中間位置継手板Ａ・３５と継手押え金Ａ・４７と継手固定用四角軸付ボルトナットセット・５１で鋭角レ型柱（二重用・４５〜８９）・ＥＬＰとデザイン加除及び変更可能な二重格子パネルフェンスを接合固定した関係図である。関係断面図は図２５中２５ｂ・ア６−ア６矢視図、２５ｄ・イ６−イ６矢視図を参照準用する。鋭角レ型柱（二重用・４５〜８９）・ＥＬＰは角度４５度から８９度迄の指定角度で製作対応可能である。
【００７３】
図５６は図２２中、鋭角レ型柱（二重用・４５〜８９）・ＥＬＰとデザイン加除及び変更可能な二重格子パネルフェンスシステムのパネルとの関係図・２１ｃの拡大図であり、５５ｃは中間位置以外の伏図で、５５ｄはベース位置の伏図である。５５ｃ及び５５ｄはパネルの延長交差部に工場で組み立てた鋭角レ型柱（二重用・４５〜８９）・ＥＬＰを配し、両側にデザイン加除及び変更可能な二重格子パネルフェンスを接合配する。５５ｄはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板右軸芯Ａ（レ型柱・４５〜８９）・３０、ベース位置継手板右軸芯Ｂ（レ型柱・４５〜８９）・３１、ベース下長座金Ｃ（レ型柱・４５〜８９・変六角）・５５にデザイン加除及び変更可能な二重格子パネルフェンスシステムパネルを乗せ、ベース挟み板Ａ・５６、ベース挟み板Ｃ（レ型柱・４５〜８９）・５８、ベース位置押え金具Ａ・５９、角座金（本体固定アンカー用）・６２、ベース位置押え金具Ｃ（レ型柱・４５〜８９）・６１、及びアンカーボルトナットセット・５０のナットで固定し、継手押え金Ａ・４７、角座金（本体固定アンカー用）・６２と継手固定用四角軸付ボルトナットセット・５１でデザイン加除及び変更可能な二重格子パネルフェンスシステムパネルを接合固定した関係図である。関係断面図は図２６中２５ｈ・ウ６−ウ６矢視図及び図２６中２５ｉ・エ６−エ６矢視図を参照準用する。鋭角レ型柱（二重用・４５〜８９）・ＥＬＰは角度４５度から８９度迄の指定角度で製作対応可能である。
【００７４】
図５７は図２２中、鋭角レ型柱自在角度タイプ（二重用・４５〜８９）・ＥＬＰＦとデザイン加除及び変更可能な二重格子パネルフェンスシステムのパネルとの関係図・２１ｄの拡大図であり、５７ａは最頂位置の伏図で、５７ｂは中間位置の伏図である。５７ａ及び５７ｂはパネルの延長交差部に２分割した鋭角レ型柱自在角度タイプ（二重用・４５〜８９）・ＥＬＰＦを配し、両側にデザイン加除及び変更可能な二重格子パネルフェンスを接合配する。５７ａは最頂位置継手板Ａ・４１及び継手押え金Ａ・４７とベース位置ｌ型右軸芯セット（現場自在角度４５〜８９）・６４と継手固定用四角軸付ボルトナットセット・５１で鋭角レ型柱自在角度タイプ（二重用・４５〜８９）・ＥＬＰＦとデザイン加除及び変更可能な二重格子パネルフェンスを接合固定した関係図である。現場状況角度に応じ、格子フェンスパネル外部側・ＫＰＧの装飾縦格子材・７及び横構造格子材・８と格子フェンスパネル内部側・ＫＰＵの横構造格子材・８を切断切除し対応・調整する。５７ｂは中間位置継手板Ａ・３５、継手押え金Ａ・４７とベース位置ｌ型右軸芯セット（現場自在角度４５〜８９）・６４と継手固定用四角軸付ボルトナットセット・５１で鋭角レ型柱自在角度タイプ（二重用・４５〜８９）・ＥＬＰＦとデザイン加除及び変更可能な二重格子パネルフェンスを接合固定した関係図である。５７ａ及び５７ｂのベース位置ｌ型右軸芯セット（現場自在角度４５〜８９）・６４はベース位置ｌ型右軸芯カバーａ（現場自在角度４５〜８９）・６４−１とベース位置ｌ型右軸芯カバーｂ（現場自在角度４５〜８９）・６４−２とベース位置ｌ型右軸芯カバーｃ（現場自在角度４５〜８９）・６４−３とベース位置ｌ型右軸芯カバーｄ（現場自在角度４５〜８９）・６４−４とベース位置ｌ型右軸芯ボルト（現場自在角度４５〜８９）・６４−５とベース位置ｌ型右軸芯厚み調整板（現場自在角度４５〜８９）・６４−６とベース位置ｌ型右軸芯固定用小螺子（現場自在角度４５〜８９）・６４−７で構成されている。関係断面図は図２５中２５ｂ・ア６−ア６矢視図、２５ｄ・イ６−イ６矢視図を参照準用する。
【００７５】
図５９はデザイン加除及び変更可能な一重格子パネル相互継手と独立柱（一重用）・ｄｐ１との取合詳細図で、５９ａは最頂位置の伏図で、５９ｂは中間位置の伏図で、５９ｃはベース位置の伏図で、５９ｄはベース位置伏図のア１５−ア１５矢視図である。５９ａは５９ｄの最頂位置でイ１５−イ１５矢視図であり、５９ｂは５９ｄの中間位置でウ１５−ウ１５矢視図であり、５９ｃは５９ｄのベース位置でエ１５−エ１５矢視図であり、５９ｄは５９ａ、５９ｂ、５９ｃのア１５−ア１５矢視図である。５９ａは最頂位置で、５９ｂは中間位置で、一重格子パネルの縦構造格子材・５と独立柱（一重用）・ＤＰ１の縦構造格子材・５を接合金具（格子パネル＋柱）・６５と継手固定用四角軸付ボルトナットセット・５１で緊結している関係図である。５９ｃはベース位置で、基礎構造体にアンカーボルトナットセット・５０を穿孔後挿入固定し又は先行埋め込み固着し、ナットで所定高さ位置を調整確保し、ベース下長座金Ｄ・６８、ベース位置継手板Ｋ・６６にデザイン加除及び変更可能な一重格子パネルフェンスを乗せ、ベース挟み板Ａ・５６、ベース位置押え金具ｄ・６７、角座金（本体固定アンカー用）・６２及びアンカーボルトナットセット・５０のナットで固定し、デザイン加除及び変更可能な一重格子パネルフェンスを固定する。独立柱（一重用）・ｄｐ１は工場組立品で、高さ寸法設定は使用状況、格子パネル高さ、格子パネル横幅及び風荷重により適切に設定決定するものとする。
【００７６】
図６０はデザイン加除及び変更可能な一重格子パネル相互継手と独立柱（一重用）・ｄｐ２との取合詳細図で、６０ａは最頂位置の伏図で、６０ｂは中間位置の伏図で、６０ｃはベース位置の伏図で、６０ｄは６０ａ、６０ｂ、６０ｃのア１６−ア１６矢視図である。６０ａは６０ｄの最頂位置でイ１６−イ１６矢視図であり、６０ｂは６０ｄの中間位置でウ１６−ウ１６矢視図であり、６０ｃは６０ｄのベース位置でエ１６−エ１６矢視図であり、６０ａは最頂位置で、６０ｂは中間位置で、一重格子パネルの縦構造格子材・５と独立柱（一重用）・ＤＰ２の縦構造格子材・５を接合金具（格子パネル＋柱）・６５と継手固定用四角軸付ボルトナットセット・５１で緊結している関係図である。６０ｃはベース位置で、基礎構造体にアンカーボルトナットセット５０・を穿孔後挿入固定し又は先行埋め込み固着し、ナットで所定高さ位置を調整確保し、ベース下長座金Ａ・５３、ベース下長座金Ｄ・６８、ベース位置継手板Ｋ・６６、ベース位置継手板Ｉ（ｌ９４偏芯）・２７にデザイン加除及び変更可能な一重格子パネルフェンスを乗せ、ベース挟み板Ａ・５６、ベース位置押え金具Ａ・５９、ベース位置押え金具ｄ・６７、角座金（本体固定アンカー用）・６２及びアンカーボルトナットセット・５０のナットで固定し、デザイン加除及び変更可能な一重格子パネルフェンスを固定する。独立柱（一重用）・ｄｐ２は工場組立品で、高さ寸法設定は使用状況、格子パネル高さ、格子パネル横幅及び風荷重により適切に設定決定するものとする。
【００７７】
図６１はデザイン加除及び変更可能な一重格子パネル相互継手と独立柱（一重用）・ｄｐ３との取合詳細図で、６１ａは最頂位置の伏図で、６１ｂは中間位置の伏図で、６１ｃはベース位置の伏図で、６１ｄは６１ａ、６１ｂ、６１ｃのア１７−ア１７矢視図である。６１ａは６１ｄの最頂位置でイ１７−イ１７矢視図であり、６１ｂは６１ｄの中間位置でウ１７−ウ１７矢視図であり、６１ｃは６１ｄのベース位置でエ１７−エ１７矢視図であり、６１ａは最頂位置で、６１ｂは中間位置で、一重格子パネルの縦構造格子材・５と独立柱（一重用）・ＤＰ３の縦構造格子材・５を接合金具（格子パネル＋柱）・６５と継手固定用四角軸付ボルトナットセット・５１で緊結している関係図である。６１ｃはベース位置で、基礎構造体にアンカーボルトナットセット・５０を穿孔後挿入固定し又は先行埋め込み固着し、ナットで所定高さ位置を調整確保し、ベース下長座金Ａ・５３、ベース下長座金Ｄ・６８、ベース位置継手板Ｈ（ｌ１１２）・２６、ベース位置継手板Ｋ・６６にデザイン加除及び変更可能な一重格子パネルフェンスを乗せ、ベース挟み板Ａ・５６、ベース位置押え金具Ａ・５９、ベース位置押え金具ｄ・６７、角座金（本体固定アンカー用）・６２及びアンカーボルトナットセット・５０のナットで固定し、デザイン加除及び変更可能な一重格子パネルフェンスを固定する。独立柱（一重用）・ｄｐ３は工場組立品で、高さ寸法設定は使用状況、格子パネル高さ、格子パネル横幅及び風荷重により適切に設定決定するものとする。
【００７８】
図６２はデザイン加除及び変更可能な一重格子パネルが出入隅９０度で直交する相互継手と独立柱（一重用）・ｄｐ１との取合詳細図で、６２ａは最頂位置の伏図で、６２ｂは中間位置の伏図で、６２ｃはベース位置の伏図である。６２ａは最頂位置で、６２ｂは中間位置で、デザイン加除及び変更可能な一重格子パネルの縦構造格子材・５と独立柱（一重用）・ＤＰ１の縦構造格子材・５を接合金具（格子パネル＋柱）・６５と継手固定用四角軸付ボルトナットセット・５１で緊結し、出入隅９０度部では出隅固定金具Ａ・６９と出隅固定金具Ｂ・７０と継手固定用四角軸付ボルトナットセット・５１で一重格子パネルの縦構造格子材・５同士を緊結している関係図である。６２ｃはベース位置で、基礎構造体にアンカーボルトナットセット・５０を穿孔後挿入固定し又は先行埋め込み固着し、ナットで所定高さ位置を調整確保し、ベース下長座金Ｄ・６８、ベース位置継手板Ｋ・６６にデザイン加除及び変更可能な一重格子パネルフェンスを乗せ、ベース挟み板Ａ・５６、ベース位置押え金具ｄ・６７、角座金（本体固定アンカー用）・６２及びアンカーボルトナットセット・５０のナットで固定し、デザイン加除及び変更可能な一重格子パネルフェンスを固定する。独立柱（一重用）・ｄｐ１は工場組立品で、高さ寸法設定は使用状況、格子パネル高さ、格子パネル横幅及び風荷重により適切に設定決定するものとする。独立柱（一重用）・ｄｐ１で対応不可能な風荷重負担及び格子パネル高さの時は独立柱（一重用）・ｄｐ１の奥行方向ピッチ・ｄｐを２及び３と大きくし、独立柱（一重用）・ｄｐ２及びｄｐ３の位置を横幅方向ピッチ・ｗｐの倍数にて移動配置する。
【００７９】
図６３はデザイン加除及び変更可能な一重格子パネルフェンス同士が５０度から１７９度迄の自由角度内で、丁番機能を持つ出隅自在固定金具Ｃ・７１を介して接合する時の関係図である。６３ａは最頂位置の伏図で、６３ｂは中間位置の伏図で、６３ｃは中間位置以外の伏図で、６３ｄはベース位置の伏図である。６３ａは最頂位置で、６２ｂは中間位置で、６３ｄはベース位置でデザイン加除及び変更可能な一重格子パネルの縦構造格子材・５を丁番機能を持つ出隅自在固定金具Ｃ・７１と継手固定用四角軸付ボルトナットセット・５１で一重格子パネル相互の５０〜１７９度内で緊結している関係図である。６３ｅは６３ａ、６３ｂ、６３ｃ、６３ｄの正面図である。一重格子パネルを支持する独立柱（一重用）・ＤＰ１の位置、高さ及び奥行きは格子パネル高さ、格子パネル横幅及び風荷重により適切に設定決定するものとし、奥行きが独立柱（一重用）・ＤＰ１の倍数である独立柱（一重用）・ｄｐ２及びｄｐ３の時、位置を横幅方向ピッチ・ｗｐの倍数にて横移動配置する。
【００８０】
図６４はデザイン加除及び変更可能な一重格子パネルフェンス同士が最小角度５０度で、丁番機能を持つ出隅自在固定金具Ｃ・７１を介して接合する時の関係図である。６４ａは最頂位置の伏図で、６４ｂは中間位置の伏図である。６４ａは最頂位置で、６２ｂは中間位置でデザイン加除及び変更可能な一重格子パネルの縦構造格子材・５と丁番機能を持つ出隅自在固定金具Ｃ・７１を継手固定用四角軸付ボルトナットセット・５１でデザイン加除及び変更可能な一重格子パネル相互の最小角度５０度で緊結している関係図である。一重格子パネルを支持する独立柱（一重用）・ＤＰ１の位置及び高さは格子パネル高さ、格子パネル横幅及び風荷重により適切に設定決定するものとする。独立柱・ｄｐ１で対応不可能な風荷重負担及び格子パネル高さの時は独立柱（一重用）・ｄｐ１の奥行方向ピッチ・ｄｐを倍数比例で２及び３と大きくし、又、最小角度を５０度以下にする時は独立柱（一重用）・ｄｐ１、ｄｐ２、ｄｐ３の位置問題回避の為、現在地より位置を横幅方向ピッチ・ｗｐの倍数にて横移動配置する。
【００８１】
図６５は中間位置以外の位置で、デザイン加除及び変更可能な一重格子パネルフェンス同士が最小角度５０度で、自由角度で接合している時の関係図である。６４ｃは中間位置以外の伏図で、６４ｄはベース位置の伏図である。６４ｄはベース位置でデザイン加除及び変更可能な一重格子パネルの縦構造格子材・５と丁番機能を持つ出隅自在固定金具Ｃ・７１と継手固定用四角軸付ボルトナットセット・５１でデザイン加除及び変更可能な一重格子パネル相互の最小角度５０度で緊結している関係図である。６４ｃ及び６４ｄで一重格子パネルを支持する独立柱（一重用）・ＤＰ１の高さ及び位置は格子パネル高さ、格子パネル横幅及び風荷重により適切に設定決定するものとする。独立柱（一重用）・ｄｐ１で対応不可能な風荷重負担及び格子パネル高さの時は独立柱（一重用）・ｄｐ１の奥行方向ピッチ・ｄｐを２及び３と大きくし、現在地より位置を横幅方向ピッチ・ｗｐの倍数にて横移動配置する。
【００８２】
図６６は縦構造格子材・５、縦準構造格子材・６、装飾縦格子材・７、横構造格子材・８、横準構造格子材・９、装飾横格子・１０、繋材・１１、付加装飾材Ａ（自由加工）・１２、付加装飾材Ｂ（自由加工）・１３、支持材・１４の一般形であり、０００２にも述べているがデザイン加除及び変更可能な一重格子パネルシステム及びデザイン加除及び変更可能な二重格子パネルフェンスシステムの構成素材は特に断面形状、材質、表面表情、防錆を兼ねた表面処理は特に問わない。
【００８３】
図６７は付加装飾枠Ａ・１５の内部に同作装飾材・１７を有し、支持材・１４を固定足として持つ、付加装飾材Ａ−１〜５６・１２−１〜５６の一部拡大図である。
【００８４】
図６８は付加装飾枠ｂ・１６の内部に別作装飾材・１８を保持できる隙間を持ち、支持材・１４を固定足として持つ、付加装飾材Ａ−１〜５６・１２−１〜５６の一部拡大図である。
【００８５】
図６９は長角穴と角穴及び溝加工されたベース位置継手板Ａ・１９とベース位置継手板Ｂ・２０とベース位置継手板Ｃ・２１とベース位置継手板Ｄ・２２の概要図である。長角穴は付加装飾材Ａ（自由加工）・１２、付加装飾材Ｂ（自由加工）・１３を挿入可能な開口加工である。
【００８６】
図７０は長角穴と角穴及び溝加工されたベース位置ｔ継手板Ｅ−１・２３−１とベース位置ｔ継手板Ｅ−２・２３−２で形成されたベース位置ｔ継手板Ｅ・２３と長穴と角穴及び溝加工されたベース位置ｔ継手板Ｆ−１、２４−１とベース位置ｔ継手板Ｆ−２、２４−２で形成されたベース位置ｔ継手板Ｆ・２４の概要図である。長角穴は付加装飾材Ａ（自由加工）・１２、付加装飾材Ｂ（自由加工）・１３を挿入可能な開口加工である。
【００８７】
図７１は長角穴と角穴及び溝加工されたベース位置ｔ継手板Ｇ−１・２５−１とベース位置ｔ継手板Ｇ−２・２５−２で形成されたベース位置ｔ継手板Ｇ・２５とベース位置継手板Ｈ（Ｌ１１２）・２６とベース位置継手板Ｉ（Ｌ９４偏芯）・２７の概要図である。長角穴は付加装飾材Ａ（自由加工）・１２、付加装飾材Ｂ（自由加工）・１３を挿入可能な開口加工である。
【００８８】
図７２は長角穴と角穴と変形穴及び溝加工されたベース位置継手板Ｊ−１（へ形９１〜１７９）・２８−１とベース位置継手板Ｊ−２（へ形９１〜１７９）・２８−２で形成されたベース位置継手板Ｊ（へ形９１〜１７９）・２８及び長穴と角穴とアール加工及び溝加工されたベース位置継手板セットＡ・２９−１とベース位置継手板セットｂ・２９−２とベース位置継手板セット接合軸板・２９−３とベース位置継手板セット接合ボルトナットセット・２９−４で形成されたベース位置継手板セット（へ形自在角度９１〜１７９）・２９の概要図である。長角穴は付加装飾材Ａ（自由加工）・１２、付加装飾材Ｂ（自由加工）・１３を挿入可能な開口加工である。
【００８９】
図７３は長角穴と角穴と溝加工されたベース位置継手板右軸芯Ａ（レ型柱・４５〜８９）・３０とベース位置継手板右軸芯Ｂ（レ型柱・４５〜８９）・３１とベース位置継手板右軸芯Ｃ（レ型自在角度・４５〜８９）・３２とベース位置継手板右軸芯Ｄ（レ型自在角度・４５〜８９）・３３の概要図である。長角穴は付加装飾材Ａ（自由加工）・１２、付加装飾材Ｂ（自由加工）・１３を挿入可能な開口加工である。
【００９０】
図７４は長角穴と角穴と溝加工されたベース位置継手板壁取合板ａ・３４−１とベース位置継手板壁取合板ｂ・３４−２で形成されたベース位置継手板壁取合金具・３４及び長穴と角穴と変形穴及び溝加工された中間位置継手板Ａ・３５と中間位置継手板Ｂ・３６と中間位置継手板Ｃ（Ｔ型補助ｌ９８）・３７の概要図である。長角穴は付加装飾材Ａ（自由加工）・１２、付加装飾材Ｂ（自由加工）・１３を挿入可能な開口加工である。
【００９１】
図７５は長角穴と角穴及び溝加工された中間位置継手板Ｄ−１（へ型・９１〜１７９）・３８−１と中間位置継手板Ｄ−２（へ型・９１〜１７９）・３８−２で形成された中間位置継手板Ｄ（へ型・９１〜１７９）・３８と長穴と角穴とアール加工及び溝加工された中間位置継手板セットＡ・３９−１と中間位置継手板セットＢ・３９−２と中間位置継手板セット接合軸板・３９−３とベース位置継手板セット接合ボルトナットセット・２９−４で形成された中間位置継手板セット（へ型自在角度・９１〜１７９）・３９及び中間位置継手板壁取合金具・４０の概要図である。長角穴は付加装飾材Ａ（自由加工）・１２、付加装飾材Ｂ（自由加工）・１３を挿入可能な開口加工である。
【００９２】
図７６は長角穴と角穴と溝加工された最頂位置継手板Ａ・４１と最頂位置継手板Ｂ・４２と最頂位置継手板Ｃ・４３及び長穴と角穴及び溝加工された最頂位置継手板Ｄ−１（へ型９１〜１７９）・４４−１と最頂位置継手板Ｄ−２（へ型９１〜１７９）・４４−２で形成された最頂位置継手板Ｄ（へ型９１〜１７９）・４４である。長角穴は付加装飾材Ａ（自由加工）・１２、付加装飾材Ｂ（自由加工）・１３を挿入可能な開口加工である。
【００９３】
図７７は長角穴と角穴とアール加工及び溝加工された最頂位置継手板セットＡ・４５−１と最頂位置継手板セットＢ・４５−２と最頂位置継手板セット接合軸板・４５−３とベース位置継手板セット接合ボルトナットセット・２９−４で形成された最頂位置継手板セット（へ型自在角度）・４５及び最頂位置継手板壁取合金具・４６の概要図である。長角穴は付加装飾材Ａ（自由加工）・１２、付加装飾材Ｂ（自由加工）・１３を挿入可能な開口加工である。
【００９４】
図７８は長角穴と角穴と曲げ又は溝加工された継手押え金Ａ・４７と継手押え金Ｃ・４７ａ及び継手押え金Ｂ−１（へ型・９１〜１７９）・４８−１と継手押え金Ｂ−２（へ型・９１〜１７９）・４８−２で形成された継手押え金Ｂ（へ型・９１〜１７９）・４８の概要図である。長角穴は付加装飾材Ａ（自由加工）・１２、付加装飾材Ｂ（自由加工）・１３を挿入可能な開口加工である。
【００９５】
図７９は長角穴と角穴と溝加工された連結板（Ｔ型継手部）・４９とアンカーボルトナットセット・５０と継手固定用四角軸付ボルトナットセット・５１と壁取り付け用アンカーボルトナットセット・５２とベース下長座金Ａ・５３及びベース下長座金Ｂ（へ型・９１〜１７９）・５４の概要図である。長角穴は付加装飾材Ａ（自由加工）・１２、付加装飾材Ｂ（自由加工）・１３を挿入可能な開口加工である。
【００９６】
図８０は変形穴加工されたベース下長座金Ｃ（レ型柱・４５〜８９・変六角）・５５及び長穴加工されたベース挟み板Ａ・５６とベース挟み板Ｂ（へ型・９１〜１７９）・５７とベース挟み板Ｃ（レ型柱・４５〜８９）・５８の概要図である。
【００９７】
図８１は長穴と溝加工されたベース位置押え金具Ａ・５９と長穴加工されたベース位置押え金具Ｂ（へ型・９１〜１７９）・６０とベース位置押え金具Ｃ（レ型柱・４５〜８９）・６１及び穴加工された角座金（本体固定アンカー用）・６２と大型丸座金（壁取付アンカー用）・６３の概要図である。
【００９８】
図８２はベース位置ｌ型右軸芯カバーａ（現場自在角度４５〜８９）・６４−１とベース位置ｌ型右軸芯カバーｂ（現場自在角度４５〜８９）・６４−２とベース位置ｌ型右軸芯カバーｃ（現場自在角度４５〜８９）・６４−３とベース位置ｌ型右軸芯カバーｄ（現場自在角度４５〜８９）・６４−４とベース位置ｌ型右軸芯ボルト（現場自在角度４５〜８９）・６４−５とベース位置ｌ型右軸芯厚み調整板（現場自在角度４５〜８９）・６４−６とベース位置ｌ型右軸芯固定小螺子（現場自在角度４５〜８９）・６４−７で形成したベース位置ｌ型右軸芯セット（現場自在角度４５〜８９）・６４及び角穴と溝加工された接合金具（格子パネル＋柱）・６５とベース位置継手板Ｋ・６６の概要図である。
【００９９】
図８３は長穴と溝加工されたベース位置押え金具ｄ・６７と長穴加工されたベース下長座金Ｄ・６８と角穴と曲げ又は溝加工された出隅固定金具Ａ・６９と出隅固定金具Ｂ・７０の概要図である。
【０１００】
図８４は出隅自在固定金具Ｃの概要図である。
【図面の簡単な説明】
【０１０１】
【図１】草木をイメージ加工した付加装飾材Ａ・１２、Ｂ・１３及び交差金具の使用例
【図２】縦横構造部材で構成した基本パネル図
【図３】交差金具Ａ・１の詳細図
【図４】交差金具Ｂ・２の詳細図
【図５】交差金具Ｃ・３の詳細図
【図６】交差金具Ｄ・４の詳細図
【図７】縦横材（構造材と準構造材と装飾材）を使用した例の正面図，各位置伏図
【図８】縦横構造材と縦準構造材と横装飾材を使用した例
【図９】縦横材（構造材と準構造材と装飾材）を使用した例
【図１０】縦横構造部材で構成した基本パネルに加除可能なデザインを配した使用例
【図１１】縦横構造部材で構成した基本パネルに加除可能なデザインを配した使用例
【図１２】縦横構造部材で構成した基本パネルに加除可能なデザインを配した使用例
【図１３】縦横構造部材で構成した基本パネルに加除可能なデザインを配した使用例
【図１４】縦横構造部材で構成した基本パネルに加除可能なデザインを配した使用例
【図１５】縦横構造部材で構成した基本パネルに加除可能なデザインを配した使用例
【図１６】縦横構造部材で構成した基本パネルに加除可能なデザインを配した使用例
【図１７】縦横構造部材で構成した基本パネルに加除可能なデザインを配した使用例
【図１８】縦横構造部材で構成した基本パネルに加除可能なデザインを配した使用例
【図１９】縦横構造部材で構成した基本パネルに加除可能なデザインを配した使用例
【図２０】縦横構造部材で構成した基本パネルに忍返しを兼ねた加除可能なデザイン例
【図２１】二重格子パネルフェンスでの鋭角部，鈍角部検証配置図
【図２２】二重格子パネルフェンスでの各部検証配置図
【図２３】二重格子パネルフェンス・図２２中２２ａ部、２３ａ〜ｂ詳細図
【図２４】二重格子パネルフェンス・図２２中２２ａ部、２３ｃ〜ｆ詳細図
【図２５】二重格子パネルフェンス・図２２中２２ｊ部、２５ａ〜ｅ詳細図
【図２６】二重格子パネルフェンス・図２２中２２ｊ部、２５ｆ〜ｉ詳細図
【図２７】二重格子パネルフェンス・図２２中２２ｋ部、２７ａ〜ｄ詳細図
【図２８】二重格子パネルフェンス・図２２中２２ｋ部、２７ｅ〜ｇ詳細図
【図２９】二重格子パネルフェンス・図２２中２２L部、２９ａ〜ｃ詳細図
【図３０】二重格子パネルフェンス・図２２中２２L部、２９ｄ〜ｆ詳細図
【図３１】二重格子パネルフェンス・図２２中２２L部、２９ｇ詳細図
【図３２】二重格子パネルフェンス・図２２中２２ｍ部、３２ａ〜ｂ詳細図
【図３３】二重格子パネルフェンス・図２２中２２ｍ部、３２ｃ〜ｅ詳細図
【図３４】二重格子パネルフェンス・図２２中２２ｍ部、３２ｆ〜ｇ詳細図
【図３５】二重格子パネルフェンス・図２２中２２ｆ部、３５ａ〜ｅ詳細図
【図３６】二重格子パネルフェンス・図２２中２２ｇ部、３６ａ〜ｃ詳細図
【図３７】二重格子パネルフェンス・図２２中２２ｇ部、３６ｄ〜ｅ詳細図
【図３８】二重格子パネルフェンス・図２２中２２ｈ部、３８ａ〜ｂ詳細図
【図３９】二重格子パネルフェンス・図２２中２２ｈ部、３８ｃ〜ｄ詳細図
【図４０】二重格子パネルフェンス・図２２中２２ｉ部、４０ａ〜ｂ詳細図
【図４１】二重格子パネルフェンス・図２２中２２ｉ部、４０ｃ〜ｄ詳細図
【図４２】二重格子パネルフェンス・図２２中２２ｂ部、４２ａ〜ｄ詳細図
【図４３】二重格子パネルフェンス・図２２中２２ｃ部、４３ａ〜ｄ詳細図
【図４４】二重格子パネルフェンス・図２２中２２ｃ部、４３ｅ〜ｈ詳細図
【図４５】二重格子パネルフェンス・図２２中２２ｄ部、４５ａ〜ｄ詳細図
【図４６】二重格子パネルフェンス・図２２中２２ｄ部、４５ｅ〜ｇ詳細図
【図４７】二重格子パネルフェンス・図２２中２２ｄ部、４５ｈ〜ｉ詳細図
【図４８】二重格子パネルフェンス・図２２中２２ｅ部、４８ａ〜ｂ詳細図
【図４９】二重格子パネルフェンス・図２２中２２ｅ部、４８ｃ〜ｅ詳細図
【図５０】二重格子パネルフェンス・図２２中２２ｅ部、４８ｆ〜ｈ詳細図
【図５１】二重格子パネルフェンス・図２１中２１ａ部、５１ａ〜ｂ詳細図
【図５２】二重格子パネルフェンス・図２１中２１ａ部、５１ｃ〜ｄ詳細図
【図５３】二重格子パネルフェンス・図２１中２１ｂ部、５３ａ〜ｄ詳細図
【図５４】二重格子パネルフェンス・図２１中２１ｂ部、５３ｅ〜ｇ詳細図
【図５５】二重格子パネルフェンス・図２１中２１ｃ部、５５ａ〜ｂ詳細図
【図５６】二重格子パネルフェンス・図２１中２１ｃ部、５５ｃ〜ｄ詳細図
【図５７】二重格子パネルフェンス・図２１中２１ｄ部、５７ａ〜ｂ詳細図
【図５８】二重格子パネルフェンス・図２１中２１ｄ部、５７ｃ〜ｄ詳細図
【図５９】一重格子パネルフェンス相互継手と独立柱・ＤＰ１取合詳細図、５９ａ〜ｄ
【図６０】一重格子パネルフェンス相互継手と独立柱・ＤＰ２取合詳細図、６０ａ〜ｄ
【図６１】一重格子パネルフェンス相互継手と独立柱・ＤＰ３取合詳細図、６１ａ〜ｄ
【図６２】一重格子パネルフェンス出入隅９０度・取合詳細図、６２ａ〜ｃ
【図６３】一重格子パネルフェンス出入隅５０〜１７９度自在角度・取合詳細図、６３ａ〜ｅ
【図６４】一重格子パネルフェンス出入隅５０度最小角度・取合詳細図、６４ａ〜ｂ
【図６５】一重格子パネルフェンス出入隅５０度最小角度・取合詳細図、６４ｃ〜ｄ
【図６６】部品符号５〜１４共通部品概要図
【図６７】部品符号１４，付加装飾枠Ａ・１５、同作装飾材・１７  取合一般図
【図６８】部品符号１４，付加装飾枠Ｂ・１６、別作装飾材・１８  取合一般図
【図６９】部品符号１９〜２２部品概要図
【図７０】部品符号２３〜２４部品概要図
【図７１】部品符号２５〜２７部品概要図
【図７２】部品符号２８〜２９部品概要図
【図７３】部品符号３０〜３３部品概要図
【図７４】部品符号３４〜３７部品概要図
【図７５】部品符号３８〜４０部品概要図
【図７６】部品符号４１〜４４部品概要図
【図７７】部品符号４５〜４６部品概要図
【図７８】部品符号４７〜４８部品概要図
【図７９】部品符号４９〜５４部品概要図
【図８０】部品符号５５〜５８部品概要図
【図８１】部品符号５９〜６３部品概要図
【図８２】部品符号６４〜６６部品概要図
【図８３】部品符号６７〜７０部品概要図
【図８４】部品符号７１部品概要図
【符号の説明】
【０１０２】
１                交差金具Ａ
１ａ              4本足付ボルトＡ
１ｂ              ガイド座金
１ｃ              回転軸付ガイドナット
１ｄ              自在回転可能付加装飾材保持金具Ａ
１ｅ                自在回転可能付加装飾材保持金具Ｂ
１ｆ                自在回転可能付加装飾材保持金具Ｃ
１ｇ                自在回転可能付加装飾材保持金具Ｄ
１ｈ                接合ボルトＡ
１ｉ                接合ボルトＢ
２                  交差金具Ｂ
２ａ                4本足付ボルトＢ
２ｂ                自在回転可能付加装飾材保持金具Ｅ
２ｃ                自在回転可能付加装飾材保持金具Ｆ
２ｄ                自在回転可能付加装飾材保持金具Ｇ
２ｅ                自在回転可能付加装飾材保持金具Ｈ
３                  交差金具Ｃ
４                  交差金具Ｄ
４ａ                回転軸無ガイドナット
５                  縦構造格子材
６                  縦準構造格子材
７                  装飾縦格子材
８                  横構造格子材
９                  横準構造格子材
１０                装飾横格子材
１１                繋材
１２                付加装飾材Ａ（自由加工）
１２−１            付加装飾材Ａ−１
１２−２            付加装飾材Ａ−２
１２−３            付加装飾材Ａ−３
１２−４          付加装飾材Ａ−４
１２−５          付加装飾材Ａ−５
１２−６            付加装飾材Ａ−６
１２−７            付加装飾材Ａ−７
１２−８            付加装飾材Ａ−８
１２−９            付加装飾材Ａ−９
１２−１０          付加装飾材Ａ−１０
１２−１１          付加装飾材Ａ−１１
１２−１２          付加装飾材Ａ−１２
１２−１３          付加装飾材Ａ−１３
１２−１４          付加装飾材Ａ−１４
１２−１５          付加装飾材Ａ−１５
１２−１６          付加装飾材Ａ−１６
１２−１７          付加装飾材Ａ−１７
１２−１８          付加装飾材Ａ−１８
１２−１９          付加装飾材Ａ−１９
１２−２０          付加装飾材Ａ−２０
１２−２１          付加装飾材Ａ−２１
１２−２２          付加装飾材Ａ−２２
１２−２３          付加装飾材Ａ−２３
１２−２４          付加装飾材Ａ−２４
１２−２５          付加装飾材Ａ−２５
１２−２６          付加装飾材Ａ−２６
１２−２７          付加装飾材Ａ−２７
１２−２８          付加装飾材Ａ−２８
１２−２９          付加装飾材Ａ−２９
１２−３０          付加装飾材Ａ−３０
１２−３１          付加装飾材Ａ−３１
１２−３２          付加装飾材Ａ−３２
１２−３３          付加装飾材Ａ−３３
１２−３４          付加装飾材Ａ−３４
１２−３５          付加装飾材Ａ−３５
１２−３６          付加装飾材Ａ−３６
１２−３７          付加装飾材Ａ−３７
１２−３８          付加装飾材Ａ−３８
１２−３９          付加装飾材Ａ−３９
１２−４０          付加装飾材Ａ−４０
１２−４１          付加装飾材Ａ−４１
１２−４２          付加装飾材Ａ−４２
１２−４３          付加装飾材Ａ−４３
１２−４４          付加装飾材Ａ−４４
１２−４５          付加装飾材Ａ−４５
１２−４６          付加装飾材Ａ−４６
１２−４７          付加装飾材Ａ−４７
１２−４８          付加装飾材Ａ−４８
１２−４９          付加装飾材Ａ−４９
１２−５０          付加装飾材Ａ−５０
１２−５１          付加装飾材Ａ−５１
１２−５２          付加装飾材Ａ−５２
１２−５３          付加装飾材Ａ−５３
１２−５４          付加装飾材Ａ−５４
１２−５５          付加装飾材Ａ−５５
１２−５６          付加装飾材Ａ−５６
１３                付加装飾材Ｂ（自由加工）
１４                支持材
１５                付加装飾枠Ａ
１６                付加装飾枠Ｂ
１７                同作装飾材
１８                別作装飾材
１９                ベース位置継手板Ａ
２０                ベース位置継手板Ｂ
２１                ベース位置継手板Ｃ
２２                 ベース位置継手板Ｄ
２３                ベース位置Ｔ継手板Ｅ
２３−１            ベース位置Ｔ継手板Ｅ−１
２３−２            ベース位置Ｔ継手板Ｅ−２
２４                ベース位置Ｔ継手板Ｆ
２４−１            ベース位置Ｔ継手板Ｆ−１
２４−２            ベース位置Ｔ継手板Ｆ−２
２５                ベース位置Ｔ継手板Ｇ
２５−１      ベース位置Ｔ継手板Ｇ−１
２５−２            ベース位置Ｔ継手板Ｇ−２
２６                ベース位置継手板Ｈ（Ｌ１１２）
２７                ベース位置継手板Ｉ（Ｌ９４偏芯）
２８                ベース位置継手板Ｊ（へ形９１〜１７９）
２８−１            ベース位置継手板Ｊ−１（へ形９１〜１７９）
２８−２            ベース位置継手板Ｊ−２（へ形９１〜１７９）
２９                ベース位置継手板セット（へ形自在角度９１〜１７９）
２９−１            ベース位置継手板セットＡ
２９−２      ベース位置継手板セットＢ
２９−３            ベース位置継手板セット接合軸板
２９−４            ベース位置継手板セット接合ボルトナットセット
３０                ベース位置継手板右軸芯Ａ（レ型柱・４５〜８９）
３１                ベース位置継手板右軸芯Ｂ（レ型柱・４５〜８９）
３２                ベース位置継手板右軸芯Ｃ（レ型自在角度・４５〜８９）
３３                ベース位置継手板右軸芯Ｄ（レ型自在角度・４５〜８９）
３４                ベース位置継手板壁取合金具
３４−１            ベース位置継手板壁取合板Ａ
３４−２            ベース位置継手板壁取合板Ｂ
３５                中間位置継手板Ａ
３６                中間位置継手板Ｂ
３７                中間位置継手板Ｃ（Ｔ型補助L９８）
３８                中間位置継手板Ｄ（へ型・９１〜１７９）
３８−１            中間位置継手板Ｄ−１（へ型・９１〜１７９）
３８−２            中間位置継手板Ｄ−２（へ型・９１〜１７９）
３９                中間位置継手板セット（へ型自在角度・９１〜１７９）
３９−１      中間位置継手板セットＡ
３９−２            中間位置継手板セットＢ
３９−３            中間位置継手板セット接合軸板
４０                中間位置継手板壁取合金具
４１                最頂位置継手板Ａ
４２                最頂位置継手板Ｂ
４３                最頂位置継手板Ｃ
４４                最頂位置継手板Ｄ（へ型９１〜１７９）
４４−１            最頂位置継手板Ｄ−１（へ型９１〜１７９）
４４−２            最頂位置継手板Ｄ−２（へ型９１〜１７９）
４５                最頂位置継手板セット（へ型自在角度）
４５−１            最頂位置継手板セットＡ
４５−２            最頂位置継手板セットＢ
４５−３            最頂位置継手板セット接合軸板
４６                最頂位置継手板壁取合金具
４７                継手押え金Ａ
４７ａ              継手押え金Ｃ
４８                継手押え金Ｂ（へ型・９１〜１７９）
４８−１            継手押え金Ｂ−１（へ型・９１〜１７９）
４８−２            継手押え金Ｂ−２（へ型・９１〜１７９）
４９                連結板（Ｔ型継手部）
５０                アンカーボルトナットセット
５１                継手固定用四角軸付ボルトナットセット
５２                壁取り付け用アンカーボルトナットセット
５３        ベース下長座金Ａ
５４        ベース下長座金Ｂ（へ型・９１〜１７９）
５５                ベース下長座金Ｃ（レ型柱・４５〜８９・変六角）
５６                ベース挟み板Ａ
５７                ベース挟み板Ｂ（へ型・９１〜１７９）
５８                ベース挟み板Ｃ（レ型柱・４５〜８９）
５９                ベース位置押え金具Ａ
６０                ベース位置押え金具Ｂ（へ型・９１〜１７９）
６１               ベース位置押え金具Ｃ（レ型柱・４５〜８９）
６２                角座金（本体固定アンカー用）
６３                大型丸座金（壁取付アンカー用）
６４                ベース位置ｌ型右軸芯セット（現場自在角度４５〜８９）
６４−１            ベース位置ｌ型右軸芯カバーＡ（現場自在角度４５〜８９）
６４−２            ベース位置ｌ型右軸芯カバーＢ（現場自在角度４５〜８９）
６４−３            ベース位置ｌ型右軸芯カバーＣ（現場自在角度４５〜８９）
６４−４            ベース位置ｌ型右軸芯カバーＤ（現場自在角度４５〜８９）
６４−５            ベース位置ｌ型右軸芯ボルト（現場自在角度４５〜８９）
６４−６            ベース位置ｌ型右軸芯厚み調整板（現場自在角度４５〜８９）
６４−７            ベース位置ｌ型右軸芯固定小螺子（現場自在角度４５〜８９）
６５                接合金具（格子パネル＋柱）
６６                ベース位置継手板Ｋ
６７                ベース位置押え金具Ｄ
６８              ベース下長座金Ｄ
６９              出隅固定金具Ａ
７０              出隅固定金具Ｂ
７１              出隅自在固定金具Ｃ
ＫＰＧ            格子フェンスパネル外部側
ＫＰＵ            格子フェンスパネル内部側
ＳＰ１              後付柱（二重用）
ＳＰ２              後付柱（二重用）
ＳＰ３              後付柱（二重用）
ＩＰ１              中柱（二重用）
ＩＰ２              中柱（二重用）
ＩＰ３              中柱（二重用）
ＥＰ               端部柱（二重用）
ＥＰ１              端部柱（二重用）
ＥＰ２              端部柱（二重用）
ＥＰ３            端部柱（二重用）
ＥＬＰ            鋭角レ型柱（二重用・４５〜８９）
ＥＬＰＦ          鋭角レ型柱自在角度タイプ（二重用・４５〜８９）
ＤＬＰ            鈍角へ型柱（二重用・９１〜１７９）
ＤＬＰＦ            鈍角へ型柱自在角度タイプ（二重用・９１〜１７９）
ＬＰ                出入隅柱（二重用）
ＤＰＩ              独立柱（一重用）
ＤＰ２              独立柱（一重用）
ＤＰ３            独立柱（一重用）
ＷＰ              横幅方向ピッチ
ＨＰ              縦幅方向ピッチ
ＤＰ              奥行方向ピッチ
【図１】
2007100413.tif 000003
【図２】
2007100413.tif 000004
【図３】
2007100413.tif 000005
【図４】
2007100413.tif 000006
【図５】
2007100413.tif 000007
【図６】
2007100413.tif 000008
【図７】
2007100413.tif 000009
【図８】
2007100413.tif 000010
【図９】
2007100413.tif 000011
【図１０】
2007100413.tif 000012
【図１１】
2007100413.tif 000013
【図１２】
2007100413.tif 000014
【図１３】
2007100413.tif 000015
【図１４】
2007100413.tif 000016
【図１５】
2007100413.tif 000017
【図１６】
2007100413.tif 000018
【図１７】
2007100413.tif 000019
【図１８】
2007100413.tif 000020
【図１９】
2007100413.tif 000021
【図２０】
2007100413.tif 000022
【図２１】
2007100413.tif 000023
【図２２】
2007100413.tif 000024
【図２３】
2007100413.tif 000025
【図２４】
2007100413.tif 000026
【図２５】
2007100413.tif 000027
【図２６】
2007100413.tif 000028
【図２７】
2007100413.tif 000029
【図２８】
2007100413.tif 000030
【図２９】
2007100413.tif 000031
【図３０】
2007100413.tif 000032
【図３１】
2007100413.tif 000033
【図３２】
2007100413.tif 000034
【図３３】
2007100413.tif 000035
【図３４】
2007100413.tif 000036
【図３５】
2007100413.tif 000037
【図３６】
2007100413.tif 000038
【図３７】
2007100413.tif 000039
【図３８】
2007100413.tif 000040
【図３９】
2007100413.tif 000041
【図４０】
2007100413.tif 000042
【図４１】
2007100413.tif 000043
【図４２】
2007100413.tif 000044
【図４３】
2007100413.tif 000045
【図４４】
2007100413.tif 000046
【図４５】
2007100413.tif 000047
【図４６】
2007100413.tif 000048
【図４７】
2007100413.tif 000049
【図４８】
2007100413.tif 000050
【図４９】
2007100413.tif 000051
【図５０】
2007100413.tif 000052
【図５１】
2007100413.tif 000053
【図５２】
2007100413.tif 000054
【図５３】
2007100413.tif 000055
【図５４】
2007100413.tif 000056
【図５５】
2007100413.tif 000057
【図５６】
2007100413.tif 000058
【図５７】
2007100413.tif 000059
【図５８】
2007100413.tif 000060
【図５９】
2007100413.tif 000061
【図６０】
2007100413.tif 000062
【図６１】
2007100413.tif 000063
【図６２】
2007100413.tif 000064
【図６３】
2007100413.tif 000065
【図６４】
2007100413.tif 000066
【図６５】
2007100413.tif 000067
【図６６】
2007100413.tif 000068
【図６７】
2007100413.tif 000069
【図６８】
2007100413.tif 000070
【図６９】
2007100413.tif 000071
【図７０】
2007100413.tif 000072
【図７１】
2007100413.tif 000073
【図７２】
2007100413.tif 000074
【図７３】
2007100413.tif 000075
【図７４】
2007100413.tif 000076
【図７５】
2007100413.tif 000077
【図７６】
2007100413.tif 000078
【図７７】
2007100413.tif 000079
【図７８】
2007100413.tif 000080
【図７９】
2007100413.tif 000081
【図８０】
2007100413.tif 000082
【図８１】
2007100413.tif 000083
【図８２】
2007100413.tif 000084
【図８３】
2007100413.tif 000085
【図８４】
2007100413.tif 000086
【手続補正書】
【提出日】平成18年6月8日(2006.6.8)
【手続補正１】
【補正対象書類名】特許請求の範囲
【補正対象項目名】全文
【補正方法】変更
【補正の内容】
【特許請求の範囲】
【請求項１】
縦横構造格子材と加除及び変更可能な縦横準構造格子材、加除及び変更可能な装飾縦横格子材、縦横構造格子材と平行で２方向の自在角度方向性を持つ加除及び変更可能な付加装飾材、加除及び変更可能な付加装飾枠Ａ及び Ｂ、加除及び変更可能な付加装飾図柄及び枠、交差金具Ａ、 Ｂ、Ｃ及びＤ、縦横構造格子材で構成された柱、縦横構造格子材と平行で２方向の自在角度方向性を持つ加除及び変更可能な付加装飾材を挿入可能な長角穴を有する金具類及び付属する金具類の一部又は全てを含み構成される一重及び二重の面を有するデザイン加除及び変更可能な格子パネルフェンスシステム
【請求項２】
縦横構造格子材と加除及び変更可能な縦横準構造格子材、加除及び変更可能な装飾縦横格子材、平行で２方向の自在角度方向性を持つ加除及び変更可能な付加装飾材、加除及び変更可能な付加装飾材、加除及び変更可能な付加装飾枠Ａ及び Ｂ、加除及び変更可能な付加装飾図柄及び枠を保持する為、自在回転機能と内部接触保持面にアール面を有し、縦横構造格子材、縦横準構造格子材、装飾縦横格子材に位置固定する交差金具Ａ、 Ｂ、Ｃ及びＤ
【請求項３】
基礎構造体内に格子パネルシフェンスシステムを保持する縦横構造格子材で構成された柱を挿入固着すること無く、基礎構造体より突出したボルトでデザイン加除及び変更可能な格子パネルフェンスステムを保持するシステム
【請求項４】
格子パネルフェンスシステムを基礎構造体内に保持固定する為、格子パネルフェンス及びデザイン加除及び変更可能な格子パネルフェンスシステムを保持する縦横構造格子材で構成された柱を基礎構造体内アンカーボルトセットでデザイン加除及び変更可能な格子パネルフェンスシステムを保持するシステム
【手続補正２】
【補正対象書類名】明細書
【補正対象項目名】全文
【補正方法】変更
【補正の内容】
【発明の詳細な説明】
【技術分野】
【０００１】
本発明は購入者及びデザイン設計者が格子フェンスを発注し購入設置する場合、自由デザイン及び指定仕様で製作する高価な特注仕様、又は規格格子フェンスを製作し販売している会社から購入する、の２方法しかなかった。一般的には格子フェンス製造会社より提供される数少ない規格デザインよりしか選択できない不自由なデザイン選択環境状況を改善し、自由なデザイン発現可能な空間領域を有し、且つ自由にデザイン加除可能な方法を用いることにより、景観整備向上を達成し、将来に亘りデザイン加除変更が可能となり、快適な空間を長期に亘り共有可能なデザイン加除及び変更可能な格子パネルフェンスシステムであり、門扉及び面格子類にも適用可能である。
【０００２】
デザイン加除及び変更可能な格子パネルフェンスシステムには無垢材、及び各種パイプ類が使用可能で、形状断面の一例として四角形、三角形、円形、ロイヤルライン、楕円形、異形楕円形、六角形、八角形、半円形、長方形、甲丸形、溝形、両溝形、Ｄ形、台形、笠木形、等辺アングル、不等辺アングル、不等厚アングル、Ｈ形、Ｃ形、ＣＴ形、Ｃ形半円形、コンプレッションバー、ラウンドフラットバー、ラインバー、各種曲加工形状及び押出型形状等が使用可能である。材質は金属全般、木材、化成品，陶器類等、前述形状等が成型、押出又は鋳込み及び固体の組合せで通常加工時及び設置時期において、形状保持維持ができる材質であれば特に問わないし、表面形状、防錆処理、表面仕上げ処理は使用場所、目的及び使用材質により適正な方法を選択採用するものとし、表面仕上げ処理は鏡面仕上げ、鍛鉄風仕上げ、生地仕上げ、各種塗装仕上げ等、特に限定しない。縦横構造格子材と加除及び変更可能な縦横準構造格子材，加除及び変更可能な装飾縦横格子材の接合は使用材質に適した適正な各種溶接、鋳込み及びボルト接合、リベット接合、釘接合、接着接合等より選択実施するものとする。
【０００３】
縦横構造格子材と加除及び変更可能な縦横準構造格子材、加除及び変更可能な装飾縦横格子材、平行で２方向の自在角度方向性を持つ加除及び変更可能な付加装飾材，加除及び変更可能な付加装飾材、加除及び変更可能な付加装飾枠Ａ及び Ｂ、加除及び変更可能な付加装飾図柄、枠及び支持材等と、相互位置固定する為に交差金具Ａ、 Ｂ、Ｃ及びＤを使用するものとする。
【背景技術】
【０００４】
格子フェンスは多種類存在するが自由デザイン及び規格デザインであっても、設置後デザイン変更が出来ない工法が主流で購入者及びデザイン設計者が後日デザイン変更する余地が無い。計画段階から設置後も、デザインを購入者の意図により自由に加除及び変更可能な格子パネルフェンスシステムが存在しなかった。下記に例を記す。
【０００５】
特開２０００−１０９３８６ではデザインを表現する形状素材そのものであり、且つ縦横格子材に嵌挿し矩形又は一方向性のみでのデザイン表現方法となっていて滑らかなデザイン表現にある一定の規制が生じている。デザイン加除及び変更可能な機能システムは不備である。
【０００６】
特開２０００−５４６９１規格フェンスメーカー推薦のデザインを格子フェンスに固定し、供給している例である。通常の格子フェンスに茎を通す為の空間が無くても植物は自由自在に自生するものであり、デザイン加除及び変更可能な機能システムは不備である。
【０００７】
特開２００１−９８７９６では通常の自由角度ヒンジ付近にダミー縦桟を配しヒンジ付近の隙間を補完補充するものである。規格フェンスを任意の位置で調整切断しない為に生じる事を補正する補正措置発明である為、配置を考慮すれば十分に補完できる。
【０００８】
特開平６−２６４４１９では格子フェンスの機能を保持したまま多様のデザインを創造するとあるが提案されている以上の自由な発想発展あるデザインを付加又は変更する事が出来ない。
【０００９】
実開平６−３２６３２では支柱不要のメッシュフェンスであるが、一重の格子フェンスの一端、両端又は中央部をく形に曲げ支柱の代用として使用している。主たる発明であるデザイン加除及び変更可能な機能システムは不備である。
【００１０】
実開平６−６２１４７では相対向する線格子フェンス体同士のみを連結する連結具であり、主たる発明であるデザイン加除及び変更可能な機能システムは不備である。
【特許文献１】特開２０００−１０９３８６
【特許文献２】特開２０００−５４６９１
【特許文献３】特開２００１−９８７９６
【特許文献４】特開平６−２６４４１９
【特許文献５】実開平６−３２６３２
【特許文献６】実開平６−６２１４７
【発明の開示】
【発明が解決しようとする課題】
【００１１】
現在使用されている格子フェンスはフェンスパネルを位置保持する為に柱材を基礎構造体の状況に因り自由間隔に配し、基礎構造体にコンクリート等充填固定材を介し固着し、格子フェンスを保持固定している。一般的に上下水平材に一定間隔で縦材が配置固定された単純なデザインが中心であり、柱材の配置間隔との整合性が無い為、格子フェンス材の縦材と柱との位置が不揃いとなり、美観上見苦しく、無策の状態が常態化している。デザインは供給側よりの一方的な提供となり、購入側の意向は殆ど反映されず、デザインを重視すると個別発注生産となり、高価格での購入となっている。購入側の希望する価格帯で、且つ、自由なデザインの発現が可能なデザイン加除及び変更可能な格子パネルシステムが無かった。
【課題を解決するための手段】
【００１２】
縦横構造格子材・５及び８と加除及び変更可能な縦横準構造格子材・６及び９、加除及び変更可能な装飾縦横格子材・７及び１０、縦横構造格子材・５及び８と平行で２方向の自在角度方向性を持つ加除及び変更可能な付加装飾材・１２及び１３、加除及び変更可能な付加装飾枠地Ａ・１５及び Ｂ・１６、加除及び変更可能な付加装飾図柄及び枠・１２−１〜５６、交差金具Ａ・１、 Ｂ・２、Ｃ・３及びＤ・４、縦横構造格子材・５及び８で構成された柱、付属する金具類、の一部又は全てを含み構成される一重及び二重の面を有する格子パネルフェンスシステム及び縦横構造格子材・５及び８と加除及び変更可能な縦横準構造格子材・６及び９、加除及び変更可能な装飾縦横格子材・７及び１０、平行で２方向の自在角度方向性を持つ加除及び変更可能な付加装飾材・１２及び１３、加除及び変更可能な付加装飾枠Ａ・１５及び Ｂ・１６、加除及び変更可能な付加装飾図柄及び枠・１２−１〜５６を保持し、縦横構造格子材・５及び８、縦横準構造格子材・６及び９、装飾縦横格子材・７及び１０に位置固定する交差金具Ａ・１、 Ｂ・２、Ｃ・３及びＤ・４、と格子パネルフェンスシステムを基礎構造体内に格子パネルシフェンスステムを保持する縦横構造格子材・５及び８で構成された柱を挿入固着すること無く、基礎構造体より突出したアンカーボルトナットセット・５０で保持するシステムを採用する事により、又、格子パネルフェンスシステムを保持固定する為、基礎構造体内に固定する方法を目的・状況に応じ採用する事で課題を克服することができる。
【００１３】
従来の規格格子フェンスは柱材、上下横桟と縦格子桟の単純なデザインを基本に構成され、景観環境向上に必要不可欠なデザインの追加及び変更の余地が殆んど無い。
【００１４】
従来の規格格子フェンスは軽量化、規格化が進み、薄肉のパイプ及び押出し型材が多用され、環境劣化時下では腐食劣化が避けられず補修目的の相対コストがアップし、最悪の状態ではフェンス柱及び基礎構造体も解体の対象となり、新規施工金額以上の金額が発生し、且つ長期工期が必要となる。又、柱材、上下横桟と縦格子桟の相互留付強度もリベット留めが多用され十分に強度が確保されず、小さな作用力でも変形し破壊し易い。
【００１５】
従来の特注格子フェンスは相互協議の上、図面承認後製作取り付けされるが、中途及び施工完了後の環境変化及び価値観変化等によるデザイン変更の具現化は皆無に近く、多少に拘わらずデザイン変更には多大な経費を要することになる。
【発明の効果】
【００１６】
デザイン加除及び変更可能な格子パネルフェンスシステムを実施する事により、多様なデザイン創出が施工中及び完了後でも可能となり、景観環境向上が低コストで可能となる。柱材を基礎に施工時挿入固定しないで基礎構造体にアンカーボルト・５０を固定しベース材を介してフェンス本体を固定保持している為、フェンス補修が発生しても軽微な解体修復工事で済み、フェンス及び柱材の再利用も可能となり、環境保全保護にも貢献でき、社会全体コストを下げる効果が大である。
【発明を実施するための最良の形態】
【００１７】
従来技術及び課題を解決するために、格子フェンスの構成部位を加除不可な固定された部位部品と加除及び変更可能な部位部品とに区分した。加除不可で固定された部位部品格子パネル及び格子パネルフェンスステムを保持する縦横構造格子材・５及び８で構成された柱は工場で組立生産提供され、加除及び変更可能な縦横準構造格子材・６及び９、加除及び変更可能な装飾縦横格子材・７及び１０、縦横構造格子材・５及び８と平行で２方向の自在角度方向性を持つ加除及び変更可能な付加装飾材Ａ（自由加工）・１２及び付加装飾材 Ｂ（自由加工）・１３、加除及び変更可能な付加装飾枠Ａ・１５及び Ｂ・１６、加除及び変更可能な付加装飾図柄及び枠・１２−１〜５６、交差金具Ａ・１、 Ｂ・２、Ｃ・３及びＤ・４、付属する金具類は要求に応じ生産提供され、それらを用い現場にて組立据付けるものとする。加除及び変更可能な付加装飾図柄及び枠・１２−１〜５６は陶板、ガラス、木材、金属等で創作された芸術作品も使用可能である。加除不可で固定された部位部品格子パネル及びデザイン加除及び変更可能な格子パネルフェンスシステムは製作製造可能寸法、運搬可能寸法及び取り扱い、取付け可能重量内で製作され、横幅寸法は横幅方向ピッチ・ＷＰの倍数に横幅の両側に０．５ＷＰより隙間分を差し引いた長さを足した寸法とし、縦幅寸法は縦幅方向ピッチ・ＨＰの倍数に横構造格子材・８寸法を足した寸法とし、格子フェンスが二重の時は奥行方向ピッチ・ＤＰの倍数に縦構造格子材・５の寸法を足した寸法で構成される。横幅・４ＷＰ及び縦幅・４ＨＰ程度で縦横構造格子材・５及び８を配し、格子フェンスが二重の時は縦横構造格子材・５及び８交差部付近に繋材・１１を配し、構造強度を確保する。工場生産部分を簡素化する事により基本価格を抑えることが可能となり、且つ加除及び変更可能な縦横準構造格子材・６及び９、加除及び変更可能な装飾縦横格子材・７及び１０、縦横構造格子材・５及び８と平行で２方向の自在角度方向性を持つ加除及び変更可能な付加装飾材Ａ（自由加工）・１２及び付加装飾材 Ｂ（自由加工）・１３、加除及び変更可能な付加装飾図柄及び枠・１２−１〜５６、交差金具Ａ・１、 Ｂ・２、Ｃ・３及びＤ・４、縦横構造格子材・５及び８で構成された柱、付属する金具類を半規格化する事により、総体価格の低減が可能となり、価格の平準化が実現でき、工法の簡略化が図れ、品質が向上し、素人でも施工可能となる。又購入者の希望により、新創作デザインを低価格で具現・提供可能となり、新旧デザインの加除及び交換においても、特段の専門技術が無い購入者でも、簡単に交換可能となり、格子フェンスデザイン更新が簡便で可能となる。デザイン加除及び変更可能な格子パネルフェンスシステムに侵入防止策として一般的な忍返し等のさまざまな防犯部品も簡単に取付け可能で、又縦横格子組の為、陰影部分が殆んど無く透けている為、不審人物及び侵入者の視認が可能となり、侵入抑止効果向上効果が大である。一重及び二重タイプでも開口率が大きく、空気抵抗が少ない為、細い材料でより大きな面寸法が構成可能となり、低価格で強固な格子パネルフェンスシステムの提供が可能となる。
【実施例１】
【００１８】
以下，この考案に係るにデザイン加除及び変更可能な格子パネルフェンスシステムについて図面を参照して詳細に説明する。各図は表記上割愛している部分がある。図１は縦横構造格子材・５及び８、加除及び変更可能な縦横準構造格子材・６及び９、加除及び変更可能な装飾縦横格子材・７及び１０、平行で２方向の自在角度方向性を持つ加除及び変更可能な付加装飾材Ａ（自由加工）・１２及び付加装飾材 Ｂ（自由加工）・１３、繋材・１１を併用使用したデザイン加除及び変更可能な二重格子パネルフェンスシステムの使用例である。平行で２方向の自在角度方向性を持つ加除及び変更可能な付加装飾材Ａ（自由加工）・１２及び付加装飾材 Ｂ（自由加工）・１３は有機的な草木をイメージし、加工しても取付け可能である。アンカーボルトナットセット・５０を基礎構造体に穿孔後挿入固定し又は先行埋め込み固着し、アンカーボルトナットセット・５０のナットを所定の位置に合わせ、ベース下長座金Ａ・５３及びベース位置継手板Ａ・１９を仮置きし、その後デザイン加除及び変更可能な二重格子パネルフェンスを乗せ、ベース挟み板Ａ・５６、ベース位置押え金具Ａ・５９、角座金（本体固定アンカー用）・６２をアンカーボルトナットセット・５０に挿入し、アンカーボルトナットセット・５０のナットで固定する。その後、継手押え金Ａ・４７及び継手固定用四角軸付ボルトナットセット・５１でデザイン加除及び変更可能な格子パネルフェンスの横構造格子材・８を所定の位置で固定する。平行で２方向の自在角度方向性を持つ加除及び変更可能な付加装飾材Ａ（自由加工）・１２及び付加装飾材 Ｂ（自由加工）・１３はデザイン加除及び変更可能な二重格子パネルフェンスの格子フェンスパネル外部側・ＫＰＧと格子フェンスパネル内部側・ＫＰＵとの中間部付近の上下左右任意位置で交差金具Ａ・１、 Ｂ・２、Ｃ・３及びＤ・４で固定されている。
【００１９】
図２は縦横構造格子材・５及び８で構成し、横構造格子材・８は両側に０．５ＷＰ跳ね出しているのを特徴とした基本パネルの一例である。
【００２０】
図３は交差金具Ａ・１で縦横構造格子材・５及び８、加除及び変更可能な縦横準構造格子材・６及び９、加除及び変更可能な装飾縦横格子材・７及び１０の何れかが直交した部分で、加除及び変更可能な付加装飾材全ての一部分を自在角度で保持固定する金具である。４本足付ボルトＡ・１Ａの頭部は垂直材及び水平材と同幅の溝加工を実施し、縦横材と同化し統一感を演出している。４本足加工された４本足付ボルトＡ・１Ａを縦横構造格子材・５及び８、加除及び変更可能な縦横準構造格子材・６及び９、加除及び変更可能な装飾縦横格子材・７及び１０の何れかが直交した交差部に跨って嵌め合わせ、４本足付ボルトＡ・１Ａの４本足に反対側よりガイド座金・１ Ｂを挿入する。その後４本足付ボルトＡ・１Ａの足折れ防止軸を持ち、回転軸付ガイドナット・１Ｃを４本足付ボルトＡ・１Ａの雄螺子加工された部分にあてがい締め付ける。自在回転可能付加装飾材保持金具Ａ・１Ｄと自在回転可能付加装飾材保持金具 Ｂ・１Ｅは接合ボルトＡ・１Ｈで接合され、嵌め合い側はメス構造を形成する。自在回転可能付加装飾材保持金具Ｃ・１Ｆと自在回転可能付加装飾材保持金具Ｄ・１Ｇは接合ボルトＡ・１Ｈで接合され嵌め合い側は脱落防止加工された円周溝を有するオス構造を形成する。オス及びメス部を嵌め合わせて、回転可能な構造とし、接合ボルト Ｂ・１Ｉを脱落防止加工された円周溝を持つオス構造部に押付けて任意の位置及び角度で加除及び変更可能な付加装飾材全ての一部分を固定保持する。回転軸付ガイドナット・１Ｃ側はメス部となり回転軸付ガイドナット・１Ｃの軸を包含する構造を形成し、自在回転可能な形状・構造を有する。自在回転可能付加装飾材保持金具Ａ・１Ｄ、自在回転可能付加装飾材保持金具 Ｂ・１Ｅ、自在回転可能付加装飾材保持金具Ｃ・１Ｆ及び自在回転可能付加装飾材保持金具Ｄ・１Ｇは加除及び変更可能な付加装飾材全ての一部分を自在角度で保持固定する接触部に自在アールに追従可能な特殊アールを併せ持つ特徴を持つ。
【００２１】
図４は交差金具 Ｂ・２で縦構造格子材・５、加除及び変更可能な縦準構造格子材・６、加除及び変更可能な装飾縦格子材・７と加除及び変更可能な付加装飾材全ての一部分を自在角度で保持固定する金具である。４足付ボルト Ｂ・２Ａの頭部は垂直材及び水平材と同幅の溝加工を実施し、縦横材と同化し統一感を演出している。４本足加工された４本足付ボルト Ｂ・２Ａを縦構造格子材・５及び６、７に跨って嵌め合わせ、４本足に反対側よりガイド座金・１ Ｂを挿入する。その後４本足付ボルト Ｂ・２Ａの足折れ防止軸を持ち、回転軸付ガイドナット・１Ｃを４本足付ボルト Ｂ・２Ａの雄螺子加工された部分にあてがい締め付ける。自在回転可能付加装飾材保持金具Ｅ・２ Ｂと自在回転可能付加装飾材保持金具Ｆ・２Ｃは接合ボルトＡ・１Ｈで接合され、嵌め合い側はメス構造を形成する。自在回転可能付加装飾材保持金具Ｇ・２Ｄと自在回転可能付加装飾材保持金具Ｈ・２Ｅは接合ボルトＡ・1Ｈで接合され嵌め合い側は脱落防止加工された円周溝を有するオス構造を形成する。オス及びメス部を嵌め合わせて、回転可能な構造とし、接合ボルト Ｂ・1Ｉを脱落防止加工された円周溝を持つオス構造部に押付けて任意の位置及び角度で加除及び変更可能な付加装飾材全ての一部分を固定保持する。回転軸付ガイドナット・1Ｃ側はメス部となり回転軸付ガイドナット・1Ｃの軸を包含する構造を形成し、自在回転可能な形状・構造を有する。自在回転可能付加装飾材保持金具Ｅ・２ Ｂ、自在回転可能付加装飾材保持金具Ｆ・２Ｃ、自在回転可能付加装飾材保持金具Ｇ・２Ｄ及び自在回転可能付加装飾材保持金具Ｈ・２Ｅは加除及び変更可能な付加装飾材全ての一部分を自在角度で保持固定する接触部に自在アールに追従可能な特殊アールを併せ持つ特徴を持つ。
【００２２】
図５は交差金具Ｃ・３で横構造格子材・８、加除及び変更可能な横準構造格子材・９、除及び変更可能な装飾横格子材・１０と加除及び変更可能な付加装飾材全ての一部分を自在角度で保持固定する金具である。４足付ボルト Ｂ・２Ａの頭部は垂直材及び水平材と同幅の溝加工を実施し、縦横材と同化し統一感を演出している。４本足加工された４本足付ボルト Ｂ・２Ａを横構造格子材・８及び９、１０に跨って嵌め合わせ、４本足に反対側よりガイド座金・１ Ｂを挿入する。その後４本足付ボルト Ｂ・２Ａの足折れ防止軸を持ち、回転軸付ガイドナット・１Ｃを４本足付ボルト Ｂ・２Ａの雄螺子加工された部分にあてがい締め付ける。自在回転可能付加装飾材保持金具Ａ・１Ｄと自在回転可能付加装飾材保持金具 Ｂ・１Ｅは接合ボルトＡ・１Ｈで接合され、嵌め合い側はメス構造を形成する。自在回転可能付加装飾材保持金具Ｃ・１Ｆと自在回転可能付加装飾材保持金具Ｄ・１Ｇは接合ボルトＡ・１Ｈで接合され嵌め合い側は脱落防止加工された円周溝を有するオス構造を形成する。オス及びメス部を嵌め合わせて、回転可能な構造とし、接合ボルト Ｂ・１Ｉを脱落防止加工された円周溝を持つオス構造部に押付けて任意の位置及び角度で加除及び変更可能な付加装飾材全ての一部分を固定保持する。回転軸付ガイドナット・１Ｃ側はメス部となり回転軸付ガイドナット・１Ｃの軸を包含する構造を形成し、自在回転可能な形状・構造を有する。自在回転可能付加装飾材保持金具Ａ・１Ｄ、自在回転可能付加装飾材保持金具 Ｂ・１Ｅ、自在回転可能付加装飾材保持金具Ｃ・１Ｆ及び自在回転可能付加装飾材保持金具Ｄ・１Ｇは加除及び変更可能な付加装飾材全ての一部分を自在角度で保持固定する接触部に自在アールに追従可能な特殊アールを併せ持つ特徴を持つ。
【００２３】
図６は交差金具Ｄ・４で、縦横構造格子材・５及び８、加除及び変更可能な縦横準構造格子材・６及び９、加除及び変更可能な装飾縦横格子材・７及び１０の何れかが直交した部分で相互を保持固定する金具である。４本足付ボルトＡ・１Ａの頭部は垂直材及び水平材と同幅の溝加工を実施し、縦横材と同化し統一感を演出している。４本足加工された４本足付ボルトＡ・１Ａを縦横構造格子材・５及び８、加除及び変更可能な縦横準構造格子材・６及び９、加除及び変更可能な装飾縦横格子材・７及び１０の何れかが直交した部分に、跨って嵌め合わせ、４本足に反対側よりガイド座金・１ Ｂを挿入する。その後４本足付ボルトＡ・１Ａの足折れ防止軸を持ち、回転軸無ガイドナット・４Ａを４本足付ボルトＡ・１Ａの雄螺子加工された部分にあてがい締め付ける。
【００２４】
図７は図１より平行で２方向の自在角度方向性を持つ加除及び変更可能な付加装飾材Ａ（自由加工）・１２及び付加装飾材 Ｂ（自由加工）・１３を除去した格子材のみで構成された基本パターンである。加除不可で固定された部位部品格子パネルは製造可能寸法、運搬可能寸法及び取り扱い取り付け可能重量寸法内で製作され、横幅寸法は横幅方向ピッチ・ＷＰの倍数に横幅の両側に０．５ＷＰより隙間分を差し引いた長さを足した寸法とし、縦幅寸法は縦幅方向ピッチ・ＨＰの倍数に横構造格子材・８寸法を足した寸法とし、格子フェンスが二重の時は奥行方向ピッチ・ＤＰの倍数に縦構造格子材・５の寸法を足した寸法で構成される。７ａは正面図で最頂位置の継手形状をあ１で、中間位置の継手形状をい１で、ベース位置の継手形状をう１で表現し、７ Ｂは７ａの最頂位置ア４−ア４矢視図であり、７ｃは７ａの中間位置イ４−イ４矢視図であり、７ｄは７ａの中間位置以外ウ４−ウ４矢視図であり、７ｅは７ａのベース位置エ４−エ４矢視図である。
【００２５】
図８は縦横構造格子材・５及び８、加除及び変更可能な縦横準構造格子材・６及び９、加除及び変更可能な装飾縦横格子材・７及び１０、繋材・１１で構成された混合使用例である。
【００２６】
図９は縦横構造格子材・５及び８、加除及び変更可能な縦横準構造格子材・６及び９、加除及び変更可能な装飾縦横格子材・７及び１０、繋材・１１で構成された混合使用例である。
【００２７】
図１０は縦横構造格子材・５及び８、加除及び変更可能な縦横準構造格子材・６及び９、加除及び変更可能な装飾縦横格子材・７及び１０、繋材・１１、デザイン加除及び変更可能な二重格子パネルフェンスの格子フェンスパネル外部側・ＫＰＧと格子フェンスパネル内部側・ＫＰＵとの中間部付近の任意位置で交差金具Ａ・１、 Ｂ・２、Ｃ・３及びＤ・４で固定されている付加装飾材Ａ−１・１２−１及び付加装飾材Ａ−２・１２−２及び付加装飾材Ａ−３・１２−３及び付加装飾材Ａ−４・１２−４で構成された混合使用例である。
【００２８】
図１１は縦横構造格子材・５及び８、加除及び変更可能な縦横準構造格子材・６及び９、加除及び変更可能な装飾縦横格子材・７及び１０、繋材・１１、デザイン加除及び変更可能な二重格子パネルフェンスの格子フェンスパネル外部側・ＫＰＧと格子フェンスパネル内部側・ＫＰＵとの中間部付近の任意位置で交差金具Ａ・１、 Ｂ・２、Ｃ・３で固定されている付加装飾材Ａ−５・１２−５及び付加装飾材Ａ−６・１２−６及び付加装飾材Ａ−７・１２−７及び付加装飾材Ａ−８・１２−８及び付加装飾材Ａ−９・１２−９及び付加装飾材Ａ−１０・１２−１０及び付加装飾材Ａ−１１・１２−１１及び付加装飾材Ａ−１２・１２−１２及び付加装飾材Ａ−１３・１２−１３及び付加装飾材Ａ−１４・１２−１４及び付加装飾材Ａ−１５・１２−１５で構成された混合使用例である。
【００２９】
図１２は縦横構造格子材・５及び８、加除及び変更可能な縦横準構造格子材・６及び９、加除及び変更可能な装飾縦横格子材・７及び１０、繋材・１１、デザイン加除及び変更可能な二重格子パネルフェンスの格子フェンスパネル外部側・ＫＰＧと格子フェンスパネル内部側・ＫＰＵとの中間部付近の任意位置で交差金具Ａ・１、 Ｂ・２、Ｃ・３で固定されている付加装飾材Ａ−１６・１２−１６及び付加装飾材Ａ−１７・１２−１７及び付加装飾材Ａ−１８・１２−１８及び付加装飾材Ａ−１９・１２−１９及び付加装飾材Ａ−２０・１２−２０及び付加装飾材Ａ−２１・１２−２１及び付加装飾材Ａ−２２・１２−２２及び付加装飾材Ａ−２３・１２−２３で構成された混合使用例である。
【００３０】
図１３は縦横構造格子材・５及び８、加除及び変更可能な縦横準構造格子材・６及び９、加除及び変更可能な装飾縦横格子材・７及び１０、繋材・１１、デザイン加除及び変更可能な二重格子パネルフェンスの格子フェンスパネル外部側・ＫＰＧと格子フェンスパネル内部側・ＫＰＵとの中間部付近の任意位置で交差金具Ａ・１、 Ｂ・２、Ｃ・３で固定されている付加装飾材Ａ−２４・１２−２４及び付加装飾材Ａ−２５・１２−２５及び付加装飾材Ａ−２６・１２−２６及び付加装飾材Ａ−２７・１２−２７及び付加装飾材Ａ−２８・１２−２８及び付加装飾材Ａ−２９・１２−２９及び付加装飾材Ａ−３０・１２−３０及び付加装飾材Ａ−３１・１２−３１で構成された混合使用例である。
【００３１】
図１４は縦横構造格子材・５及び８、加除及び変更可能な縦横準構造格子材・６及び９、加除及び変更可能な装飾縦横格子材・７及び１０、繋材・１１、デザイン加除及び変更可能な二重格子パネルフェンスの格子フェンスパネル外部側・ＫＰＧと格子フェンスパネル内部側・ＫＰＵとの中間部付近の任意位置で交差金具Ａ・１、 Ｂ・２、Ｃ・３で固定されている付加装飾材Ａ−３２・１２−３２及び付加装飾材Ａ−３３・１２−３３及び付加装飾材Ａ−３４・１２−３４及び付加装飾材Ａ−３５・１２−３５及び付加装飾材Ａ−３６・１２−３６及び付加装飾材Ａ−３７・１２−３７及び付加装飾材Ａ−３８・１２−３８及び付加装飾材Ａ−３９・１２−３９で構成された混合使用例である。
【００３２】
図１５は縦横構造格子材・５及び８、加除及び変更可能な縦横準構造格子材・６及び９、加除及び変更可能な装飾縦横格子材・７及び１０、繋材・１１、デザイン加除及び変更可能な二重格子パネルフェンスの格子フェンスパネル外部側・ＫＰＧと格子フェンスパネル内部側・ＫＰＵとの中間部付近の任意位置で交差金具Ａ・１、 Ｂ・２、Ｃ・３で固定されている付加装飾材Ａ−４０・１２−４０及び付加装飾材Ａ−４１・１２−４１及び付加装飾材Ａ−４２・１２−４２及び付加装飾材Ａ−４３・１２−４３及び付加装飾材Ａ−４４・１２−４４及び付加装飾材Ａ−４５・１２−４５及び付加装飾材Ａ−４６・１２−４６及び付加装飾材Ａ−４７・１２−４７で構成された使用例である。
【００３３】
図１６は縦横構造格子材・５及び８、加除及び変更可能な縦横準構造格子材・６及び９、加除及び変更可能な装飾縦横格子材７・及び１０、繋材・１１、デザイン加除及び変更可能な二重格子パネルフェンスの格子フェンスパネル外部側・ＫＰＧと格子フェンスパネル内部側・ＫＰＵとの中間部付近の任意位置で交差金具Ａ・１、Ｃ・３で固定されている付加装飾材Ａ−４８・１２−４８及び付加装飾材Ａ−４９・１２−４９及び付加装飾材Ａ−５０・１２−５０及び付加装飾材Ａ−５１・１２−５１で構成された混合使用例である。
【００３４】
図１７は縦横構造格子材・５及び８、加除及び変更可能な縦横準構造格子材・６及び９、加除及び変更可能な装飾縦横格子材・７及び１０、繋材・１１、デザイン加除及び変更可能な二重格子パネルフェンスの格子フェンスパネル外部側・ＫＰＧと格子フェンスパネル内部側・ＫＰＵとの中間部付近の任意位置で交差金具Ａ・１で固定されている付加装飾材Ａ−５２・１２−５２及び付加装飾材Ａ−５３・１２−５３で構成された混合使用例である。
【００３５】
図１８は縦横構造格子材・５及び８、加除及び変更可能な縦横準構造格子材・６及び９、加除及び変更可能な装飾縦横格子材・７及び１０、繋材・１１、デザイン加除及び変更可能な二重格子パネルフェンスの格子フェンスパネル外部側・ＫＰＧと格子フェンスパネル内部側・ＫＰＵとの中間部付近の任意位置で交差金具Ａ・１、 Ｂ・２、Ｃ・３で固定されている付加装飾材Ａ−５２・１２−５２、付加装飾材Ａ−５４・１２−５４及び付加装飾材Ａ−５５・１２−５５で構成された混合使用例である。
【００３６】
図１９は縦横構造格子材・５及び８、加除及び変更可能な縦横準構造格子材・６及び９、加除及び変更可能な装飾縦横格子材・７及び１０、繋材・１１、デザイン加除及び変更可能な二重格子パネルフェンスの格子フェンスパネル外部側・ＫＰＧと格子フェンスパネル内部側・ＫＰＵとの中間部付近の任意位置で交差金具Ａ・１、 Ｂ・２、Ｃ・３で固定されている付加装飾材Ａ−５２・１２−５２及び付加装飾材Ａ−５６・１２−５６で構成された混合使用例である。
【００３７】
図２０は縦横構造格子材・５及び８、加除及び変更可能な縦横準構造格子材・６及び９、加除及び変更可能な装飾縦横格子材・７及び１０、繋材・１１に、デザイン加除及び変更可能な二重格子パネルフェンスの格子フェンスパネル外部側・ＫＰＧと格子フェンスパネル内部側・ＫＰＵとの中間部付近の任意位置で交差金具Ａ・１、 Ｂ・２、Ｃ・３及びＤ・４で固定されている付加装飾材Ａ（自由加工）・１２及び付加装飾材 Ｂ（自由加工）・１３を斜めに配し、装飾と防犯を兼ねて上下に突き出し、又、加除及び変更可能な縦準構造格子材・６、加除及び変更可能な装飾縦格子材・７の横幅・ＷＰの中間部に付加装飾材Ａ（自由加工）・１２を垂直に配し、装飾と防犯を兼ねて上下に突き出した混合使用例である。
【００３８】
図２１はデザイン加除及び変更可能な二重格子パネルフェンスシステムを採用した平面配置の一例で、鋭角レ型柱（二重用・４５〜８９）・ＥＬＰ、鋭角レ型柱自在角度タイプ（二重用・４５〜８９）・ＥＬＰＦ、鈍角へ型柱（二重用・９１〜１７９）・ＤＬＰ、鈍角へ型柱自在角度タイプ（二重用・９１〜１７９）・ＤＬＰＦ、デザイン加除及び変更可能な二重格子パネルフェンスの格子フェンスパネル外部側・ＫＰＧと格子フェンスパネル内部側・ＫＰＵを配置した混合使用例である。鋭角レ型柱（二重用・４５〜８９）・ＥＬＰ、鋭角レ型柱自在角度タイプ（二重用・４５〜８９）・ＥＬＰＦ、鈍角へ型柱（二重用・９１〜１７９）・ＤＬＰ、鈍角へ型柱自在角度タイプ（二重用・９１〜１７９）・ＤＬＰＦの高さ寸法設定、角及び角度決定、格子パネル高さ、格子パネル横幅は現場状況、風荷重により適切に設定決定するものとする。
【００３９】
図２２はデザイン加除及び変更可能な二重格子パネルフェンスシステムを採用した平面配置の一例で、既存壁との取合関係図・２２ａ、パネル相互接合関係図・２２ Ｂ、パネル相互接合と後付柱（二重用）・ＳＰ１関係図・２２ｃ、パネル相互接合と後付柱（二重用）・ＳＰ２関係図・２２ｄ、パネル相互接合と後付柱（二重用）・ＳＰ３関係図・２２ｅ、中柱（二重用）・ＩＰとパネル接合関係図・２２ｆ、中柱（二重用）・ＩＰ１とパネル接合関係図・２２ｇ、中柱（二重用）・ＩＰ２とパネル接合関係図・２２ｈ、中柱（二重用）・ＩＰ３とパネル接合関係図・２２ｉ、隅柱（二重用）・ＥＰとパネル接合関係図・２２ｊ、隅柱（二重用）・ＥＰ１とパネル接合関係図・２２ｋ、隅柱（二重用）・ＥＰ２とパネル接合関係図・２２ｌ、隅柱（二重用）・ＥＰ３とパネル接合関係図・２２ｍ、Ｌ柱・ＬＰとパネル接合関係図・２２ｎ、デザイン加除及び変更可能な二重格子パネルフェンスの格子フェンスパネル外部側・ＫＰＧと格子フェンスパネル内部側・ＫＰＵを配置した混合使用例である。後付柱（二重用）・ＳＰ１、後付柱（二重用）・ＳＰ２、後付柱（二重用）・ＳＰ３、及び中柱（二重用）・ＩＰ、中柱（二重用）・ＩＰ１、中柱（二重用）・ＩＰ２、中柱（二重用）・ＩＰ３、及び隅柱（二重用）・ＥＰ、隅柱（二重用）・ＥＰ１、隅柱（二重用）・ＥＰ２、隅柱（二重用）・ＥＰ３の高さ寸法設定及び形状選定は使用状況、格子パネル高さ、格子パネル横幅及び風荷重により適切に設定決定するものとする。
【００４０】
図２３は図２２中、既存壁との取合関係図・２２ａの拡大図であり、２３ａは壁との取合正面図であり、２３ Ｂは取合正面図・２３ａのア５−ア５矢視図である。既存壁に壁取付け用アンカーボルトナットセット・５２を穿孔後挿入固定し又は先行埋め込みし、ベース位置継手板壁取合金具・３４、中間位置継手板壁取合金具・４０、を大型丸座金（壁取付アンカー用）・６３で所定の位置で固定し、最頂位置継手板壁取合金具・４６は大型丸座金（壁取付アンカー用）・６３を介し仮固定する。デザイン加除及び変更可能な二重格子パネルフェンスシステムパネルをベース位置継手板壁取合金具・３４、中間位置継手板壁取合金具・４０に架設し、継手押え金Ａ・４７と継手固定用四角軸付ボルトナットセット・５１で固定する。最頂位置継手板壁取合金具・４６をデザイン加除及び変更可能な二重格子パネルフェンスシステムパネルに乗せ、継手押え金Ａ・４７と継手固定用四角軸付ボルトナットセット・５１で固定し、大型丸座金（壁取付アンカー用）・６３を介し壁取り付け用アンカーボルトナットセット・５２のナットで固定した関係図である。
【００４１】
図２４は図２２中、既存壁との取合関係図・２２ａの拡大図であり、２３ｃは最頂位置のイ５−イ５矢視図で、２３ｄは中間位置のウ５−ウ５矢視図で、２３ｅは中間位置以外のエ５−エ５矢視図で、２３ｆはベース位置のオ５−オ５矢視図である。
【００４２】
図２５は図２２中、隅柱（二重用）・ＥＰとパネル接合関係図・２２ｊの拡大図であり、２５ａは最頂位置の伏図で、２５ Ｂは最頂位置伏図のア６−ア６矢視図であり、２５ｃは中間位置の伏図で、２５ｄは中間位置のイ６−イ６矢視図であり、２５ｅは中間位置以外の伏図である。２５ａと２５ Ｂは隅柱（二重用）・ＥＰとパネル接合部の最頂位置で、最頂位置継手板Ａ・４１と継手押え金Ａ・４７と継手固定用四角軸付ボルトナットセット・５１で固定した関係図で、２５ｃと２５ｄは隅柱（二重用）・ＥＰとパネル接合部の中間位置で中間位置継手板Ａ・３５と継手押え金Ａ・４７と継手固定用四角軸付ボルトナットセット・５１で固定した関係図である。隅柱（二重用）・ＥＰは工場組立品である。
【００４３】
図２６は図２２中、隅柱（二重用）・ＥＰとパネル接合関係図・２２ｊの拡大図で、２５ｆはベース位置の伏図で、２５ｇはベース位置の正面図で、２５ｈはベース位置伏図のウ６−ウ６矢視図で、２５ｉはベース位置伏図のエ６−エ６矢視図である。２５ｆ、２５ｇ、２５ｈ、２５ｉは隅柱（二重用）・ＥＰとパネル接合部のベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板 Ｂ・２０にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを固定した関係図である。隅柱（二重用）・ＥＰは工場組立品である。
【００４４】
図２７は図２２中、隅柱（二重用）・ＥＰ１とパネル接合関係図・２２ｋの拡大図であり、２７ａは最頂位置の伏図で、２７ Ｂは最頂位置のア７−ア７矢視図であり、２７ｃは中間位置の伏図で、２７ｄは中間位置伏図のイ７−イ７矢視図である。２７ａと２７ Ｂは隅柱（二重用）・ＥＰ１とパネル接合部の最頂位置で、最頂位置継手板Ａ・４１と継手押え金Ａ・４７、継手押え金Ｃ・４７Ａと継手固定用四角軸付ボルトナットセット・５１で固定した関係図で、２７ｃと２７ｄは隅柱（二重用）・ＥＰ１とパネル接合部の中間位置で中間位置継手板Ａ・３５と継手押え金Ａ・４７、継手押え金Ｃ・４７Ａと継手固定用四角軸付ボルトナットセット・５１で固定した関係図である。隅柱（二重用）・ＥＰ１は工場組立品である。
【００４５】
図２８は図２２中、隅柱（二重用）・ＥＰ１とパネル接合関係図・２２ｋの拡大図であり、２７ｅは中間位置以外の伏図で、２７ｆはベース位置の伏図で、２７ｇはベース位置伏図のウ７−ウ７矢視図である。２７ｆと２７ｇは隅柱（二重用）・ＥＰ１とパネル接合部のベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板 Ｂ・２０及びベース位置継手板Ｉ（Ｌ９４編芯）・２７にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを固定する。ベース位置伏図のエ７−エ７矢視図は図２６中２５ｈ・エ６−エ６矢視図を参照準用する。隅柱（二重用）・ＥＰ１は工場組立品である。
【００４６】
図２９は図２２中、隅柱（二重用）・ＥＰ２とパネル接合関係図・２２ｌの拡大図であり、２９ａは最頂位置伏図で、２９ Ｂは最頂位置伏図のア８−ア８矢視図であり、２９ｃは中間位置の伏図である。２９ａと２９ Ｂは隅柱（二重用）・ＥＰ２とパネル接合部の最頂位置で、最頂位置継手板Ａ・４１と継手押え金Ａ・４７、継手押え金Ｃ・４７Ａと継手固定用四角軸付ボルトナットセット・５１で固定した関係図で、２９ｃは隅柱（二重用）・ＥＰ２とパネル接合部の中間位置で中間位置継手板Ａ・３５と継手押え金Ａ・４７、継手押え金Ｃ・４７Ａと継手固定用四角軸付ボルトナットセット・５１で固定した関係図である。隅柱（二重用）・ＥＰ２は工場組立品である。
【００４７】
図３０は図２２中、隅柱（二重用）・ＥＰ２とパネル接合関係図・２２ｌの拡大図であり、２９ｄは中間位置伏図のイ８−イ８矢視図であり、２９ｅは中間位置以外の伏図で、２９ｆはベース位置の伏図である。２９ｄは隅柱（二重用）・ＥＰ２とパネル接合部の中間位置で中間位置継手板Ａ・３５と継手押え金Ｃ・４７Ａと継手固定用四角軸付ボルトナットセット・５１で固定した関係図である。２９ｆは隅柱（二重用）・ＥＰ２とパネル接合部のベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板 Ｂ・２０及びベース位置継手板Ｈ（Ｌ１１２）・２６にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットを使用固定し、継手押え金Ａ・４７と継手固定用四角軸付ボルトナットセット・５１でデザイン加除及び変更可能な二重格子パネルフェンスシステムパネルを固定する。ベース位置伏図のウ８−ウ８矢視図は図３１中２９ｇ・ウ８−ウ８矢視図を参照準用し、エ８−エ８矢視図は図２６中２５ｈ・エ６−エ６矢視図を参照準用する。隅柱（二重用）・ＥＰ２は工場組立品である。
【００４８】
図３１は図２２中、隅柱（二重用）・ＥＰ２とパネル接合関係図・２２ｌの拡大図であり、２９ｇはベース位置伏図のウ８−ウ８矢視図であり、基礎構造体にアンカーボルトナットセット・５０を穿孔後挿入固定し又は先行埋め込み固着し、ナットで所定高さ位置を調整確保し、ベース下長座金Ａ・５３、ベース位置継手板 Ｂ・２０及びベース位置継手板Ｈ（Ｌ１１２）・２６にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットを使用固定し、継手押え金Ａ・４７と継手固定用四角軸付ボルトナットセット・５１でデザイン加除及び変更可能な二重格子パネルフェンスシステムパネルを固定する。隅柱（二重用）・ＥＰ２は工場組立品である。
【００４９】
図３２は図２２中、隅柱（二重用）・ＥＰ３とパネル接合関係図２２ｍの拡大図であり、３２ａは最頂位置伏図で、３２ Ｂは最頂位置のア９−ア９矢視図である。３２ａと３２ Ｂは隅柱（二重用）・ＥＰ３とパネル接合部の最頂位置で、最頂位置継手板Ａ・４１と継手押え金Ａ・４７、継手押え金Ｃ・４７Ａと継手固定用四角軸付ボルトナットセット・５１で固定した関係図である。隅柱（二重用）・ＥＰ３は工場組立品である。
【００５０】
図３３は図２２中、隅柱（二重用）・ＥＰ３とパネル接合関係図・２２ｍの拡大図であり、３２ｃは中間位置の伏図で、３２ｄは中間位置伏図のイ９−イ９矢視図であり、３２ｅは中間位置以外の伏図である。３２ｃと３２ｄは隅柱（二重用）・ＥＰ３とパネル接合部の中間位置で中間位置継手板Ａ・３５と継手押え金Ａ・４７、継手押え金Ｃ・４７Ａと継手固定用四角軸付ボルトナットセット・５１で固定した関係図である。ベース位置関係図は図３０中２９ｆ・ベース位置の伏図及び図３１中２９ｇ・ウ８−ウ８矢視図を参照推考準用する。隅柱（二重用）・ＥＰ３は隅柱（二重用）・ＥＰ２と隅柱（二重用）・ＥＰ１の差、横幅・１ＷＰを隅柱（二重用）・ＥＰ２に加えた寸法形状となる。
【００５１】
図３４は図２２中、隅柱（二重用）・ＥＰ３とパネル接合関係図・２２ｍの拡大図であり、３２ｆはベース位置の伏図で、３２ｇはベース位置伏図のウ９−ウ９矢視図である。３２ｆと３２ｇは隅柱（二重用）・ＥＰ３とパネル接合部のベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板 Ｂ・２０及びベース位置継手板Ｈ（Ｌ１１２）・２６にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットを使用固定し、継手押え金Ａ・４７と継手固定用四角軸付ボルトナットセット・５１でデザイン加除及び変更可能な二重格子パネルフェンスシステムパネルを固定する関係図である。隅柱（二重用）・ＥＰ３は工場組立品である。
【００５２】
図３５は図２２中、中柱（二重用）・ＩＰとパネル接合関係図・２２ｆの拡大図であり、３５ａは最頂位置の伏図で、３５ Ｂは中間位置の伏図で、３５ｃは中間位置以外の伏図で、３５ｄはベース位置の伏図で、３５ｅはベース位置伏図の正面図である。３５ａは中柱（二重用）・ＩＰとパネル接合部の最頂位置で、最頂位置継手板 Ｂ・４２と継手押え金Ａ・４７と継手固定用四角軸付ボルトナットセット・５１で固定した関係図である。関係断面図は図２５中２５ Ｂ・ア６−ア６矢視図を参照準用する。３５ Ｂは中柱（二重用）・ＩＰとパネル接合部の中間位置で、中間位置継手板 Ｂ・３６と継手押え金Ａ・４７と継手固定用四角軸付ボルトナットセット・５１で固定した関係図である。関係断面図は図２５中２５ｄ・イ６−イ６矢視図を参照準用する。３５ｄと３５ｅはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板Ｃ・２１にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを固定する。関係断面図は図２６中２５ｈ・ウ６−ウ６矢視図及び図２６中２５ｉ・エ６−エ６矢視図を参照準用する。中柱（二重用）・ＩＰは工場組立品である。
【００５３】
図３６は図２２中、中柱（二重用）・ＩＰ１とパネル接合関係図・２２ｇの拡大図であり、３６ａは最頂位置の伏図で、３６ Ｂは中間位置の伏図で、３６ｃは中間位置以外の伏図である。３６ａは中柱（二重用）・ＩＰ１とパネル接合部の最頂位置で、最頂位置継手板 Ｂ・４２と継手押え金Ａ・４７と継手押え金Ｃ・４７Ａと継手固定用四角軸付ボルトナットセット・５１で固定した関係図である。関係断面図は図２５中２５ Ｂ・ア６−ア６矢視図を参照準用する。３６ Ｂは中柱（二重用）・ＩＰ１とパネル接合部の中間位置で、中間位置継手板 Ｂ・３６と継手押え金Ａ・４７と継手押え金Ｃ・４７Ａと継手固定用四角軸付ボルトナットセット・５１で固定した関係図である。関係断面図は図２５中２５ｄ・イ６−イ６矢視図を参照準用する。中柱（二重用）・ＩＰ１は工場組立品である。
【００５４】
図３７は図２２中、中柱（二重用）・ＩＰ１とパネル接合関係図・２２ｇの拡大図であり、３６ｄはベース位置の伏図で、３６ｅはベース位置伏図の正面図である。３６ｄと３６ｅはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板Ｄ・２２、ベース位置継手板Ｉ（Ｌ９４偏芯）・２７にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを固定する。関係断面図は図２６中２５ｈ・ウ６−ウ６矢視図及び図２６中２５ｉ・エ６−エ６矢視図を参照準用する。中柱（二重用）・ＩＰ１は工場組立品である。
【００５５】
図３８は図２２中、中柱（二重用）・ＩＰ２とパネル接合関係図・２２ｈの拡大図であり、３８ａは最頂位置の伏図で、３８ Ｂは中間位置の伏図である。３８ａは中柱（二重用）・ＩＰ２とパネル接合部の最頂位置で、最頂位置継手板 Ｂ・４２と継手押え金Ａ・４７と継手押え金Ｃ・４７Ａと継手固定用四角軸付ボルトナットセット・５１で固定した関係図である。関係断面図は図２５中２５ Ｂ・ア６−ア６矢視図を参照準用する。３８ Ｂは中柱（二重用）・ＩＰ２とパネル接合部の中間位置で、中間位置継手板 Ｂ・３６と継手押え金Ａ・４７と継手押え金Ｃ・４７Ａと継手固定用四角軸付ボルトナットセット・５１で固定した関係図である。関係断面図は図２５中２５ｄ・イ６−イ６矢視図を参照準用する。中柱（二重用）・ＩＰ２は工場組立品である。
【００５６】
図３９は図２２中、中柱（二重用）・ＩＰ２とパネル接合関係図・２２ｈの拡大図であり、３８ｃは中間位置以外の伏図で、３８ｄはベース位置の伏図である。３８ｄはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板Ｄ・２２、ベース位置継手板Ｈ（Ｌ１１２）・２６にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを固定する。関係断面図は図２６中２５ｈ・ウ６−ウ６矢視図及び図２６中２５ｉ・エ６−エ６矢視図、図３１中２９ｇ・ウ８−ウ８矢視図、図３７中３６ｅ・正面図を参照準用する。中柱（二重用）・ＩＰ２は工場組立品である。
【００５７】
図４０は図２２中、中柱（二重用）・ＩＰ３とパネル接合関係図・２２ｉの拡大図であり、４０ａは最頂位置の伏図で、４０ Ｂは中間位置の伏図である。４０ａは中柱（二重用）・ＩＰ３とパネル接合部の最頂位置で、最頂位置継手板 Ｂ・４２と継手押え金Ａ・４７と継手押え金Ｃ・４７Ａと継手固定用四角軸付ボルトナットセット・５１で固定した関係図である。関係断面図は図２５中２５ Ｂ・ア６−ア６矢視図を参照準用する。４０ Ｂは中柱（二重用）・ＩＰ３とパネル接合部の中間位置で、中間位置継手板 Ｂ・３６と継手押え金Ａ・４７と継手押え金Ｃ・４７Ａと継手固定用四角軸付ボルトナットセット・５１で固定した関係図である。関係断面図は図２５中２５ｄ・イ６−イ６矢視図を参照準用する。中柱（二重用）・ＩＰ３は工場組立品である。
【００５８】
図４１は図２２中、中柱（二重用）・ＩＰ２とパネル接合関係図・２２ｉの拡大図であり、４０ｃは中間位置以外の伏図で、４０ｄはベース位置の伏図である。４０ｄはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板Ｄ・２２、ベース位置継手板Ｈ（Ｌ１１２）・２６にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを固定する。関係断面図は図２６中２５ｈ・ウ６−ウ６矢視図及び図２６中２５ｉ・エ６−エ６矢視図、図３１中２９ｇ・ウ８−ウ８矢視図、図３７中３６ｅ・正面図を参照準用する。中柱（二重用）・ＩＰ３は工場組立品である。
【００５９】
図４２は図２２中、パネル相互接合関係図・２２ Ｂの拡大図であり、４２ａは最頂位置の伏図で、４２ Ｂは中間位置の伏図で、４２ｃは中間位置以外の伏図で、４２ｄはベース位置の伏図である。４２ａはパネル相互接合部の最頂位置で、最頂位置継手板Ａ・４１と継手押え金Ａ・４７と継手固定用四角軸付ボルトナットセット・５１で固定した関係図である。関係断面図は図２５中２５ Ｂ・ア６−ア６矢視図を参照準用する。４２ Ｂはパネル相互接合部の中間位置で、中間位置継手板Ａ・３５と継手押え金Ａ・４７と継手固定用四角軸付ボルトナットセット・５１で固定した関係図である。関係断面図は図２５中２５ｄ・イ６−イ６矢視図を参照準用する。４２ｄはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板Ａ・１９にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを固定する。関係断面図は図２６中２５ｈ・ウ６−ウ６矢視図及び図２６中２５ｉ・エ６−エ６矢視図、図７中７ａ正面図・う１を参照準用する。
【００６０】
図４３は図２２中、パネル相互接合と後付柱（二重用）・SP１との関係図・２２ｃの拡大図であり、４３ａは最頂位置の伏図で、４３ Ｂは最頂位置伏図のア１０−ア１０矢視図で、４３ｃは中間位置の伏図で、４３ｄは中間位置伏図のイ１０−イ１０矢視図である。４３ａと４３ Ｂはパネル相互接合と後付柱（二重用）・ＳＰ１の最頂位置で、最頂位置継手板Ａ・４１と最頂位置継手板Ｃ・４３と連結板（Ｔ型継手部）・４９と継手押え金Ａ・４７と継手固定用四角軸付ボルトナットセット・５１で固定した関係図である。４３ｃと４３ｄは中間位置継手板Ａ・３５と中間位置継手板Ｃ（Ｔ型補助Ｌ９８）・３７と連結板（Ｔ型継手部）・４９と継手押え金Ａ・４７と継手固定用四角軸付ボルトナットセット・５１で固定した関係図である。後付柱（二重用）・ＳＰ１は工場組立品であり、デザイン加除及び変更可能な二重格子パネルフェンスシステムパネルと連結板（Ｔ型継手部）・４９で接合されている。
【００６１】
図４４は図２２中、パネル相互接合と後付柱（二重用）・ＳＰ１との関係図・２２ｃの拡大図であり、４３ｅは中間位置の伏図で、４３ｆは中間位置伏図のウ１０−ウ１０矢視図で、４３ｇはベース位置の伏図で、４３ｈはベース位置伏図のエ１０−エ１０矢視図である。４３ｇと４３ｈはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置Ｔ継手板Ｅ・２３にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを固定する。後付柱（二重用）・ＳＰ１は工場組立品であり、デザイン加除及び変更可能な二重格子パネルフェンスシステムパネルとベース位置Ｔ継手板Ｅ・２３で接合されている。
【００６２】
図４５は図２２中、パネル相互接合と後付柱（二重用）・ＳＰ２との関係図・２２ｄの拡大図であり、４５ａは最頂位置の伏図で、４５ Ｂは最頂位置伏図のア１１−ア１１矢視図で、４５ｃは中間位置の伏図で、４５ｄは中間位置伏図のイ１１−イ１１矢視図である。４５ａと４５ｄはパネル相互接合と後付柱（二重用）・ＳＰ２の最頂位置で、最頂位置継手板Ａ・４１と最頂位置継手板Ｃ・４３と連結板（Ｔ型継手部）・４９と継手押え金Ａ・４７と継手固定用四角軸付ボルトナットセット・５１で固定した関係図である。４５ｃと４５ｄは中間位置継手板Ａ・３５と中間位置継手板Ｃ（Ｔ型補助Ｌ９８）・３７と連結板（Ｔ型継手部）・４９と継手押え金Ａ・４７と継手固定用四角軸付ボルトナットセット・５１で固定した関係図である。後付柱（二重用）・ＳＰ２は工場組立品であり、デザイン加除及び変更可能な二重格子パネルフェンスシステムパネルと連結板（Ｔ型継手部）・４９で接合されている。
【００６３】
図４６は図２２中、パネル相互接合と後付柱（二重用）・ＳＰ２との関係図・２２ｄの拡大図であり、４５ｅは中間位置以外の伏図で、４５ｆは中間位置以外伏図のウ１１−ウ１１矢視図で、４５ｇはベース位置の伏図である。４５ｇはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置Ｔ継手板Ｆ・２４にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを固定する。後付柱（二重用）・ＳＰ２は工場組立品であり、デザイン加除及び変更可能な二重格子パネルフェンスシステムパネルとベース位置Ｔ継手板Ｆ・２４で接合されている。ベース位置Ｔ継手板Ｆ・２４は２４−１と２４−２で一体化されている。オ１１−オ１１矢視図は図７中７ａ正面図・う１を参照準用する。
【００６４】
図４７は図２２中、パネル相互接合と後付柱（二重用）・ＳＰ２との関係図・２２ｄの拡大図であり、４５ｈはベース位置伏図のオ１１−オ１１矢視図で、４５ｉはベース位置伏図のエ１１−エ１１矢視図である。４５ｈ、４５ｉはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置Ｔ継手板Ｆ・２４にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金具Ａ・４７と継手固定用四角軸付ボルトナットセット・５１でデザイン加除及び変更可能な二重格子パネルフェンスシステムパネルを固定する。後付柱（二重用）・ＳＰ２は工場組立品であり、デザイン加除及び変更可能な二重格子パネルフェンスシステムパネルとベース位置Ｔ継手板Ｆ・２４で接合されている。
【００６５】
図４８は図２２中、パネル相互接合と後付柱（二重用）・ＳＰ３との関係図・２２ｅの拡大図であり、４８ａは最頂位置の伏図で、４８ Ｂは最頂位置伏図のア１２−ア１２矢視図である。４８ａと４８ Ｂはパネル相互接合と後付柱（二重用）・ＳＰ３の最頂位置で、最頂位置継手板Ａ・４１と最頂位置継手板Ｃ・４３と連結板（Ｔ型継手部）・４９と継手押え金Ａ・４７と継手固定用四角軸付ボルトナットセット・５１で固定した関係図である。後付柱（二重用）・ＳＰ３は工場組立品であり、デザイン加除及び変更可能な二重格子パネルフェンスシステムパネルと連結板（Ｔ型継手部）・４９で接合されている。
【００６６】
図４９は図２２中、パネル相互接合と後付柱（二重用）・ＳＰ３との関係図・２２ｅの拡大図であり、４８ｃは中間位置の伏図で、４８ｄは中間位置伏図のイ１２−イ１２矢視図で、４８ｅは中間位置以外の伏図である。４８ｃと４８ｄは中間位置継手板Ａ・３５と中間位置継手板Ｃ（Ｔ型補助Ｌ９８）・３７と連結板（Ｔ型継手部）・４９と継手押え金Ａ・４７と継手固定用四角軸付ボルトナットセット・５１で固定した関係図である。後付（二重用）柱・ＳＰ３は工場組立品であり、デザイン加除及び変更可能な二重格子パネルフェンスシステムパネルと連結板（Ｔ型継手部）・４９で接合されている。
【００６７】
図５０は図２２中、パネル相互接合と後付柱（二重用）・ＳＰ３との関係図・２２ｅの拡大図であり、４８ｆは図４９中４８ｅの中間位置以外伏図のウ１２−ウ１２矢視図で、４８ｇはベース位置の伏図であり、４８ｈはベース位置伏図のエ１２−エ１２矢視図である。４８ｇはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置Ｔ継手板Ｇ・２５にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを固定する。後付柱（二重用）・ＳＰ３は工場組立品であり、デザイン加除及び変更可能な二重格子パネルフェンスシステムパネルとベース位置Ｔ継手板Ｇ・２５で接合されている。ベース位置Ｔ継手板Ｇ・２５は２５−１と２５−２で一体化されている。正面図は図７中７ａ正面図・う１を参照準用する。
【００６８】
図５１は図２２中、鈍角へ型柱（二重用・９１〜１７９）・ＤＬＰとデザイン加除及び変更可能な二重格子パネルフェンスシステムのパネルとの関係図・２１ａの拡大図であり、５１ａは最頂位置の伏図で、５１ Ｂは中間位置の伏図である。５１ａ及び５１ Ｂはパネルの延長交差部に工場で現場計測指定角度にて組み立てた鈍角へ型柱（二重用・９１〜１７９）・ＤＬＰを配し、両側にデザイン加除及び変更可能な二重格子パネルフェンスを接合配する。５１ａは最頂位置継手板Ｄ（へ型９１〜１７９）・４４と継手押え金 Ｂ（へ型・９１〜１７９）・４８及び継手押え金Ａ・４７と継手固定用四角軸付ボルトナットセット・５１で鈍角へ型柱（二重用・９１〜１７９）・ＤＬＰとデザイン加除及び変更可能な二重格子パネルフェンスを接合固定した関係図である。５１ Ｂは中間位置継手板Ｄ（へ型・９１〜１７９）・３８と継手押え金 Ｂ（へ型・９１〜１７９）・４８及び継手押え金Ａ・４７と継手固定用四角軸付ボルトナットセット・５１で鈍角へ型柱（二重用・９１〜１７９）・ＤＬＰとデザイン加除及び変更可能な二重格子パネルフェンスを接合固定した関係図である。関係断面図は図２５中２５ Ｂ・ア６−ア６矢視図、２５ｄ・イ６−イ６矢視図を参照準用する。継手押え金 Ｂ（へ型・９１〜１７９）・４８は４８−１、４８−２で一体化されている。
【００６９】
図５２は図２２中、鈍角へ型柱（二重用・９１〜１７９）・ＤＬＰとデザイン加除及び変更可能な二重格子パネルフェンスシステムのパネルとの関係図・２１ａの拡大図であり、５１ｃは中間位置以外の伏図で、５１ｄはベース位置の伏図である。５１ｃ及び５１ｄはパネルの延長交差部に工場で現場計測指定角度にて組み立てた鈍角へ型柱（二重用・９１〜１７９）・ＤＬＰを配し、両側にデザイン加除及び変更可能な二重格子パネルフェンスを接合配する。５１ｄはベース位置で、基礎構造体にアンカーボルトナットセット・５０を穿孔後挿入固定し又は先行埋め込み固着し、ナットで所定高さ位置を調整確保し、ベース下長座金Ａ・５３、ベース下長座金 Ｂ（へ型・９１〜１７９）・５４、ベース位置継手板Ｊ（へ形９１〜１７９）・２８にデザイン加除及び変更可能な二重格子パネルフェンスシステムパネルを乗せ、ベース挟み板Ａ・５６、ベース挟み板 Ｂ（へ型・９１〜１７９）・５７、ベース位置押え金具Ａ・５９、ベース位置押え金具 Ｂ（へ型・９１〜１７９）・６０、角座金（本体固定アンカー用）・６２及びアンカーボルトナットセット・５０のナットで固定し、継手押え金Ａ・４７、と継手固定用四角軸付ボルトナットセット・５１でデザイン加除及び変更可能な二重格子パネルフェンスシステムパネルを接合固定した関係図である。関係断面図は図２６中２５ｈ・ウ６−ウ６矢視図及び図２６中２５ｉ・エ６−エ６矢視図、図３７中正面図・３６ｅを参照準用する。鈍角へ型柱（二重用・９１〜１７９）・ＤＬＰは角度９１度から１７９度迄の指定角度で製作対応可能である。
【００７０】
図５３は図２２中、鈍角へ型柱自在角度タイプ（二重用・９１〜１７９）・ＤＬＰＦとデザイン加除及び変更可能な二重格子パネルフェンスシステムのパネルとの関係図・２１ Ｂの拡大図であり、５３ａは最頂位置の伏図で、５３ Ｂは最頂位置伏図のア１３−ア１３矢視図で、５３ｃは中間位置の伏図で、５３ｄは中間位置伏図のイ１３−イ１３矢視図である。５３ａ及び５３ Ｂはパネルの延長交差部に２分割した鈍角へ型柱自在角度タイプ（二重用・９１〜１７９）・ＤＬＰＦを配し、両側にデザイン加除及び変更可能な二重格子パネルフェンスを接合配する。５３ａは最頂位置継手板セット（へ型自在角度）・４５及び継手押え金Ａ・４７と継手固定用四角軸付ボルトナットセット・５１で鈍角へ型柱自在角度タイプ（二重用・９１〜１７９）・ＤＬＰＦとデザイン加除及び変更可能な二重格子パネルフェンスを接合固定した関係図である。最頂位置継手板セット（へ型自在角度）・４５は最頂位置継手板セットＡ・４５−１及び最頂位置継手板セット Ｂ・４５−２と最頂位置継手板セット接合軸板・４５−３を接合固定し，回転軸を兼用しているベース位置継手板セット接合ボルトナットセット・２９−４で構成されている。５３ｃと５３ｄは中間位置継手板セット（へ型自在角度・９１〜１７９・）・３９と継手押え金Ａ・４７と継手固定用四角軸付ボルトナットセット・５１で鈍角へ型柱自在角度タイプ（二重用・９１〜１７９）・ＤＬＰＦとデザイン加除及び変更可能な二重格子パネルフェンスを接合固定した関係図である。中間位置継手板セット（へ型自在角度・９１〜１７９・）・３９は中間位置継手板セットＡ・３９−１及び中間位置継手板セット Ｂ・３９−２と中間位置継手板セット接合軸板・３９−３を接合固定し、回転軸を兼用しているベース位置継手板セット接合ボルトナットセット・２９−４で構成されている。関係断面図は図２５中２５ Ｂ・ア６−ア６矢視図、２５ｄ・イ６−イ６矢視図を参照準用する。
【００７１】
図５４は図２２中、鈍角へ型柱自在角度タイプ（二重用・９１〜１７９）・ＤＬＰＦとデザイン加除及び変更可能な二重格子パネルフェンスシステムのパネルとの関係図・２１ Ｂの拡大図であり、５３ｅは中間位置以外の伏図で、５３ｆはベース位置の伏図で、５３ｇはベース位置伏図のウ１３−ウ１３矢視図である。５３ｅ及び５３ｆはパネルの延長交差部に２分割した鈍角へ型柱自在角度タイプ（二重用・９１〜１７９）・ＤＬＰＦを配し、両側にデザイン加除及び変更可能な二重格子パネルフェンスを接合配する。５３ｆはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板セット（へ形自在角度９１〜１７９）・２９にデザイン加除及び変更可能な二重格子パネルフェンスシステムパネルを乗せ、ベース挟み板Ａ・５６、ベース位置押え金具Ａ・５９、角座金（本体固定アンカー用）・６２及びアンカーボルトナットセット・５０のナットで固定し、継手押え金Ａ・４７と継手固定用四角軸付ボルトナットセット・５１でデザイン加除及び変更可能な二重格子パネルフェンスシステムパネルを接合固定した関係図である。ベース位置継手板セット（へ形自在角度・９１〜１７９）・２９はベース位置継手板セットＡ・２９−１及びベース位置継手板セット Ｂ・２９−２とベース位置継手板セット接合軸板・２９−３を接合固定し、回転軸を兼用しているベース位置継手板セット接合ボルトナットセット・２９−４で構成されている。関係断面図は図２６中２５ｈ・ウ６−ウ６矢視図及び図２６中２５ｉ・エ６−エ６矢視図を参照準用する。鈍角へ型柱自在角度タイプ（二重用・９１〜１７９）・ＤＬＰＦは角度９１度から１７９度迄の自在角度で現場対応可能である。
【００７２】
図５５は図２２中、鋭角レ型柱（二重用・４５〜８９）・ＥＬＰとデザイン加除及び変更可能な二重格子パネルフェンスシステムのパネルとの関係図・２１ｃの拡大図であり、５５ａは最頂位置の伏図で、５５ Ｂは中間位置の伏図である。５５ａ及び５５ Ｂはパネルの延長交差部に工場で現場計測指定角度にて組み立てた鋭角レ型柱（二重用・４５〜８９）・ＥＬＰを配し、両側にデザイン加除及び変更可能な二重格子パネルフェンスを接合配する。５５ａは最頂位置継手板Ａ・４１と継手押え金Ａ・４７と継手固定用四角軸付ボルトナットセット・５１で鋭角レ型柱（二重用・４５〜８９）・ＥＬＰとデザイン加除及び変更可能な二重格子パネルフェンスを接合固定した関係図である。５５ Ｂは中間位置継手板Ａ・３５と継手押え金Ａ・４７と継手固定用四角軸付ボルトナットセット・５１で鋭角レ型柱（二重用・４５〜８９）・ＥＬＰとデザイン加除及び変更可能な二重格子パネルフェンスを接合固定した関係図である。関係断面図は図２５中２５ Ｂ・ア６−ア６矢視図、２５ｄ・イ６−イ６矢視図を参照準用する。鋭角レ型柱（二重用・４５〜８９）・ＥＬＰは角度４５度から８９度迄の指定角度で製作対応可能である。
【００７３】
図５６は図２２中、鋭角レ型柱（二重用・４５〜８９）・ＥＬＰとデザイン加除及び変更可能な二重格子パネルフェンスシステムのパネルとの関係図・２１ｃの拡大図であり、５５ｃは中間位置以外の伏図で、５５ｄはベース位置の伏図である。５５ｃ及び５５ｄはパネルの延長交差部に工場で組み立てた鋭角レ型柱（二重用・４５〜８９）・ＥＬＰを配し、両側にデザイン加除及び変更可能な二重格子パネルフェンスを接合配する。５５ｄはベース位置で、基礎構造体にアンカーボルトナットセット・５０を穿孔後挿入固定し又は先行埋め込み固着し、ナットで所定高さ位置を調整確保し、ベース下長座金Ａ・５３、ベース位置継手板右軸芯Ａ（レ型柱・４５〜８９）・３０、ベース位置継手板右軸芯 Ｂ（レ型柱・４５〜８９）・３１、ベース下長座金Ｃ（レ型柱・４５〜８９・変六角）・５５にデザイン加除及び変更可能な二重格子パネルフェンスシステムパネルを乗せ、ベース挟み板Ａ・５６、ベース挟み板Ｃ（レ型柱・４５〜８９）・５８、ベース位置押え金具Ａ・５９、角座金（本体固定アンカー用）・６２、ベース位置押え金具Ｃ（レ型柱・４５〜８９）・６１、及びアンカーボルトナットセット・５０のナットで固定し、継手押え金Ａ・４７、角座金（本体固定アンカー用）・６２と継手固定用四角軸付ボルトナットセット・５１でデザイン加除及び変更可能な二重格子パネルフェンスシステムパネルを接合固定した関係図である。関係断面図は図２６中２５ｈ・ウ６−ウ６矢視図及び図２６中２５ｉ・エ６−エ６矢視図を参照準用する。鋭角レ型柱（二重用・４５〜８９）・ＥＬＰは角度４５度から８９度迄の指定角度で製作対応可能である。
【００７４】
図５７は図２２中、鋭角レ型柱自在角度タイプ（二重用・４５〜８９）・ＥＬＰＦとデザイン加除及び変更可能な二重格子パネルフェンスシステムのパネルとの関係図・２１ｄの拡大図であり、５７ａは最頂位置の伏図で、５７ Ｂは中間位置の伏図である。５７ａ及び５７ Ｂはパネルの延長交差部に２分割した鋭角レ型柱自在角度タイプ（二重用・４５〜８９）・ＥＬＰＦを配し、両側にデザイン加除及び変更可能な二重格子パネルフェンスを接合配する。５７ａは最頂位置継手板Ａ・４１及び継手押え金Ａ・４７とベース位置にＬ型右軸芯セット（現場自在角度４５〜８９）・６４と継手固定用四角軸付ボルトナットセット・５１で鋭角レ型柱自在角度タイプ（二重用・４５〜８９）・ＥＬＰＦとデザイン加除及び変更可能な二重格子パネルフェンスを接合固定した関係図である。現場状況角度に応じ、格子フェンスパネル外部側・ＫＰＧの装飾縦格子材・７及び横構造格子材・８と格子フェンスパネル内部側・ＫＰＵの横構造格子材・８を切断切除し対応・調整する。５７ Ｂは中間位置継手板Ａ・３５、継手押え金Ａ・４７とベース位置Ｌ型右軸芯セット（現場自在角度４５〜８９）・６４と継手固定用四角軸付ボルトナットセット・５１で鋭角レ型柱自在角度タイプ（二重用・４５〜８９）・ＥＬＰＦとデザイン加除及び変更可能な二重格子パネルフェンスを接合固定した関係図である。５７ａ及び５７ Ｂのベース位置Ｌ型右軸芯セット（現場自在角度４５〜８９）・６４はベース位置Ｌ型右軸芯カバーＡ（現場自在角度４５〜８９）・６４−１とベース位置Ｌ型右軸芯カバー Ｂ（現場自在角度４５〜８９）・６４−２とベース位置Ｌ型右軸芯カバーＣ（現場自在角度４５〜８９）・６４−３とベース位置Ｌ型右軸芯カバーＤ（現場自在角度４５〜８９）・６４−４とベース位置Ｌ型右軸芯ボルト（現場自在角度４５〜８９）・６４−５とベース位置Ｌ型右軸芯厚み調整板（現場自在角度４５〜８９）・６４−６とベース位置Ｌ型右軸芯固定用小螺子（現場自在角度４５〜８９）・６４−７で構成されている。関係断面図は図２５中２５ Ｂ・ア６−ア６矢視図、２５ｄ・イ６−イ６矢視図を参照準用する。
【００７５】
図５９はデザイン加除及び変更可能な一重格子パネル相互継手と独立柱（一重用）・ＤＰ１との取合詳細図で、５９ａは最頂位置の伏図で、５９ Ｂは中間位置の伏図で、５９ｃはベース位置の伏図で、５９ｄはベース位置伏図のア１５−ア１５矢視図である。５９ａは５９ｄの最頂位置でイ１５−イ１５矢視図であり、５９ Ｂは５９ｄの中間位置でウ１５−ウ１５矢視図であり、５９ｃは５９ｄのベース位置でエ１５−エ１５矢視図であり、５９ｄは５９ａ、５９ Ｂ、５９ｃのア１５−ア１５矢視図である。５９ａは最頂位置で、５９ Ｂは中間位置で、一重格子パネルの縦構造格子材・５と独立柱（一重用）・ＤＰ１の縦構造格子材・５を接合金具（格子パネル＋柱）・６５と継手固定用四角軸付ボルトナットセット・５１で緊結している関係図である。５９ｃはベース位置で、基礎構造体にアンカーボルトナットセット・５０を穿孔後挿入固定し又は先行埋め込み固着し、ナットで所定高さ位置を調整確保し、ベース下長座金Ｄ・６８、ベース位置継手板Ｋ・６６にデザイン加除及び変更可能な一重格子パネルフェンスを乗せ、ベース挟み板Ａ・５６、ベース位置押え金具Ｄ・６７、角座金（本体固定アンカー用）・６２及びアンカーボルトナットセット・５０のナットで固定し、デザイン加除及び変更可能な一重格子パネルフェンスを固定する。独立柱（一重用）・ＤＰ１は工場組立品で、高さ寸法設定は使用状況、格子パネル高さ、格子パネル横幅及び風荷重により適切に設定決定するものとする。
【００７６】
図６０はデザイン加除及び変更可能な一重格子パネル相互継手と独立柱（一重用）・ＤＰ２との取合詳細図で、６０ａは最頂位置の伏図で、６０ Ｂは中間位置の伏図で、６０ｃはベース位置の伏図で、６０ｄは６０ａ、６０ Ｂ、６０ｃのア１６−ア１６矢視図である。６０ａは６０ｄの最頂位置でイ１６−イ１６矢視図であり、６０ Ｂは６０ｄの中間位置でウ１６−ウ１６矢視図であり、６０ｃは６０ｄのベース位置でエ１６−エ１６矢視図であり、６０ａは最頂位置で、６０ Ｂは中間位置で、一重格子パネルの縦構造格子材・５と独立柱（一重用）・ＤＰ２の縦構造格子材・５を接合金具（格子パネル＋柱）・６５と継手固定用四角軸付ボルトナットセット・５１で緊結している関係図である。６０ｃはベース位置で、基礎構造体にアンカーボルトナットセット・５０を穿孔後挿入固定し又は先行埋め込み固着し、ナットで所定高さ位置を調整確保し、ベース下長座金Ａ・５３、ベース下長座金Ｄ・６８、ベース位置継手板Ｋ・６６、ベース位置継手板Ｉ（Ｌ９４偏芯）・２７にデザイン加除及び変更可能な一重格子パネルフェンスを乗せ、ベース挟み板Ａ・５６、ベース位置押え金具Ａ・５９、ベース位置押え金具Ｄ・６７、角座金（本体固定アンカー用）・６２及びアンカーボルトナットセット・５０のナットで固定し、デザイン加除及び変更可能な一重格子パネルフェンスを固定する。独立柱（一重用）・ＤＰ２は工場組立品で、高さ寸法設定は使用状況、格子パネル高さ、格子パネル横幅及び風荷重により適切に設定決定するものとする。
【００７７】
図６１はデザイン加除及び変更可能な一重格子パネル相互継手と独立柱（一重用）・ＤＰ３との取合詳細図で、６１ａは最頂位置の伏図で、６１ Ｂは中間位置の伏図で、６１ｃはベース位置の伏図で、６１ｄは６１ａ、６１ Ｂ、６１ｃのア１７−ア１７矢視図である。６１ａは６１ｄの最頂位置でイ１７−イ１７矢視図であり、６１ Ｂは６１ｄの中間位置でウ１７−ウ１７矢視図であり、６１ｃは６１ｄのベース位置でエ１７−エ１７矢視図であり、６１ａは最頂位置で、６１ Ｂは中間位置で、一重格子パネルの縦構造格子材・５と独立柱（一重用）・ＤＰ３の縦構造格子材・５を接合金具（格子パネル＋柱）・６５と継手固定用四角軸付ボルトナットセット・５１で緊結している関係図である。６１ｃはベース位置で、基礎構造体にアンカーボルトナットセット・５０を穿孔後挿入固定し又は先行埋め込み固着し、ナットで所定高さ位置を調整確保し、ベース下長座金Ａ・５３、ベース下長座金Ｄ・６８、ベース位置継手板Ｈ（Ｌ１１２）・２６、ベース位置継手板Ｋ・６６にデザイン加除及び変更可能な一重格子パネルフェンスを乗せ、ベース挟み板Ａ・５６、ベース位置押え金具Ａ・５９、ベース位置押え金具Ｄ・６７、角座金（本体固定アンカー用）・６２及びアンカーボルトナットセット・５０のナットで固定し、デザイン加除及び変更可能な一重格子パネルフェンスを固定する。独立柱（一重用）・ＤＰ３は工場組立品で、高さ寸法設定は使用状況、格子パネル高さ、格子パネル横幅及び風荷重により適切に設定決定するものとする。
【００７８】
図６２はデザイン加除及び変更可能な一重格子パネルが出入隅９０度で直交する相互継手と独立柱（一重用）・ＤＰ１との取合詳細図で、６２ａは最頂位置の伏図で、６２ Ｂは中間位置の伏図で、６２ｃはベース位置の伏図である。６２ａは最頂位置で、６２ Ｂは中間位置で、デザイン加除及び変更可能な一重格子パネルの縦構造格子材・５と独立柱（一重用）・ＤＰ１の縦構造格子材・５を接合金具（格子パネル＋柱）・６５と継手固定用四角軸付ボルトナットセット・５１で緊結し、出入隅９０度部では出隅固定金具Ａ・６９と出隅固定金具 Ｂ・７０と継手固定用四角軸付ボルトナットセット・５１で一重格子パネルの縦構造格子材・５同士を緊結している関係図である。６２ｃはベース位置で、基礎構造体にアンカーボルトナットセット・５０を穿孔後挿入固定し又は先行埋め込み固着し、ナットで所定高さ位置を調整確保し、ベース下長座金Ｄ・６８、ベース位置継手板Ｋ・６６にデザイン加除及び変更可能な一重格子パネルフェンスを乗せ、ベース挟み板Ａ・５６、ベース位置押え金具Ｄ・６７、角座金（本体固定アンカー用）・６２及びアンカーボルトナットセット・５０のナットで固定し、デザイン加除及び変更可能な一重格子パネルフェンスを固定する。独立柱（一重用）・ＤＰ１は工場組立品で、高さ寸法設定は使用状況、格子パネル高さ、格子パネル横幅及び風荷重により適切に設定決定するものとする。独立柱（一重用）・ＤＰ１で対応不可能な風荷重負担及び格子パネル高さの時は独立柱（一重用）・ＤＰ１の奥行方向ピッチ・ＤＰを２及び３と大きくし、独立柱（一重用）・ＤＰ２及びＤＰ３の位置を横幅方向ピッチ・ＷＰの倍数にて移動配置する。
【００７９】
図６３はデザイン加除及び変更可能な一重格子パネルフェンス同士が５０度から１７９度迄の自由角度内で、丁番機能を持つ出隅自在固定金具Ｃ・７１を介して接合する時の関係図である。６３ａは最頂位置の伏図で、６３ Ｂは中間位置の伏図で、６３ｃは中間位置以外の伏図で、６３ｄはベース位置の伏図である。６３ａは最頂位置で、６３ Ｂは中間位置で、６３ｄはベース位置でデザイン加除及び変更可能な一重格子パネルの縦構造格子材・５を丁番機能を持つ出隅自在固定金具Ｃ・７１と継手固定用四角軸付ボルトナットセット・５１で一重格子パネル相互の５０〜１７９度内で緊結している関係図である。６３ｅは６３ａ、６３ Ｂ、６３ｃ、６３ｄの正面図である。一重格子パネルを支持する独立柱（一重用）・ＤＰ１の位置、高さ及び奥行きは格子パネル高さ、格子パネル横幅及び風荷重により適切に設定決定するものとし、奥行きが独立柱（一重用）・ＤＰ１の倍数である独立柱（一重用）・ＤＰ２及びＤＰ３の時、位置を横幅方向ピッチ・ＷＰの倍数にて横移動配置する。
【００８０】
図６４はデザイン加除及び変更可能な一重格子パネルフェンス同士が最小角度５０度で、丁番機能を持つ出隅自在固定金具Ｃ・７１を介して接合する時の関係図である。６４ａは最頂位置の伏図で、６４ Ｂは中間位置の伏図である。６４ａは最頂位置で、６４ Ｂは中間位置でデザイン加除及び変更可能な一重格子パネルの縦構造格子材・５と丁番機能を持つ出隅自在固定金具Ｃ・７１を継手固定用四角軸付ボルトナットセット・５１でデザイン加除及び変更可能な一重格子パネル相互の最小角度５０度で緊結している関係図である。一重格子パネルを支持する独立柱（一重用）・ＤＰ１の位置及び高さは格子パネル高さ、格子パネル横幅及び風荷重により適切に設定決定するものとする。独立柱・ＤＰ１で対応不可能な風荷重負担及び格子パネル高さの時は独立柱（一重用）・ＤＰ１の奥行方向ピッチ・ＤＰを倍数比例で２及び３と大きくし、又、最小角度を５０度以下にする時は独立柱（一重用）・ＤＰ１、ＤＰ２、ＤＰ３の位置問題回避の為、現在地より位置を横幅方向ピッチ・ＷＰの倍数にて横移動配置する。
【００８１】
図６５は中間位置以外の位置で、デザイン加除及び変更可能な一重格子パネルフェンス同士が最小角度５０度で、自由角度で接合している時の関係図である。６４ｃは中間位置以外の伏図で、６４ｄはベース位置の伏図である。６４ｄはベース位置でデザイン加除及び変更可能な一重格子パネルの縦構造格子材・５と丁番機能を持つ出隅自在固定金具Ｃ・７１と継手固定用四角軸付ボルトナットセット・５１でデザイン加除及び変更可能な一重格子パネル相互の最小角度５０度で緊結している関係図である。６４ｃ及び６４ｄで一重格子パネルを支持する独立柱（一重用）・ＤＰ１の高さ及び位置は格子パネル高さ、格子パネル横幅及び風荷重により適切に設定決定するものとする。独立柱（一重用）・ＤＰ１で対応不可能な風荷重負担及び格子パネル高さの時は独立柱（一重用）・ＤＰ１の奥行方向ピッチ・ＤＰを２及び３と大きくし、現在地より位置を横幅方向ピッチ・ＷＰの倍数にて横移動配置する。
【００８２】
図６６は縦構造格子材・５、縦準構造格子材・６、装飾縦格子材・７、横構造格子材・８、横準構造格子材・９、装飾横格子・１０、繋材・１１、付加装飾材Ａ（自由加工）・１２、付加装飾材 Ｂ（自由加工）・１３、支持材・１４の一般形であり、０００２にも述べているがデザイン加除及び変更可能な一重格子パネルシステム及びデザイン加除及び変更可能な二重格子パネルフェンスシステムの構成素材は特に断面形状、材質、表面表情、防錆を兼ねた表面処理は特に問わない。
【００８３】
図６７は付加装飾枠Ａ・１５の内部に同作装飾材・１７を有し、支持材・１４を固定足として持つ、付加装飾材Ａ−１〜５６・１２−１〜５６の一部拡大図である。
【００８４】
図６８は付加装飾枠 Ｂ・１６の内部に別作装飾材・１８を保持できる隙間を持ち、支持材・１４を固定足として持つ、付加装飾材Ａ−１〜５６・１２−１〜５６の一部拡大図である。
【００８５】
図６９は長角穴と角穴及び溝加工されたベース位置継手板Ａ・１９とベース位置継手板 Ｂ・２０とベース位置継手板Ｃ・２１とベース位置継手板Ｄ・２２の概要図である。長角穴は付加装飾材Ａ（自由加工）・１２、付加装飾材 Ｂ（自由加工）・１３を挿入可能な開口加工である。
【００８６】
図７０は長角穴と角穴及び溝加工されたベース位置Ｔ継手板Ｅ−１・２３−１とベース位置Ｔ継手板Ｅ−２・２３−２で形成されたベース位置Ｔ継手板Ｅ・２３と長穴と角穴及び溝加工されたベース位置Ｔ継手板Ｆ−１、２４−１とベース位置Ｔ継手板Ｆ−２、２４−２で形成されたベース位置Ｔ継手板Ｆ・２４の概要図である。長角穴は付加装飾材Ａ（自由加工）・１２、付加装飾材 Ｂ（自由加工）・１３を挿入可能な開口加工である。
【００８７】
図７１は長角穴と角穴及び溝加工されたベース位置Ｔ継手板Ｇ−１・２５−１とベース位置Ｔ継手板Ｇ−２・２５−２で形成されたベース位置Ｔ継手板Ｇ・２５とベース位置継手板Ｈ（Ｌ１１２）・２６とベース位置継手板Ｉ（Ｌ９４偏芯）・２７の概要図である。長角穴は付加装飾材Ａ（自由加工）・１２、付加装飾材 Ｂ（自由加工）・１３を挿入可能な開口加工である。
【００８８】
図７２は長角穴と角穴と変形穴及び溝加工されたベース位置継手板Ｊ−１（へ形９１〜１７９）・２８−１とベース位置継手板Ｊ−２（へ形９１〜１７９）・２８−２で形成されたベース位置継手板Ｊ（へ形９１〜１７９）・２８及び長穴と角穴とアール加工及び溝加工されたベース位置継手板セットＡ・２９−１とベース位置継手板セット Ｂ・２９−２とベース位置継手板セット接合軸板・２９−３とベース位置継手板セット接合ボルトナットセット・２９−４で形成されたベース位置継手板セット（へ形自在角度９１〜１７９）・２９の概要図である。長角穴は付加装飾材Ａ（自由加工）・１２、付加装飾材 Ｂ（自由加工）・１３を挿入可能な開口加工である。
【００８９】
図７３は長角穴と角穴と溝加工されたベース位置継手板右軸芯Ａ（レ型柱・４５〜８９）・３０とベース位置継手板右軸芯 Ｂ（レ型柱・４５〜８９）・３１とベース位置継手板右軸芯Ｃ（レ型自在角度・４５〜８９）・３２とベース位置継手板右軸芯Ｄ（レ型自在角度・４５〜８９）・３３の概要図である。長角穴は付加装飾材Ａ（自由加工）・１２、付加装飾材 Ｂ（自由加工）・１３を挿入可能な開口加工である。
【００９０】
図７４は長角穴と角穴と溝加工されたベース位置継手板壁取合板Ａ・３４−１とベース位置継手板壁取合板 Ｂ・３４−２で形成されたベース位置継手板壁取合金具・３４及び長穴と角穴と変形穴及び溝加工された中間位置継手板Ａ・３５と中間位置継手板 Ｂ・３６と中間位置継手板Ｃ（Ｔ型補助Ｌ９８）・３７の概要図である。長角穴は付加装飾材Ａ（自由加工）・１２、付加装飾材 Ｂ（自由加工）・１３を挿入可能な開口加工である。
【００９１】
図７５は長角穴と角穴及び溝加工された中間位置継手板Ｄ−１（へ型・９１〜１７９）・３８−１と中間位置継手板Ｄ−２（へ型・９１〜１７９）・３８−２で形成された中間位置継手板Ｄ（へ型・９１〜１７９）・３８と長穴と角穴とアール加工及び溝加工された中間位置継手板セットＡ・３９−１と中間位置継手板セット Ｂ・３９−２と中間位置継手板セット接合軸板・３９−３とベース位置継手板セット接合ボルトナットセット・２９−４で形成された中間位置継手板セット（へ型自在角度・９１〜１７９）・３９及び中間位置継手板壁取合金具・４０の概要図である。長角穴は付加装飾材Ａ（自由加工）・１２、付加装飾材 Ｂ（自由加工）・１３を挿入可能な開口加工である。
【００９２】
図７６は長角穴と角穴と溝加工された最頂位置継手板Ａ・４１と最頂位置継手板 Ｂ・４２と最頂位置継手板Ｃ・４３及び長穴と角穴及び溝加工された最頂位置継手板Ｄ−１（へ型９１〜１７９）・４４−１と最頂位置継手板Ｄ−２（へ型９１〜１７９）・４４−２で形成された最頂位置継手板Ｄ（へ型９１〜１７９）・４４である。長角穴は付加装飾材Ａ（自由加工）・１２、付加装飾材 Ｂ（自由加工）・１３を挿入可能な開口加工である。
【００９３】
図７７は長角穴と角穴とアール加工及び溝加工された最頂位置継手板セットＡ・４５−１と最頂位置継手板セット Ｂ・４５−２と最頂位置継手板セット接合軸板・４５−３とベース位置継手板セット接合ボルトナットセット・２９−４で形成された最頂位置継手板セット（へ型自在角度）・４５及び最頂位置継手板壁取合金具・４６の概要図である。長角穴は付加装飾材Ａ（自由加工）・１２、付加装飾材 Ｂ（自由加工）・１３を挿入可能な開口加工である。
【００９４】
図７８は長角穴と角穴と曲げ又は溝加工された継手押え金Ａ・４７と継手押え金Ｃ・４７Ａ及び継手押え金 Ｂ−１（へ型・９１〜１７９）・４８−１と継手押え金 Ｂ−２（へ型・９１〜１７９）・４８−２で形成された継手押え金 Ｂ（へ型・９１〜１７９）・４８の概要図である。長角穴は付加装飾材Ａ（自由加工）・１２、付加装飾材 Ｂ（自由加工）・１３を挿入可能な開口加工である。
【００９５】
図７９は長角穴と角穴と溝加工された連結板（Ｔ型継手部）・４９とアンカーボルトナットセット・５０と継手固定用四角軸付ボルトナットセット・５１と壁取付け用アンカーボルトナットセット・５２とベース下長座金Ａ・５３及びベース下長座金 Ｂ（へ型・９１〜１７９）・５４の概要図である。長角穴は付加装飾材Ａ（自由加工）・１２、付加装飾材 Ｂ（自由加工）・１３を挿入可能な開口加工である。
【００９６】
図８０は変形穴加工されたベース下長座金Ｃ（レ型柱・４５〜８９・変六角）・５５及び長穴加工されたベース挟み板Ａ・５６とベース挟み板 Ｂ（へ型・９１〜１７９）・５７とベース挟み板Ｃ（レ型柱・４５〜８９）・５８の概要図である。
【００９７】
図８１は長穴と溝加工されたベース位置押え金具Ａ・５９と長穴加工されたベース位置押え金具 Ｂ（へ型・９１〜１７９）・６０とベース位置押え金具Ｃ（レ型柱・４５〜８９）・６１及び穴加工された角座金（本体固定アンカー用）・６２と大型丸座金（壁取付けアンカー用）・６３の概要図である。
【００９８】
図８２はベース位置Ｌ型右軸芯カバーＡ（現場自在角度４５〜８９）・６４−１とベース位置Ｌ型右軸芯カバー Ｂ（現場自在角度４５〜８９）・６４−２とベース位置Ｌ型右軸芯カバーＣ（現場自在角度４５〜８９）・６４−３とベース位置Ｌ型右軸芯カバーＤ（現場自在角度４５〜８９）・６４−４とベース位置Ｌ型右軸芯ボルト（現場自在角度４５〜８９）・６４−５とベース位置Ｌ型右軸芯厚み調整板（現場自在角度４５〜８９）・６４−６とベース位置Ｌ型右軸芯固定小螺子（現場自在角度４５〜８９）・６４−７で形成したベース位置Ｌ型右軸芯セット（現場自在角度４５〜８９）・６４及び角穴と溝加工された接合金具（格子パネル＋柱）・６５とベース位置継手板Ｋ・６６の概要図である。
【００９９】
図８３は長穴と溝加工されたベース位置押え金具Ｄ・６７と長穴加工されたベース下長座金Ｄ・６８と角穴と曲げ又は溝加工された出隅固定金具Ａ・６９と出隅固定金具 Ｂ・７０の概要図である。
【０１００】
図８４は出隅自在固定金具Ｃの概要図である
【図面の簡単な説明】
【０１０１】
【図１】草木をイメージ加工した付加装飾材Ａ・１２、 Ｂ・１３及び交差金具の使用例
【図２】縦横構造部材で構成した基本パネル図
【図３】交差金具Ａ・１の詳細図
【図４】交差金具 Ｂ・２の詳細図
【図５】交差金具Ｃ・３の詳細図
【図６】交差金具Ｄ・４の詳細図
【図７】縦横材（構造材と準構造材と装飾材）を使用した例の正面図，各位置伏図
【図８】縦横構造材と縦準構造材と横装飾材を使用した例
【図９】縦横材（構造材と準構造材と装飾材）を使用した例
【図１０】縦横構造部材で構成した基本パネルに加除可能なデザインを配した使用例
【図１１】縦横構造部材で構成した基本パネルに加除可能なデザインを配した使用例
【図１２】縦横構造部材で構成した基本パネルに加除可能なデザインを配した使用例
【図１３】縦横構造部材で構成した基本パネルに加除可能なデザインを配した使用例
【図１４】縦横構造部材で構成した基本パネルに加除可能なデザインを配した使用例
【図１５】縦横構造部材で構成した基本パネルに加除可能なデザインを配した使用例
【図１６】縦横構造部材で構成した基本パネルに加除可能なデザインを配した使用例
【図１７】縦横構造部材で構成した基本パネルに加除可能なデザインを配した使用例
【図１８】縦横構造部材で構成した基本パネルに加除可能なデザインを配した使用例
【図１９】縦横構造部材で構成した基本パネルに加除可能なデザインを配した使用例
【図２０】縦横構造部材で構成した基本パネルに忍返しを兼ねた加除可能なデザイン例
【図２１】二重格子パネルフェンスでの鋭角部，鈍角部検証配置図
【図２２】二重格子パネルフェンスでの各部検証配置図
【図２３】二重格子パネルフェンス・図２２中２２ａ部、２３ａ〜 Ｂ詳細図
【図２４】二重格子パネルフェンス・図２２中２２ａ部、２３ｃ〜ｆ詳細図
【図２５】二重格子パネルフェンス・図２２中２２ｊ部、２５ａ〜ｅ詳細図
【図２６】二重格子パネルフェンス・図２２中２２ｊ部、２５ｆ〜ｉ詳細図
【図２７】二重格子パネルフェンス・図２２中２２ｋ部、２７ａ〜ｄ詳細図
【図２８】二重格子パネルフェンス・図２２中２２ｋ部、２７ｅ〜ｇ詳細図
【図２９】二重格子パネルフェンス・図２２中２２ｌ部、２９ａ〜ｃ詳細図
【図３０】二重格子パネルフェンス・図２２中２２ｌ部、２９ｄ〜ｆ詳細図
【図３１】二重格子パネルフェンス・図２２中２２ｌ部、２９ｇ詳細図
【図３２】二重格子パネルフェンス・図２２中２２ｍ部、３２ａ〜 Ｂ詳細図
【図３３】二重格子パネルフェンス・図２２中２２ｍ部、３２ｃ〜ｅ詳細図
【図３４】二重格子パネルフェンス・図２２中２２ｍ部、３２ｆ〜ｇ詳細図
【図３５】二重格子パネルフェンス・図２２中２２ｆ部、３５ａ〜ｅ詳細図
【図３６】二重格子パネルフェンス・図２２中２２ｇ部、３６ａ〜ｃ詳細図
【図３７】二重格子パネルフェンス・図２２中２２ｇ部、３６ｄ〜ｅ詳細図
【図３８】二重格子パネルフェンス・図２２中２２ｈ部、３８ａ〜 Ｂ詳細図
【図３９】二重格子パネルフェンス・図２２中２２ｈ部、３８ｃ〜ｄ詳細図
【図４０】二重格子パネルフェンス・図２２中２２ｉ部、４０ａ〜 Ｂ詳細図
【図４１】二重格子パネルフェンス・図２２中２２ｉ部、４０ｃ〜ｄ詳細図
【図４２】二重格子パネルフェンス・図２２中２２ Ｂ部、４２ａ〜ｄ詳細図
【図４３】二重格子パネルフェンス・図２２中２２ｃ部、４３ａ〜ｄ詳細図
【図４４】二重格子パネルフェンス・図２２中２２ｃ部、４３ｅ〜ｈ詳細図
【図４５】二重格子パネルフェンス・図２２中２２ｄ部、４５ａ〜ｄ詳細図
【図４６】二重格子パネルフェンス・図２２中２２ｄ部、４５ｅ〜ｇ詳細図
【図４７】二重格子パネルフェンス・図２２中２２ｄ部、４５ｈ〜ｉ詳細図
【図４８】二重格子パネルフェンス・図２２中２２ｅ部、４８ａ〜 Ｂ詳細図
【図４９】二重格子パネルフェンス・図２２中２２ｅ部、４８ｃ〜ｅ詳細図
【図５０】二重格子パネルフェンス・図２２中２２ｅ部、４８ｆ〜ｈ詳細図
【図５１】二重格子パネルフェンス・図２１中２１ａ部、５１ａ〜 Ｂ詳細図
【図５２】二重格子パネルフェンス・図２１中２１ａ部、５１ｃ〜ｄ詳細図
【図５３】二重格子パネルフェンス・図２１中２１ Ｂ部、５３ａ〜ｄ詳細図
【図５４】二重格子パネルフェンス・図２１中２１ Ｂ部、５３ｅ〜ｇ詳細図
【図５５】二重格子パネルフェンス・図２１中２１ｃ部、５５ａ〜 Ｂ詳細図
【図５６】二重格子パネルフェンス・図２１中２１ｃ部、５５ｃ〜ｄ詳細図
【図５７】二重格子パネルフェンス・図２１中２１ｄ部、５７ａ〜 Ｂ詳細図
【図５８】二重格子パネルフェンス・図２１中２１ｄ部、５７ｃ〜ｄ詳細図
【図５９】一重格子パネルフェンス相互継手と独立柱・ＤＰ１取合詳細図、５９ａ〜ｄ
【図６０】一重格子パネルフェンス相互継手と独立柱・ＤＰ２取合詳細図、６０ａ〜ｄ
【図６１】一重格子パネルフェンス相互継手と独立柱・ＤＰ３取合詳細図、６１ａ〜ｄ
【図６２】一重格子パネルフェンス出入隅９０度・取合詳細図、６２ａ〜ｃ
【図６３】一重格子パネルフェンス出入隅５０〜１７９度自在角度・取合詳細図、６３ａ〜ｅ
【図６４】一重格子パネルフェンス出入隅５０度最小角度・取合詳細図、６４ａ〜 Ｂ
【図６５】一重格子パネルフェンス出入隅５０度最小角度・取合詳細図、６４ｃ〜ｄ
【図６６】部品符号５〜１４共通部品概要図
【図６７】部品符号１４，付加装飾枠Ａ・１５、同作装飾材・１７  取合一般図
【図６８】部品符号１４，付加装飾枠 Ｂ・１６、別作装飾材・１８  取合一般図
【図６９】部品符号１９〜２２部品概要図
【図７０】部品符号２３〜２４部品概要図
【図７１】部品符号２５〜２７部品概要図
【図７２】部品符号２８〜２９部品概要図
【図７３】部品符号３０〜３３部品概要図
【図７４】部品符号３４〜３７部品概要図
【図７５】部品符号３８〜４０部品概要図
【図７６】部品符号４１〜４４部品概要図
【図７７】部品符号４５〜４６部品概要図
【図７８】部品符号４７〜４８部品概要図
【図７９】部品符号４９〜５４部品概要図
【図８０】部品符号５５〜５８部品概要図
【図８１】部品符号５９〜６３部品概要図
【図８２】部品符号６４〜６６部品概要図
【図８３】部品符号６７〜７０部品概要図
【図８４】部品符号７１部品概要図
【符号の説明】
【０１０２】
１                交差金具Ａ
１Ａ              4本足付ボルトＡ
１Ｂ              ガイド座金
１Ｃ              回転軸付ガイドナット
１Ｄ              自在回転可能付加装飾材保持金具Ａ
１Ｅ        自在回転可能付加装飾材保持金具 Ｂ
１Ｆ        自在回転可能付加装飾材保持金具Ｃ
１Ｇ        自在回転可能付加装飾材保持金具Ｄ
１Ｈ        接合ボルトＡ
１Ｉ        接合ボルト Ｂ
２          交差金具 Ｂ
２Ａ        ４本足付ボルト Ｂ
２Ｂ        自在回転可能付加装飾材保持金具Ｅ
２Ｃ        自在回転可能付加装飾材保持金具Ｆ
２Ｄ        自在回転可能付加装飾材保持金具Ｇ
２Ｅ        自在回転可能付加装飾材保持金具Ｈ
３          交差金具Ｃ
４          交差金具Ｄ
４Ａ        回転軸無ガイドナット
５          縦構造格子材
６          縦準構造格子材
７          装飾縦格子材
８          横構造格子材
９          横準構造格子材
１０        装飾横格子材
１１        繋材
１２        付加装飾材Ａ（自由加工）
１２−１    付加装飾材Ａ−１
１２−２    付加装飾材Ａ−２
１２−３    付加装飾材Ａ−３
１２−４          付加装飾材Ａ−４
１２−５          付加装飾材Ａ−５
１２−６    付加装飾材Ａ−６
１２−７    付加装飾材Ａ−７
１２−８    付加装飾材Ａ−８
１２−９    付加装飾材Ａ−９
１２−１０  付加装飾材Ａ−１０
１２−１１  付加装飾材Ａ−１１
１２−１２  付加装飾材Ａ−１２
１２−１３  付加装飾材Ａ−１３
１２−１４  付加装飾材Ａ−１４
１２−１５  付加装飾材Ａ−１５
１２−１６  付加装飾材Ａ−１６
１２−１７  付加装飾材Ａ−１７
１２−１８  付加装飾材Ａ−１８
１２−１９  付加装飾材Ａ−１９
１２−２０  付加装飾材Ａ−２０
１２−２１  付加装飾材Ａ−２１
１２−２２  付加装飾材Ａ−２２
１２−２３  付加装飾材Ａ−２３
１２−２４  付加装飾材Ａ−２４
１２−２５  付加装飾材Ａ−２５
１２−２６  付加装飾材Ａ−２６
１２−２７  付加装飾材Ａ−２７
１２−２８  付加装飾材Ａ−２８
１２−２９  付加装飾材Ａ−２９
１２−３０  付加装飾材Ａ−３０
１２−３１  付加装飾材Ａ−３１
１２−３２  付加装飾材Ａ−３２
１２−３３  付加装飾材Ａ−３３
１２−３４  付加装飾材Ａ−３４
１２−３５  付加装飾材Ａ−３５
１２−３６  付加装飾材Ａ−３６
１２−３７  付加装飾材Ａ−３７
１２−３８  付加装飾材Ａ−３８
１２−３９  付加装飾材Ａ−３９
１２−４０  付加装飾材Ａ−４０
１２−４１  付加装飾材Ａ−４１
１２−４２  付加装飾材Ａ−４２
１２−４３  付加装飾材Ａ−４３
１２−４４  付加装飾材Ａ−４４
１２−４５  付加装飾材Ａ−４５
１２−４６  付加装飾材Ａ−４６
１２−４７  付加装飾材Ａ−４７
１２−４８  付加装飾材Ａ−４８
１２−４９  付加装飾材Ａ−４９
１２−５０  付加装飾材Ａ−５０
１２−５１  付加装飾材Ａ−５１
１２−５２  付加装飾材Ａ−５２
１２−５３  付加装飾材Ａ−５３
１２−５４  付加装飾材Ａ−５４
１２−５５  付加装飾材Ａ−５５
１２−５６  付加装飾材Ａ−５６
１３        付加装飾材 Ｂ（自由加工）
１４        支持材
１５        付加装飾枠Ａ
１６        付加装飾枠 Ｂ
１７        同作装飾材
１８        別作装飾材
１９        ベース位置継手板Ａ
２０        ベース位置継手板 Ｂ
２１        ベース位置継手板Ｃ
２２        ベース位置継手板Ｄ
２３        ベース位置Ｔ継手板Ｅ
２３−１    ベース位置Ｔ継手板Ｅ−１
２３−２    ベース位置Ｔ継手板Ｅ−２
２４        ベース位置Ｔ継手板Ｆ
２４−１    ベース位置Ｔ継手板Ｆ−１
２４−２    ベース位置Ｔ継手板Ｆ−２
２５        ベース位置Ｔ継手板Ｇ
２５−１    ベース位置Ｔ継手板Ｇ−１
２５−２    ベース位置Ｔ継手板Ｇ−２
２６        ベース位置継手板Ｈ（Ｌ１１２）
２７        ベース位置継手板Ｉ（Ｌ９４偏芯）
２８        ベース位置継手板Ｊ（へ形９１〜１７９）
２８−１    ベース位置継手板Ｊ−１（へ形９１〜１７９）
２８−２    ベース位置継手板Ｊ−２（へ形９１〜１７９）
２９        ベース位置継手板セット（へ形自在角度９１〜１７９）
２９−１    ベース位置継手板セットＡ
２９−２    ベース位置継手板セット Ｂ
２９−３    ベース位置継手板セット接合軸板
２９−４    ベース位置継手板セット接合ボルトナットセット
３０        ベース位置継手板右軸芯Ａ（レ型柱・４５〜８９）
３１        ベース位置継手板右軸芯 Ｂ（レ型柱・４５〜８９）
３２        ベース位置継手板右軸芯Ｃ（レ型自在角度・４５〜８９）
３３        ベース位置継手板右軸芯Ｄ（レ型自在角度・４５〜８９）
３４        ベース位置継手板壁取合金具
３４−１    ベース位置継手板壁取合板Ａ
３４−２    ベース位置継手板壁取合板 Ｂ
３５        中間位置継手板Ａ
３６        中間位置継手板 Ｂ
３７        中間位置継手板Ｃ（Ｔ型補助L９８）
３８        中間位置継手板Ｄ（へ型・９１〜１７９）
３８−１    中間位置継手板Ｄ−１（へ型・９１〜１７９）
３８−２    中間位置継手板Ｄ−２（へ型・９１〜１７９）
３９        中間位置継手板セット（へ型自在角度・９１〜１７９）
３９−１    中間位置継手板セットＡ
３９−２    中間位置継手板セット Ｂ
３９−３    中間位置継手板セット接合軸板
４０        中間位置継手板壁取合金具
４１        最頂位置継手板Ａ
４２        最頂位置継手板 Ｂ
４３        最頂位置継手板Ｃ
４４        最頂位置継手板Ｄ（へ型９１〜１７９）
４４−１    最頂位置継手板Ｄ−１（へ型９１〜１７９）
４４−２    最頂位置継手板Ｄ−２（へ型９１〜１７９）
４５        最頂位置継手板セット（へ型自在角度）
４５−１    最頂位置継手板セットＡ
４５−２    最頂位置継手板セット Ｂ
４５−３    最頂位置継手板セット接合軸板
４６        最頂位置継手板壁取合金具
４７        継手押え金Ａ
４７Ａ      継手押え金Ｃ
４８        継手押え金 Ｂ（へ型・９１〜１７９）
４８−１    継手押え金 Ｂ−１（へ型・９１〜１７９）
４８−２    継手押え金 Ｂ−２（へ型・９１〜１７９）
４９        連結板（Ｔ型継手部）
５０        アンカーボルトナットセット
５１        継手固定用四角軸付ボルトナットセット
５２        壁取付け用アンカーボルトナットセット
５３        ベース下長座金Ａ
５４        ベース下長座金 Ｂ（へ型・９１〜１７９）
５５        ベース下長座金Ｃ（レ型柱・４５〜８９・変六角）
５６        ベース挟み板Ａ
５７        ベース挟み板 Ｂ（へ型・９１〜１７９）
５８        ベース挟み板Ｃ（レ型柱・４５〜８９）
５９        ベース位置押え金具Ａ
６０        ベース位置押え金具 Ｂ（へ型・９１〜１７９）
６１        ベース位置押え金具Ｃ（レ型柱・４５〜８９）
６２        角座金（本体固定アンカー用）
６３        大型丸座金（壁取付けアンカー用）
６４        ベース位置Ｌ型右軸芯セット（現場自在角度４５〜８９）
６４−１    ベース位置Ｌ型右軸芯カバーＡ（現場自在角度４５〜８９）
６４−２    ベース位置Ｌ型右軸芯カバー Ｂ（現場自在角度４５〜８９）
６４−３    ベース位置Ｌ型右軸芯カバーＣ（現場自在角度４５〜８９）
６４−４    ベース位置Ｌ型右軸芯カバーＤ（現場自在角度４５〜８９）
６４−５    ベース位置Ｌ型右軸芯ボルト（現場自在角度４５〜８９）
６４−６    ベース位置Ｌ型右軸芯厚み調整板（現場自在角度４５〜８９）
６４−７    ベース位置Ｌ型右軸芯固定小螺子（現場自在角度４５〜８９）
６５        接合金具（格子パネル＋柱）
６６        ベース位置継手板Ｋ
６７        ベース位置押え金具Ｄ
６８        ベース下長座金Ｄ
６９        出隅固定金具Ａ
７０        出隅固定金具 Ｂ
７１        出隅自在固定金具Ｃ
ＫＰＧ      格子フェンスパネル外部側
ＫＰＵ      格子フェンスパネル内部側
ＳＰ１      後付柱（二重用）
ＳＰ２      後付柱（二重用）
ＳＰ３      後付柱（二重用）
ＩＰ１      中柱（二重用）
ＩＰ２      中柱（二重用）
ＩＰ３      中柱（二重用）
ＥＰ        端部柱（二重用）
ＥＰ１      端部柱（二重用）
ＥＰ２      端部柱（二重用）
ＥＰ３      端部柱（二重用）
ＥＬＰ      鋭角レ型柱（二重用・４５〜８９）
ＥＬＰＦ    鋭角レ型柱自在角度タイプ（二重用・４５〜８９）
ＤＬＰ      鈍角へ型柱（二重用・９１〜１７９）
ＤＬＰＦ    鈍角へ型柱自在角度タイプ（二重用・９１〜１７９）
ＬＰ        出入隅柱（二重用）
ＤＰＩ      独立柱（一重用）
ＤＰ２      独立柱（一重用）
ＤＰ３      独立柱（一重用）
ＷＰ        横幅方向ピッチ
ＨＰ        縦幅方向ピッチ
ＤＰ        奥行方向ピッチ
【手続補正３】
【補正対象書類名】図面
【補正対象項目名】図５４
【補正方法】変更
【補正の内容】
【図５４】
2007100413.tif 000087